(57)【要約】  本出願は、カプセル化有益剤、かかるカプセル化有益剤を含む組成物、並びにかかるカプセル化有益剤を含む組成物の製造プロセス及び使用プロセスに関する。かかるカプセル化有益剤は、現在のカプセル化有益剤の欠点のうちの１つ以上を排除又は最少化し、したがって、考案者に更なる香料送達機会を提供する。【特許請求の範囲】
【請求項１】
補助剤成分と、全組成物重量に基づいて、約０．１％〜約５０％、約０．２％〜約２５％、約０．５％〜約１０％、又は更には約０．７５％〜約５％の粒子と、を含む、組成物であって、前記粒子のそれぞれが独立して、約２マイクロメートル〜約８０マイクロメートル、約５マイクロメートル〜約５０マイクロメートル、又は更には約１０マイクロメートル〜約３０マイクロメートルの粒径を有し、各粒子が、
ａ）全粒子重量に基づいて、約６％〜約９９．９％、約１１％〜約９５％、又は約５０％〜約７５％の有益剤と、約０．１％〜約９４％、約５％〜約８９％、又は更には約２５％〜約５０％の分配変性剤及び／又は密度変性剤を含む、コアと、
ｂ）前記コアをカプセル化するシェルであって、全シェル重量に基づいて、約５０％〜約１００％、約７０％〜約１００％、又は更には約８０％〜約１００％のポリアクリレートを含む、シェルと、
を含み、
前記組成物が、消費者製品である、組成物。
【請求項２】
前記有益剤が、香料、増白剤、虫除け剤、シリコーン、ワックス、香味料、ビタミン、繊維製品用柔軟剤、スキンケア剤、酵素、プロバイオティクス、染料ポリマー共役体、染料粘土共役体、香料送達系、１つの態様では冷却剤である感覚剤、１つの態様ではフェロモンである誘引剤、抗菌剤、染料、顔料、漂白剤、及びそれらの混合物からなる群から選択される材料を含む、請求項１に記載の組成物。
【請求項３】
前記有益剤が、
ａ）香油と、
ｂ）約４、若しくは約５、若しくは約７、若しくは更には約１１超のＣｌｏｇＰを有する油溶性材料、及び／又は１立方センチメートル当たり１グラムより高い密度も有する材料からなる群から選択される、分配変性剤と、を含む、請求項２に記載の組成物。
１つの態様では、好適な分配変性剤は、Ｃ4〜Ｃ24脂肪酸及びグリセリンのモノ、ジ、及びトリエステル；ポリグリセロールオリゴマーの脂肪酸エステル；ポリαオレフィン；シリコーン油；ポリエーテル置換された構造単位及びアクリル酸架橋を含む架橋シリコーン；ポリグリセロールエーテルシリコーンクロスポリマー；アルキル置換セルロース；ヒドロキシプロピルセルロース；側鎖結晶基を有するアクリル酸又はメタクリル酸の脂肪酸エステル；エチレン及び酢酸ビニル、エチレン及びビニルアルコール、エチレン／アクリルエラストマーを含むエチレンのコポリマー；アセチルカリオフィレン、ヘキサロース、オレイン酸ブチル、硬化ヒマシ油、安息香酸スクロース、ドデカン酸、パルミチン酸、ステアリン酸、テトラデカノール、ヘキサデカノール、１−オクタンジオール、ミリスチン酸イソプロピル、ヒマシ油、鉱油、イソパラフィン、カプリル酸トリグリセリド、大豆油、植物油、臭素化植物油、ブロモヘプタン、スクロースオクタアセテート、パルミチン酸ゲラニル、アセチルカリオフィレン、安息香酸スクロース、オレイン酸ブチル、シリコーン、ポリジメチルシロキサン、ビタミンＥ、デカメチルシクロペンタシロキサン、ドデカメチルシクロヘキサシロキサン、大豆油酸スクロース、ステアリン酸スクロース、大豆油脂肪酸スクロース（sucrosesoyanate）、ラウリルアルコール、１−テトラデカノール、１−ヘキサデカノール、セチルアルコール、１−オクタデカノール、１−ドコサノール、２−オクチル−１−ドデカノール、香油、１つの態様では＞５のＣｌｏｇＰを有する香油、１つの態様ではオクタデカン酸、オクタデシルエステルからなる群から選択され得る香油；テトラコサン、２，６，１０，１５，１９，２３−ヘキサメチル−；オクタデカン酸、１，２，３−プロパントリオール中に溶解されるジエステル；イソトリデカン、１，１’−［（３，７−ジメチル−６−オクテニリデン）ビス（オキシ）］ビス−；テトラデカン酸、オクタデシルエステル；２，６，１０，１４，１８，２２−テトラコサヘキサエン、２，６，１０，１５，１９，２３−ヘキサメチル−、（すべて−Ｅ）−；トリコサン；ドコサン；ヘキサデカン酸、ドデシルエステル；１，２−ベンゼンジカルボン酸、ジドデシルエステル；デカン酸、１，２，３−プロパントリイルエステル；１−ウンデセン、１１，１１−ビス［（３，７−ジメチル−６−オクテニル）オキシ］−；ヘンエイコサン；ベンゼン、［２−［ビス［（３，７−ジメチル−２，６−オクタジエニル）オキシ］メチル］−１−；１−ウンデセン、１１，１１−ビス［（３，７−ジメチル−２，６−オクタジエニル）オキシ］−；ベンゼン、［２−［ビス［（１−エテニル−１，５−ジメチル−４−ヘキセニル）オキシ］メチル］−１−；ドデカン酸、テトラデシルエステル；２Ｈ−１−ベンゾピラン−６−オール、３，４−ジヒドロ−２，５，７，８−テトラメチル−２−（４，８，１２−トリメチルトリデシル）−、［２Ｒ−［２Ｒ*（４Ｒ*，８Ｒ*）］］−；オクタン酸、オクタデシルエステル；エイコサン；２Ｈ−１−ベンゾピラン−６−オール、３，４−ジヒドロ−２，５，８−トリメチル−２−（４，８，１２−トリメチルトリデシル）−、［２Ｒ*（４Ｒ*，８Ｒ*）］−；２−ナフタレノール、１−［６−（２，２−ジメチル−６−メチレンシクロヘキシル）−４−メチル−３−ヘキセニル］デカヒドロ−２，５，５，８ａ−テトラメチル−、［１Ｒ−［１α［Ｅ（Ｓ*）］，２β，４ａβ，８ａα］］−；２Ｈ−１−ベンゾピラン−６−オール、３，４−ジヒドロ−２，７，８−トリメチル−２−（４，８，１２−トリメチルトリデシル）−、［２Ｒ−［２Ｒ*（４Ｒ*，８Ｒ*）］］−；ヘプタン酸、オクタデシルエステル；ノナデカン；２，４，６，８，１０，１２，１４，１６−ヘプタデカオクタエナール、２，６，１１，１５−テトラメチル−１７−（２，６，６−トリメチル−１−シクロヘキセン−１−イル）−、（２Ｅ，４Ｅ，６Ｅ，８Ｅ，１０Ｅ，１２Ｅ，１４Ｅ，１６Ｅ）−；２Ｈ−１−ベンゾピラン−６−オール、３，４−ジヒドロ−２，８−ジメチル−２−（４，８，１２−トリメチルトリデシル）−、［２Ｒ−［２Ｒ*（４Ｒ*，８Ｒ*）］］−；ヘキサデカン酸、２−エチルヘキシルエステル；１，２−ベンゼンジカルボン酸、ジデシルエステル；オクタデカン；安息香酸、２−［［２−（フェニルメチレン）オクチリデン］アミノ］−，１−エテニル−１，５−ジメチル−４−ヘキセニルエステル；オクタデカン酸、３−メチルブチルエステル；デカン酸、１，２，３−プロパントリオールオクタノエートとのエステル；ヘプタデカン；１−ヘキサデセン、７，１１，１５−トリメチル−３−メチレン−；ドデカン酸、デシルエステル；オクタデカン酸、ブチルエステル；デカン二酸、ビス（２−エチルヘキシル）エステル；ベンゼン、［２，２−ビス［（３，７−ジメチル−６−オクテニル）オキシ］エチル］−；ベンゼン、［２，２−ビス［（３，７−ジメチル−２，６−オクタジエニル）オキシ］エチル］−；９−オクタデカン酸（Ｚ）−、ブチルエステル；オクタン酸、１，２，３−プロパントリイルエステル；ヘキサデカン；シクロヘキセン、４−（５−メチル−１−メチレン−４−ヘキセニル）−１−（４−メチル−３−ペンテニル）−；２−ヘキサデセン−１−オール、３，７，１１，１５−テトラメチル−、アセテート、［Ｒ−［Ｒ*，Ｒ*−（Ｅ）］］−；ヘキサデカン酸、ブチルエステル；オクタデカン酸、エチルエステル；１−ドデカノール、２−オクチル−；ペンタデカン；テトラデカン酸、ヘキシルエステル；デカン酸、デシルエステル；酢酸、オクタデシルエステル；ヘキサデカン酸、２−メチルプロピルエステル；９−オクタデセン酸（Ｚ）−、エチルエステル；ヘプタデカン酸、エチルエステル；オクタデカン酸、メチルエステル；テトラデカン；テトラデカン酸、３−メチルブチルエステル；２−ヘキサデセン−１−オール、３，７，１１，１５−テトラメチル−、［Ｒ−［Ｒ*，Ｒ*−（Ｅ）］］−；２−ヘキサデセン−１−オール、３，７，１１，１５−テトラメチル−；ヘキサデカン酸、１−メチルエチルエステル；１Ｈ−インドール、１，１’−（３，７−ジメチル−６−オクテニリデン）ビス−；オクタデカン酸；シクロペンタシロキサン、デカメチル−；安息香酸、２−［［２−（フェニルメチレン）オクチリデン］アミノ］−，３−メチルブチルエステル；９，１２−オクタデカジエン酸（Ｚ，Ｚ）−、エチルエステル；１−オクタデカノール；ヘキサン二酸、ジオクチルエステル；９−オクタデセン酸（Ｚ）−、メチルエステル；オクタデカン酸、２−ヒドロキシプロピルエステル；テトラデカン酸、ブチルエステル；ドデカン酸、ヘキシルエステル；９，１２，１５−オクタデカトリエン酸、エチルエステル、（Ｚ，Ｚ，Ｚ）−；ヘキサデカン酸、エチルエステル；１−ヘキサデカノール、アセテート；９−オクタデセン酸（Ｚ）−；ヘキサン二酸、ビス（２−エチルヘキシル）エステル；１，８，１１，１４−ヘプタデカテトラエン；１，８，１１，１４−ヘプタデカテトラエン；１，８，１１，１４−ヘプタデカテトラエン；９−オクタデセン−１−オール、（Ｚ）−；テトラデカン酸、２−メチルプロピルエステル；ノナン酸、１−メチル−１，２−エタンジイルエステル；トリデカン；ナフタレン、デカヒドロ−１，６−ジメチル−４−（１−メチルエチル）−、［１Ｓ−（１α，４α，４ａα，６α，８ａβ）］−、ジデヒドロ誘導体；１−ヘキサデシン−３−オール、３，７，１１，１５−テトラメチル−；９，１２−オクタデカジエン酸（Ｚ，Ｚ）−、メチルエステル；１−ヘプタデカノール；６，１０，１４−ヘキサデカトリエン−３−オール、３，７，１１，１５−テトラメチル−；安息香酸、２−［［［４−（４−メチル−３−ペンテニル）−３−シクロヘキセン−１−イル］メチレン］アミノ］−、メチルエステル；９，１２−オクタデカジエン酸（Ｚ，Ｚ）−；２−ノネン、１，１’−オキシビス−；サンタロール、ベンゼンアセテート；１０−ウンデセン酸、ヘプチルエステル；９，１２，１５−オクタデカトリエン酸、メチルエステル、（Ｚ，Ｚ，Ｚ）−；オクタデカン酸、１，２，３−プロパントリオールとのモノエステル；ドデカン酸、ペンチルエステル；オクタン酸、ノニルエステル；ペンタデカン酸、エチルエステル；ヘキサデカン酸、メチルエステル；ドデカン酸、４−メチルフェニルエステル；ドデカン酸、３−メチルブチルエステル；テトラデカン酸、１−メチルエチルエステル；ヘキサデカン酸；１−フェナントレンカルボン酸、テトラデカヒドロ−１，４ａ−ジメチル−７−（１−メチルエチル）−、メチルエステル、［１Ｒ−（１α，４ａβ，４ｂα，７β，８ａβ，１０ａα）］−；１−ヘキサデカノール；ドデカン；２−ペンタデカノン、６，１０，１４−トリメチル−；９−ヘプタデカノン；１−フェナントレンメタノール、１，２，３，４，４ａ，４ｂ，５，６，１０，１０ａ−デカヒドロ−１，４ａ−ジメチル−７−（１−メチルエチル）−、アセテート、［１Ｒ−（１α，４ａβ，４ｂα，１０ａα）］−；イソヘキサデカノール；ドデカン酸、２−メチルプロピルエステル；ヘキサデカンニトリル；オクタデカン酸、２，３−ジヒドロキシプロピルエステル；イソドデカン；１−フェナントレンメタノール、テトラデカヒドロ−１，４ａ−ジメチル−７−（１−メチルエチル）−；オクタン酸、３，７−ジメチル−２，６−オクタジエニルエステル、（Ｅ）−；ドデカン酸、ブチルエステル；テトラデカン酸、エチルエステル；ブタン酸、ドデシルエステル；安息香酸、２−アミノ−、デシルエステル；オキサシクロヘプタデカン−２−オン；プロパン酸、２−メチル−、ドデシルエステル；１Ｈ−インデン、オクタヒドロ−１，１，２，３，３−ペンタメチル−；１−フェナントレンカルボン酸、１，２，３，４，４ａ，４ｂ，５，６，７，８，１０，１０ａ−ドデカヒドロ−１，４ａ−ジメチル−７−（１−メチルエチル）−、メチルエステル；９−オクタデセン酸（Ｚ）−、１，２，３−プロパントリオールとのエステル；９，１２，１５−オクタデカトリエン酸、（Ｚ，Ｚ，Ｚ）−；１，４，８−シクロウンデカトリエン、２，６，６，９−テトラメチル−、（Ｅ，Ｅ，Ｅ）−；１−フェナントレンメタノール、ドデカヒドロ−１，４ａ−ジメチル−７−（１−メチルエチル）−；安息香酸、３，４，５−トリヒドロキシ−、ドデシルエステル；１Ｈ−インドール−１−ヘプタノール、エータ−１Ｈ−インドール−１−イル−α，α，エプシロン−；シクロドデカン；９−ヘキサデセン酸、（Ｚ）−；安息香酸、２−［［２−（フェニルメチレン）ヘプチリデン］アミノ］−、メチル；９−オクタデセン酸（Ｚ）−、２，３−ジヒドロキシプロピルエステル；２−ナフタレンカルボキスアルデヒド、５，６，７，８−テトラヒドロ−３，５，５，６，７，８，８−ヘプタメチル−、トランス−；オクタン酸、１−エテニル−１，５−ジメチル−４−ヘキセニルエステル；２−ヘキサデカノン；及びそれらの混合物を含む材料からなる群から選択される材料を含んでもよく；
並びに／又は臭素化植物油；スクロースオクタアセテート；ブロモヘプタン；二酸化チタン；酸化亜鉛、酸化鉄、酸化コバルト、酸化ニッケル、酸化銀、酸化銅、酸化ジルコニウム、シリカ；銀；亜鉛；鉄；コバルト；ニッケル；銅；エポキシ化大豆油ポリオール、１ｈ−インデン、２，３−ジヒドロ−１，１，３，３，５−ペンタメチル−４，６−ジニトロ−；ベンゼン、（２−ブロモエテニル）−；ベンゼン酢酸、２−メトキシ−４−（１−プロペニル）フェニルエステル；エタノン、１−（２，５−ジメチル−３−チエニル）−；オキシランカルボン酸、３−（４−メトキシフェニル）−、エチルエステル；安息香酸、２−［（１−ヒドロキシ−３−フェニルブチル）アミノ］−、メチルエステル；１，３−ベンゾジオキソール−５−カルボン酸、エチルエステル；１，３−ベンゾジオキソール、５−（２−プロペニル）−；安息香酸、４−メトキシ−；ベンゼンメタノール、α−（トリクロロメチル）−、アセテート；フェノール、２−メトキシ−４−（２−プロペニル）−、フォルメート；フェノール、２−メトキシ−４−（２−プロペニル）−、ベンゾエート；２−プロペン−１−オール、３−フェニル−、ベンゾエート；ベンゼン酢酸、３−メチルフェニルエステル；ベンゼン、１−（１，１−ジメチルエチル）−３，４，５−トリメチル−２，６−ジニトロ−；ベンゼン酢酸、４−メチルフェニルエステル；ベンゼン酢酸、フェニルメチルエステル；ベンゼン酢酸、（４−メトキシフェニル）メチルエステル；２−プロペン酸、３−フェニル−、フェニルメチルエステル；２−プロペン酸、３−フェニル−、２−フェニルエチルエステル；ベンゼン酢酸、２−メトキシ−４−（２−プロペニル）フェニルエステル；フェノール、２−（メチルチオ）−；安息香酸、２−［［３−（１，３−ベンゾジオキソール−５−イル）−２−メチルプロピリデン］アミノ］−、メチルエステル；安息香酸、２−［［３−（４−メトキシフェニル）−２−メチルプロピリデン］アミノ］−，メチルエステル；安息香酸、３，５−ジメトキシ−；安息香酸、２−ヒドロキシ−、フェニルエステル；安息香酸、２−ヒドロキシ−、フェニルメチルエステル；安息香酸、２−ヒドロキシ−、エチルエステル；安息香酸、２−ヒドロキシ−、メチルエステル；安息香酸、２−アミノ−、メチルエステル；エタノン、２−ヒドロキシ−１，２−ジフェニル−；安息香酸、４−ヒドロキシ−、エチルエステル；安息香酸、フェニルメチルエステル；１，３−ベンゾジオキソール、５−（１−プロペニル）−；ベンゾチアゾール、２−メチル−；５ｈ−ジベンゾ［ａ，ｄ］シクロヘプテン−５−オン、１０，１１−ジヒドロ−；オキシランカルボン酸、３−フェニル−、エチルエステル；安息香酸、４−メトキシ−、メチルエステル；２−プロペン酸、３−フェニル−、３−フェニル−２−プロペニルエステル；トリシクロ［３．３．１．１３，７］デカン−２−オール、４−メチル−８−メチレン−；トリシクロ［３．３．１．１３，７］デカン−２−オール、４−メチル−８−メチレン−、アセテート；メタノン、ビス（２，４−ジヒドロキシフェニル）−；メタノン、（２−ヒドロキシ−４−メトキシフェニル）フェニル−；ジベンゾフラン���安息香酸、２−アミノ−、２−フェニルエチルエステル；エタノン、１−（ナフタレニル）−；フラン、２，２’−［チオビス（メチレン）］ビス−；１，２，３−プロパントリオール、トリプロパノエート；２−プロペン酸、３−フェニル−、（ｅ）−；フェノール、４−エチル−２，６−ジメトキシ−；ジスルフィド、メチルフェニル；安息香酸、２−［［（４−メトキシフェニル）メチレン］アミノ］−、メチルエステル；２−プロペン酸、３−（２−メトキシフェニル）−、（ｚ）−；８−キノリノール；ジスルフィド、ビス（フェニルメチル）；１，２−プロパンジオール、ジベンゾエート；ベンゼン、１−ブロモ−４−エテニル−；トリスルフィド、ジ−２−プロペニル；フェノール、２，６−ジメトキシ−４−（１−プロペニル）−、（ｅ）−；ベンゼン、（２−イソチオシアナトエチル）−；安息香酸、２−ヒドロキシ−５−メチル−、メチルエステル；１，２，４−トリチオラン、３，５−ジメチル−；プロパン酸、２−（メチルジチオ）−、エチルエステル；安息香酸、２−ヒドロキシ−、シクロヘキシルエステル；安息香酸、２−［（１−オキソプロピル）アミノ］−、メチルエステル；エタンチオ酸、ｓ−（４，５−ジヒドロ−２−メチル−３−フラニル）エステル；安息香酸、２−（アセチルアミノ）−、メチルエステル；１，３，５−トリチアン、２，４，６−トリメチル−；安息香酸、２−アミノ−、プロピルエステル；ブタン酸、１−ナフタレニルエステル；安息香酸、２，４−ジヒドロキシ−３−メチル−、メチルエステル；トリスルフィド、メチル２−プロペニル；２−フランメタノール、ベンゾエート；安息香酸、２−ヒドロキシ−５−メチル−、エチルエステル；ベンゼン、（２，２−ジクロロ−１−メチルシクロプロピル）−；２−チオフェンカルボキスアルデヒド、５−エチル−；安息香酸、［（フェニルメチレン）アミノ］−、メチルエステル；スピロ［１，３−ジチオロ［４，５−ｂ］フラン−２，３’（２’ｈ）−フラン］、ヘキサヒドロ−２’，３ａ−ジメチル−；１，３−ベンゾジオキソール、５−（ジエトキシメチル）−；シクロドデカ［ｃ］フラン、１，３，３ａ，４，５，６，７，８，９，１０，１１，１３ａ−ドデカヒドロ−；ベンゼン酢酸、２−メトキシフェニルエステル；２−ベンゾフランカルボキスアルデヒド；１，２，４−トリチアン、３−メチル−；フラン、２，２’−［ジチオビス（メチレン）］ビス−；１，６−ヘプタジエン−３，５−ジオン、１，７−ビス（４−ヒドロキシ−３−メトキシフェニル）−、（ｅ，ｅ）−；安息香酸、２，４−ジヒドロキシ−３，６−ジメチル−、メチルエステル；安息香酸、２−ヒドロキシ−４−メトキシ−、メチルエステル；プロパン酸、２−メチル−、１，３−ベンゾジオキソール−５−イルメチルエステル；１，２，４−トリチオラン、３，５−ジエチル−；１，２，４−トリチオラン、３，５−ビス（１−メチルエチル）−；フラン、２−［（メチルジチオ）メチル］−；テトラスルフィド、ジメチル；ベンゼンアセトアルデヒド、α−（２−フラニルメチレン）−；安息香酸、３−メトキシ−；ベンゼンカルボチオ酸、ｓ−メチルエステル；安息香酸、２−メトキシ−、メチルエステル；安息香酸、２��ヒドロキシ−、４−メチルフェニルエステル；安息香酸、２−ヒドロキシ−、プロピルエステル；２−プロペン酸、３−（２−メトキシフェニル）−；２−プロペン酸、３−（３−メトキシフェニル）−；安息香酸、２−ヒドロキシ−４−メトキシ−６−メチル−、エチルエステル；ベンズアルデヒド、２−ヒドロキシ−５−メチル−；１，２，３−プロパントリオール、トリベンゾエート；安息香酸、４−メチルフェニルエステル；２−フランカルボン酸、プロピルエステル；安息香酸、２−ヒドロキシ−、２−メチルフェニルエステル；安息香酸、４−ヒドロキシ−３−メトキシ−、エチルエステル；２−プロペン酸、３−フェニル−；ベンゼン、１，３−ジブロモ−２−メトキシ−４−メチル−５−ニトロ−；ベンゼン、（イソチオシアナトメチル）−；２−プロペン酸、３−（２−フラニル）−、エチルエステル；ベンゼンメタンチオール、４−メトキシ−；２−チオフェンメタンチオール；ベンゼン、１，１’−［（２−フェニルエチリデン）ビス（オキシメチレン）］ビス−；フェノール、２，６−ジメトキシ−４−（２−プロペニル）−；安息香酸、２−［（２−フェニルエチリデン）アミノ］−、メチルエステル；ベンゼンプロパン酸、β−オキソ−、４−メチルフェニルエステル；１ｈ−インドール−３−ヘプタノール、エータ−１ｈ−インドール−３−イル−α，α，エプシロン−トリメチル−；安息香酸、２−ヒドロキシ−、３−メチル−２−ブテニルエステル；１，３−ベンゾジオキソール−５−プロパノール、α−メチル−、アセテート；チオフェン、２，２’−ジチオビス−；安息香酸、２−ヒドロキシ−；ベンズアルデヒド、２−ヒドロキシ−４−メチル−；ジスルフィド、メチルフェニルメチル；２−フランカルボン酸、２−フェニルエチルエステル；ベンゼンチオール、２−メトキシ−；安息香酸、２−［［（４−ヒドロキシ−３−メトキシフェニル）メチレン］アミノ］−，メチルエステル；エタノール、２−（４−メチルフェノキシ）−１−（２−フェニルエトキシ）−；ベンゼン酢酸、３−フェニル−２−プロペニルエステル；安息香酸、２−アミノ−、２−プロペニルエステル；ビシクロ［３．２．１］オクタン−８−オン、１，５−ジメチル−、オキシム；２−チオフェンチオール；フェノール、２−メトキシ−４−（１−プロペニル）−、フォルメート；安息香酸、２−アミノ−、シクロヘキシルエステル；フェノール、４−エテニル−２−メトキシ−；安息香酸、２−ヒドロキシ−、２−（１−メチルエトキシ）エチルエステル；エタノン、１−［４−（１，１−ジメチルエチル）−２，６−ジメチル−３，５−ジニトロフェニル］−；ベンゼン、１−（１，１−ジメチルエチル）−３，５−ジメチル−２，４，６−トリニトロ−；２−プロペン酸、３−（４−メトキシフェニル）−；ベンゼン、１−（１，１−ジメチルエチル）−２−メトキシ−４−メチル−３，５−ジニトロ−；１，２−ベンゼンジカルボン酸、ジエチルエステル；エタノン、１−（３，４−ジヒドロ−２ｈ−ピロール−５−イル）−；安息香酸、２−（メチルアミノ）−、メチルエステル；２ｈ−１−ベンゾピラン−２−オン、７−エトキシ−４−メチル−；安息香酸、２−ヒドロキシ−、２−フェニルエチルエステル；安息香酸、２−アミノ−、エチルエステル；２−プロペン−１−オール、３−フェニル−、２−アミノベンゾエート；フェノール、４−クロロ−３，５−ジメチル−；ジスルフィド、ジフェニル；１−ナフタレノール；［１，１’−ビフェニル］−２−オール；ベンゼンメタノール、α−フェニル−；２−ナフタレンチオール；エタノン、１−（２−ナフタレニル）−；フェノール、２−メトキシ−４−（１−プロペニル）−、アセテート；２−ナフタレノール、ベンゾエート；安息香酸、フェニルエステル；ピリジン、２−［３−（２−クロロフェニル）プロピル］−；安息香酸、４−ヒドロキシ−、プロピルエステル；エタノン、１−（１−ナフタレニル）−；プロパン酸、３−［（２−フラニルメチル）チオ］−、エチルエステル；２−プロペン−１−オン、１，３−ジフェニル−；３−ピリジンカルボン酸、フェニルメチルエステル；安息香酸、２−フェニルエチルエステル；ピペリジン、１−［５−（１，３−ベンゾジオキソール−５−イル）−１−オキソ−２，４−ペンタジエニル］−，（ｅ，ｅ）−；ベンゾチアゾール；及びそれらの混合物からなる群から選択される密度変性剤を含んでもよい。
【請求項４】
前記香料が、３．５未満、３未満、又は更には約０．５〜約３のＣｌｏｇＰを有する、約２％〜約８０％、約２０％〜約７０％、約３０％〜約６０％の香料原材料を含む、請求項２に記載の組成物。
【請求項５】
前記香料が、１０億分の５０未満、１０億分の２５未満、又は更には１０億分の約０．１〜１０億分の約２５のＯＤＴを有する、約２％〜約８０％、約２０％〜約７０％、約３０％〜約６０％の香料原材料を含む、請求項２に記載の組成物。
【請求項６】
ヘッドスペース比が、約０．０５〜０．９０、約０．２０〜約０．８０、又は更には約０．２〜約０．４０である、請求項１に記載の組成物。
【請求項７】
補助剤成分を、全組成物重量に基づいて、約０．１％〜約５０％、約０．２％〜約２５％、約０．５％〜約１０％、又は更には約０．７５％〜約５％の粒子と合わせる工程を含み、前記粒子のそれぞれが独立して、約２マイクロメートル〜約８０マイクロメートル、約５マイクロメートル〜約５０マイクロメートル、又は更には約１０マイクロメートル〜約３０マイクロメートルの粒径を有し、各粒子が、消費者製品を形成するために、
ａ）全粒子重量に基づいて、約６％〜約９５％、約１１％〜約８５％、又は約５０％〜約７５％の有益剤と、約５％〜約９４％、約１５％〜約８９％、又は更には約２５％〜約５０％の分配変性剤及び／又は密度変性剤と、を含む、コアと、
ｂ）前記コアをカプセル化するシェルであって、全シェル重量に基づいて、約５０％〜約１００％、約７０％〜約１００％、又は更には約８０％〜約１００％のポリアクリレートを含む、シェルと、
を含む、組成物を作製するプロセス。
【請求項８】
前記粒子が、前記補助剤と合わせられるスラリー中に含有される、請求項７に記載の組成物を作製するプロセス。
【請求項９】
前記スラリーが、水；二価塩等の凝集阻害物質；キサンタンガム、グアーガム、カルボキシメチルセルロース等の粒子懸濁ポリマーからなる群から選択される１つ以上の加工助剤を含む、請求項８に記載の組成物を作製するプロセス。
【請求項１０】
前記粒子が、前記補助剤と合わせられる凝集体中に含有される、請求項７に記載の組成物を作製するプロセス。
【請求項１１】
前記凝集体が、シリカ、クエン酸、炭酸ナトリウム、硫酸ナトリウム、塩化ナトリウム、及び結合剤、例えば、ケイ酸ナトリウム、変性セルロース、ポリエチレングリコール、ポリアクリレート、ポリアクリル酸、ゼオライト、並びにそれらの混合物からなる群から選択される材料を含む、請求項１０に記載の組成物を作製するプロセス。
【請求項１２】
前記ポリアクリレートが、ポリアクリレートランダムコポリマーを含み、前記ポリアクリレートランダムコポリマーが、全ポリアクリレート重量に基づいて、
ａ）約０．２％〜約２．０％のアミン含量、
ｂ）約０．６％〜約６．０％のカルボン酸、又は
ｃ）約０．１％〜約１．０％のアミン含量及び約０．３％〜約３．０％のカルボン酸
を含む、請求項１に記載の組成物。
【請求項１３】
消費者製品を形成するために、補助剤成分を粒子と合わせる工程を含む、組成物作製プロセスであって、
前記粒子は、
ａ）コア組成物を形成するために、分配変性剤及び／又は密度変性剤を含む有益剤中の多官能アクリレートモノマー及び／又は多官能アクリレートオリゴマー、１つの態様では多官能メタクリレートモノマー及び／又は多官能メタクリレートオリゴマーを、
ｉ．）アミンアクリレート及び／若しくはメタクリレート並びに強酸、又は
ｉｉ．）カルボン酸アクリレート及び／若しくはメタクリレートモノマー並びに強塩基、又は
ｉｉｉ．）アミンアクリレート及び／若しくはメタクリレートモノマー並びにカルボン酸アクリレート及び／若しくはカルボン酸メタクリレートモノマー
を含む組成物と反応させるプロセスと、
ｂ）前記コア組成物、界面活性剤、１つの態様ではアニオン性、カチオン性、又は中性界面活性剤、及び水を含むエマルションを形成するプロセスと、
ｃ）十分なフリーラジカル重合を誘導して、前記有益剤を含むコアと、アクリレートを含み前記有益剤をカプセル化するシェルと、を有する粒子を形成するために、十分な量の熱、紫外線、及び／又は電子ビームエネルギーを前記エマルションに印加することによって、前記エマルションを硬化するプロセスと、
によって製造されることを特徴とする、プロセス。
【請求項１４】
補助剤成分と、請求項１３に記載のプロセスを含むプロセスによって製造される粒子と、を含む、組成物。
【請求項１５】
前記組成物補助剤が、ポリマー、１つの態様ではカチオン性ポリマー、界面活性剤、ビルダー、キレート剤、移染防止剤、分散剤、酵素、酵素安定剤、触媒物質、漂白剤活性化剤、高分子分散剤、粘土質土壌除去剤／再付着防止剤、増白剤、染料ポリマー共役体、染料粘土共役体、泡抑制剤、染料、漂白剤触媒、追加の香料及び／又は香料送達系、構造弾性化剤、柔軟剤、キャリア、ヒドロトロープ、加工助剤、レオロジー変性剤、構造化体、増粘剤、顔料、水、並びにそれらの混合物からなる群から選択される、請求項１に記載の組成物。
【請求項１６】
染料、香料、光学的増白剤、レオロジー変性剤、構造化体、増粘剤、沈着助剤、及びそれらの混合物からなる群から選択される材料を含む、請求項１に記載の組成物。
【請求項１７】
前記粒子が、約２〜約１０、約３〜約９、又は更には約４〜約８のｐＨ範囲でカチオン性電荷を有する、請求項１に記載の組成物。
【請求項１８】
前記組成物が、多糖類、１つの態様ではカチオン変性デンプン及び／又はカチオン変性グアー、ポリシロキサン；ポリジアリルジメチルアンモニウムハロゲン化物；ポリジアリルジメチルアンモニウムクロライドとポリビニルピロリドンとのコポリマー；ポリエチレングリコール及びポリビニルピロリドンを含む組成物；アクリルアミド；イミダゾール；イミダゾリニウムハロゲン化物；ポリビニルアミン；ポリビニルアミンとＮ−ビニルホルムアミドとのコポリマー；ポリビニルホルムアミド、ポリビニルアルコール；ホウ酸架橋ポリビニルアルコール；ポリアクリル酸；ポリグリセロールエーテルシリコーンクロスポリマー、ポリアクリル酸、ポリアクリレート、ポリビニルアミンとアミンのポリビニルアルコールオリゴマーとのコポリマー、１つの態様ではジエチレントリアミン、エチレンジアミン、ビス（３−アミノプロピル）ピペラジン、Ｎ，Ｎ−ビス−（３−アミノプロピル）メチルアミン、トリス（２−アミノエチル）アミン、及びそれらの混合物；ポリエチレンイミン、誘導体化ポリエチレンイミン、１つの態様ではエトキシ化ポリエチレンイミン；ポリブタジエン、ポリイソプレン、ポリブタジエン／スチレン、ポリブタジエン／アクリロニトリル、カルボキシル末端ポリブタジエン／アクリロニトリル、又はそれらの組み合わせの主鎖上のカルボン酸部分、アミン部分、ヒドロキシル部分、及びニトリル部分からなる部分から選択される少なくとも２つの部分を含む高分子化合物；カチオン性ポリマーと組み合わせたアニオン性界面活性剤の予備形成コアセルベート；ポリアミン；並びにそれらの混合物を含む群から選択されるポリマーを含む沈着助剤を含む、請求項１に記載の組成物。
【請求項１９】
前記粒子の少なくとも７５％が、約０．２ＭＰａ〜約３０ＭＰａ、好ましくは、約０．６ＭＰａ〜約１０ＭＰａ、より好ましくは、約１．０ＭＰａ〜約５ＭＰａ、最も好ましくは、約１．２ＭＰａ〜約３ＭＰａの破壊強度を有する、請求項１に記載の組成物。
【請求項２０】
前記組成物が、２０秒-1の剪断速度かつ２１℃で、１〜７０００ｃｐｓの高剪断粘度と、低剪断（２１℃で０．５秒-1の剪断速度）で、１０００ｃｐｓ超、又は更には１０００ｃｐｓ〜２００，０００ｃｐｓの粘度と、を有する、レオロジー変性剤、増粘剤、及び／又は構造化体を含む、請求項１に記載の組成物。
１つの態様では、洗浄及び処理組成物に関してかかるレオロジー変性剤は、水性液体組成物に、約２０秒-1及び２１℃にて５０〜３０００ｃｐｓの高剪断粘度、並びに低剪断（２１℃において剪断速度０．５秒-1）にて１０００ｃｐｓ超又は更には１０００ｃｐｓ〜２００，０００ｃｐｓの粘度を付与する。１つの態様では、好適なレオロジー変性剤、増粘剤、及び／又は構造化体は、ポリアクリレート、ポリメタクリレート、ポリカルボキシレート；ペクチン、アルギネート、アラビノガラクタン（アラビアゴム）、カラギーナン、ジェランガム、キサンタンガム、及びグアーガム等のポリマーガム；ジェランガム等のその他の非ガム多糖類、並びにこれらのポリマー材料の組み合わせ、ヒドロキシル含有脂肪酸、脂肪酸エステル又は脂肪ワックス、ヒマシ油及びその誘導体、硬化ヒマシ油及び硬化ヒマシワックス等の硬化ヒマシ油誘導体；並びにそれらの混合物からなる群から選択され得る。
【請求項２１】
前記組成物が、流体洗剤であり、かつ全流体洗剤重量に基づいて、約８０％未満の水、約６０％未満〜約２％の水、約４５％〜約７％の水、約３５％〜約９％の水を含む、請求項１に記載の組成物。
【請求項２２】
１秒-1の剪断速度で、約１０ｃｐｓ〜約９９９ｃｐｓ、又は更には約１００ｃｐｓ〜約８００ｃｐｓの粘度を有する、請求項１に記載の組成物。
【請求項２３】
全ゲル重量に基づいて、約４５％未満の水、約４５％未満〜約２％の水、約４５％〜約７％の水、約３５％〜約９％の水を含み、かつ約１，０００ｃｐｓ〜約１０，０００ｃｐｓ、又は更には約１，２００ｃｐｓ〜約８，０００ｃｐｓの純粘度（neat viscosity）を有するゲルである、請求項１に記載の組成物。
【請求項２４】
前記組成物が、流体布地強化剤、固体布地強化剤、流体シャンプー、固体シャンプー、ヘアコンディショナー、ボディソープ、固体制汗剤、流体制汗剤、固体脱臭剤、流体脱臭剤、流体保湿剤、固体保湿剤、流体ローション、流体洗顔クレンザー、固体洗顔クレンザー、流体化粧品、固体化粧品、流体毛髪着色剤組成物、固体毛髪着色剤組成物、流体洗剤、固体洗剤、流体硬表面洗浄剤、固体硬表面洗浄剤、又は洗剤及び前記洗剤をカプセル化する水溶性被膜を含む単位用量洗剤である、請求項１に記載の組成物。
【請求項２５】
部位を処理及び／又は洗浄する方法であって、前記方法が、
ａ）前記部位を任意に洗浄及び／又はすすぐ工程と、
ｂ）前記部位を、請求項１〜６、１２、及び１４〜２４のいずれか一項に記載の組成物と接触させる工程と、
ｃ）前記部位を任意に洗浄及び／又はすすぐ工程と、
を含む、方法。
【請求項２６】
請求項１〜６、１２、及び１４〜２４のいずれか一項に記載の組成物で処理される部位。
【発明の詳細な説明】
【技術分野】
【０００１】
本発明は、カプセル化有益剤、かかるカプセル化有益剤を含む組成物、並びにかかるカプセル化有益剤を含む組成物の製造プロセス及び使用プロセスに関する。
【背景技術】
【０００２】
香料、シリコーン、ワックス、香味料、ビタミン、及び柔軟剤等の有益剤は高価であり、パーソナルケア組成物、洗浄組成物、及び布地ケア組成物において高濃度で使用される場合、概して効果が弱い。結果として、かかる有益剤の効率を最大限にすることが望ましい。この目標を達成する１つの方法は、配合され、配合された製品組成物中で熟成する間のかかる有益剤の保持及びかかる有益剤の送達効率を改善することである。残念ながら、かかる有益剤が有益剤の物理的又は化学的特性のために喪失され得るか、あるいはかかる有益剤が他の組成成分又は処理される部位と不適合であり得ることから、有益剤の保持力及び送達効率を改善することは困難である。
【０００３】
有益剤の送達効率を改善するために、多くの場合、当業界はこのような有益剤をカプセル化した。１つの態様では、米国特許第４，００１，１４０号、同第４，０８１，３７６号、及び同第４，０８９，８０２号は、尿素とホルムアルデヒドとの間の反応を利用するカプセル形成の方法を開示する。１つの態様では、米国特許第４，１００，１０３号は、メラミンとホルムアルデヒドとの間の反応を開示する。重縮合反応を介して尿素ホルムアルデヒド樹脂及び／又はメラミンホルムアルデヒド樹脂からマイクロカプセルを形成することは、米国特許第４，００１，１４０号、同第４，０８１，３７６号、同第４，０８９，８０２号、同第４，１００，１０３号、同第４，０１５，８２３号、及び同第４，４４４，６９９号に開示されている。あるいは、ポリ（尿素）及び／又はポリ（ウレタン）カプセルを製造するために、重縮合とともに界面重合を利用することができる。かかるマイクロカプセルの壁は、ポリイソシアネートとポリアミン及び／又はポリオールとの反応の反応生成物であり、米国特許第６，２４８，３６４号、欧州特許第０５３７１６７  Ｂ１号、及び米国特許出願第２００２／０１３６７７３  Ａ１号に開示されている。あるいは、分散した有益剤の周囲に壁を確立するために複合コアセルベーション法を利用することができる。かかるマイクロカプセルの壁は、アニオン性ポリマー及びカチオン性ポリマー並びに／又は界面活性剤の反応生成物であり、任意に架橋反応が続く。ゼラチン等のカチオン性ポリマーとともにポリホスフェート又は多糖類等のアニオン性ポリマーを使用することは、米国特許第４，６２２，２６７号に開示されている。あるいは、有益剤のコアを無機シェルで包囲することができる。かかるカプセルは、国際特許公開第ＷＯ２００９／１０６３１８Ａ２号に開示されている。
【０００４】
あるいは、有益剤のコアを包囲するために、アクリレート及びアクリル酸のエステルを採用することができ、かかるカプセルは、米国特許第６，９５１，８３６  Ｂ２号及び米国特許出願第２００９／０２８９２１６  Ａ１号に開示されている。当該技術分野において説明される１つのアプローチは、アクリレート材料を含む多孔性ビーズを製造することであり、それをその後に有益剤で充填することができ、かかるアプローチは、米国特許第５，１４５，６７５号、国際特許公開第ＷＯ２００００４１５２８号、米国特許第５，８５６，４０９号、米国特許出願第２００５／０１２１１４３  Ａ１号、米国特許出願第２００５／０１２９７５９  Ａ１号，及び米国特許第５，７２５，８６９号に開示されている。当該技術分野において開示される別のアプローチは、例えば、ｐＨの変化の際に送達系からの有益剤の放出を引き起こすためのアクリレートの腸溶コーティングとしての使用についてであり、かかるアプローチは、国際特許公開第ＷＯ２００５０５５９９０号、米国特許出願第２０１０／０００３５１８  Ａ１号、国際特許公開第ＷＯ２００８０５８８６８号、米国特許第６，３７５，９８３号、米国特許出願第２００２／０１０２２８６  Ａ１号に記載されている。別のアプローチは、界面重合を利用することであり、アクリレートモノマーは、疎水性有益剤中に分散し、後に油／水界面に移動する分散したモノマーの重合が続いて、有益剤を包囲するシェルを形成する。かかるアプローチは、米国特許第５，２９２，８３５号、米国特許出願第２００３／０１２５２２２  Ａ１号、及び米国特許出願第２００５／００４３０７８  Ａ１号に開示されている。かかるマイクロカプセルは、部位への適用中又は適用後の有益剤の漏れ及び有益剤放出の制御の両方を管理する能力に欠けている。
【先行技術文献】
【特許文献】
【０００５】
【特許文献１】米国特許第４，００１，１４０号
【特許文献２】米国特許第４，０８１，３７６号
【特許文献３】米国特許第４，０８９，８０２号
【特許文献４】米国特許第４，１００，１０３号
【特許文献５】米国特許第４，０１５，８２３号
【特許文献６】米国特許第４，４４４，６９９号
【特許文献７】米国特許第６，２４８，３６４号
【特許文献８】欧州特許第０５３７１６７  Ｂ１号
【特許文献９】米国特許出願第２００２／０１３６７７３  Ａ１号
【特許文献１０】米国特許第４，６２２，２６７号
【特許文献１１】国際特許公開第ＷＯ２００９／１０６３１８Ａ２号
【特許文献１２】米国特許第６，９５１，８３６  Ｂ２号
【特許文献１３】米国特許出願第２００９／０２８９２１６  Ａ１号
【特許文献１４】米国特許第５，１４５，６７５号
【特許文献１５】国際特許公開第ＷＯ２００００４１５２８号
【特許文献１６】米国特許第５，８５６，４０９号
【特許文献１７】米国特許出願第２００５／０１２１１４３  Ａ１号
【特許文献１８】米国特許出願第２００５／０１２９７５９  Ａ１号
【特許文献１９】米国特許第５，７２５，８６９号
【特許文献２０】国際特許公開第ＷＯ２００５０５５９９０号
【特許文献２１】米国特許出願第２０１０／０００３５１８  Ａ１号
【特許文献２２】国際特許公開第ＷＯ２００８０５８８６８号
【特許文献２３】米国特許第６，３７５，９８３号
【特許文献２４】米国特許出願第２００２／０１０２２８６  Ａ１号
【特許文献２５】米国特許第５，２９２，８３５号
【特許文献２６】米国特許出願第２００３／０１２５２２２  Ａ１号
【特許文献２７】米国特許出願第２００５／００４３０７８  Ａ１号
【発明の概要】
【発明が解決しようとする課題】
【０００６】
残念ながら、上述の方法及び原材料を用いて製造されたカプセルは、いくつかの欠点を有し、それには（１）厳しい配合制限の理由から、それらをある特定の部類の製品に配合することができないこと、（２）高濃度の界面活性剤、溶媒、及び／又は水を含有する製品に組み込まれるとき、それらは高い透過性を有し、そのため早期の有益剤放出がもたらされること、（３）それらは制限された幅の有益剤のみ効率的にカプセル化することができること、（４）それらは非常に安定しているため、使用中に有益剤を放出しないか、あるいはそれらを消費者製品に組み込み、かつ／あるいは消費者製品を製造するのに必要なプロセスに耐えるのに不十分な機械的安定性を有するかのいずれかであること、並びに（５）それらはカプセルを含有する消費者製品で処理される部位上に十分に沈着しないことが含まれる。
【０００７】
結果的に、上述の欠点のうちの１つ以上を排除又は最小化するカプセル化有益剤、組成物の必要性が存在する。
【課題を解決するための手段】
【０００８】
本発明は、カプセル化有益剤、かかるカプセル化有益剤を含む組成物、並びにかかるカプセル化有益剤を含む組成物の製造プロセス及び使用プロセスに関する。かかるカプセル化有益剤は、現在のカプセル化有益剤の欠点のうちの１つ以上を排除又は最小化し、したがって、配合者に更なる香料送達機会を提供する。
【発明を実施するための形態】
【０００９】
定義
本明細書で使用される「消費者製品」は、それが販売される形態での使用又は消費を目的とし、かつその後の商業生産又は改良を目的としないベビーケア、パーソナルケア、布地＆ホームケア、ファミリーケア、女性用ケア、ヘルスケア、スナック及び／若しくは飲料製品、又はデバイスを意味する。このような製品には、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；脱臭剤及び制汗剤；パーソナルクレンジング；化粧品；消費者使用のためのクリーム、ローション、及び他の局所適用製品の適用を含むスキンケア；並びにシェービング製品、空気ケア、車ケア、食器洗浄、布地コンディショニング（柔軟化など）、洗濯洗浄、洗濯及びすすぎ補助剤及び／又はケア、硬質表面洗浄及び／又は処理、並びに消費者用又は業務用の他の洗浄などの、布地、硬質表面、並びに布地及びホームケア領域内の任意の他の表面処理に関する製品及び／又は方法；トイレットペーパー、フェイシャルティッシュ、紙ハンカチ、及び／又は紙タオルに関連する製品及び／又は方法；タンポン、女性用ナプキン；練り歯磨き、歯用ジェル、歯用リンス、義歯接着剤、歯ホワイトニングなどの口腔ケアに関連する製品及び／又は方法；咳及び風邪治療薬、鎮痛剤、処方薬、ペットヘルスと栄養、及び水精製などの店頭販売のヘルスケア；主として慣習的な食事間用又は食事随伴物としての消費が意図される加工食品（非限定的な実施例としては、ポテトチップス、トルティーヤチップス、ポップコーン、プレッツェル、コーンチップス、シリアルバー、野菜チップス又はクリスプ、スナックミックス、パーティミックス、マルチグレインチップス、スナッククラッカー、チーズスナック、ポークラインズ、コーンスナック、ペレットスナック、押出成形スナック及びベーグルチップが挙げられる）；並びにコーヒーが挙げられるが、これらに限定されない。
【００１０】
本明細書で使用される「洗浄組成物」という用語は、特に指示がない限り、粒状又は粉末状の汎用又は「強力」洗浄剤、特に洗浄洗剤；液体、ゲル、又はペースト状の汎用洗浄剤、特にいわゆる強力液体型洗浄剤；上質布地用液体洗剤、手洗い用食器洗い洗剤又は軽質食器洗い洗剤、特に高発泡型洗剤；家庭用及び業務用の種々の錠剤、粒状、液体、及びすすぎ助剤型を含む食器洗い機用洗剤；抗菌手洗い型、洗浄バー、マウスウォッシュ、入れ歯洗浄剤、歯磨剤、自動車又はカーペット用シャンプー、浴室洗剤剤；ヘアシャンプー及びヘアリンス；シャワージェル及び発泡入浴剤、並びに金属洗浄剤などの液体洗浄及び殺菌剤；並びに泡基材、被膜、及びそれらの組み合わせ等の洗浄助剤、漂白添加剤及び「ステインスティック」又は前処理型、ドライヤー付与シート、乾燥及び湿潤型拭取り布及びパッド、不織布基材、及びスポンジ等の基材付与製品；並びにスプレー剤及びミスト剤を含む。
【００１１】
本明細書で使用するとき、用語「布地ケア組成物」は、特に指示がない限り、布地柔軟化組成物、布地向上組成物、布地フレッシュニング組成物及びこれらの組み合わせを含む。
【００１２】
本明細書で使用される「パーソナルケア組成物」という用語は、特に指示がない限り、皮膚及び／又は毛髪を含む体の角質表面に適用することができる任意のパーソナルケア組成物を含む。パーソナルケア組成物は、例えば、バー、液体、エマルション、シャンプー、ゲル、粉末、スティック、ヘアコンディショナー（洗い流すタイプ及び洗い流さないタイプ）、ヘアトニック、ペースト、毛髪着色剤、スプレー、ムース、及び／又はその他の整髪製品、並びにシェービング準備製品、及びシェービングに使用されるデバイスとして配合することができる。
【００１３】
本明細書で使用するとき、用語「流体」は、液体、ゲル、ペースト及びガスの製品形態を含む。
【００１４】
本明細書で使用するとき、「固体」という用語は、顆粒、粉末、バー、及び錠剤の製品形態を意味する。
【００１５】
本明細書で使用するとき、用語「部位」には、紙製品、繊維、衣服、硬質表面、毛髪、及び皮膚が含まれる。
【００１６】
本明細書で使用するとき、「粒子」、「有益剤送達粒子」、「カプセル」、及び「マイクロカプセル」という用語は同義であり、マイクロカプセルは、香料マイクロカプセルを包含する。
【００１７】
本明細書で使用するとき、「ａ」及び「ａｎ」などの冠詞は、特許請求の範囲で使用されるときには、請求又は記載されるものの１つ以上を意味するものと理解される。
【００１８】
本明細書で使用するとき、用語「含む（include）」、「含む（includes）」及び「含んでいる（including）」は、非限定的であることを意味する。
【００１９】
本出願人らの発明のパラメータの各値を求めるためには、本出願の試験方法の項で開示する試験方法を用いるべきである。
【００２０】
特記しない限り、成分又は組成物の濃度は全て、当該成分又は組成物の活性部分に関するものであり、このような成分又は組成物の市販の供給源に存在し得る不純物、例えば残留溶媒又は副生成物は除外される。
【００２１】
百分率及び比率は全て、特に指示しない限り、重量で計算される。百分率及び比率は全て、特に指示しない限り、組成物全体を基準にして計算される。
【００２２】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。
【００２３】
粒子
現在のカプセル化有益剤は、コアセルベーション、重縮合、界面重合、乳化重合、溶媒蒸発、溶媒交換、凍結乾燥、ナノ沈殿、噴霧乾燥、押出し、流動床コーティング、及びそれらの組み合わせを含むプロセスによって作製される。上述のように、かかるカプセル化有益剤は、特定の欠点を有する。
【００２４】
出願者のカプセル化有益剤は、界面重合プロセスによって作製される。理論によって拘束されるものではないが、出願者は、材料及び上述のプロセスの適切な選択が出願者のカプセル化有益剤の改善された驚くべき特性をもたらすと考えている。かかる改善された特性には、正しい範囲の透過性及び脆弱性を伴う必須の安全性プロファイル、並びに広範囲の有益剤をカプセル化する能力が含まれる。要するに、本発明に従って製造される粒子は、制限なく消費者製品において採用することができ、有益剤の驚くほど低い漏れを呈し、なおかつ使用中にそれらの有益剤を十分に放出する。
【００２５】
１つの態様では、前記粒子のそれぞれが独立して、約２マイクロメートル〜約８０マイクロメートル、約５マイクロメートル〜約５０マイクロメートル、又は更には約１０マイクロメートル〜約３０マイクロメートルの粒径を有し、各粒子が、
ａ．）全粒子重量に基づいて、約６％〜約９９．９％、約１１％〜約９５％、又は約５０％〜約７５％の有益剤と、約０．１％〜約９４％、約５％〜約８９％、又は更には約２５％〜約５０％の分配変性剤及び／又は密度変性剤と、を含む、コアと、
ｂ．）前記コアをカプセル化するシェルであって、全シェル重量に基づいて、約５０％〜約１００％、約７０％〜約１００％、又は更には約８０％〜約１００％のポリアクリレートを含む、シェルと、を含む。
【００２６】
前記粒子の１つの態様では、前記粒子は、香料、増白剤、虫除け剤、シリコーン、ワックス、香味料、ビタミン、繊維製品用柔軟剤、スキンケア剤、酵素、プロバイオティクス、染料ポリマー共役体、染料粘土共役体、香料送達系、１つの態様では冷却剤である感覚剤、１つの態様ではフェロモンである誘引剤、抗菌剤、染料、顔料、漂白剤、及びそれらの混合物からなる群から選択される材料を含んでもよい。
【００２７】
前記粒子の１つの態様では、前記有益剤は、
ａ．）香油と、
ｂ．）約４、若しくは約５、若しくは約７、若しくは更には約１１超のＣｌｏｇＰを有する油溶性材料、及び／又は１立方センチメートル当たり１グラムより高い密度も有する材料からなる群から選択される、分配変性剤と、を含んでもよい。１つの態様では、好適な分配変性剤は、Ｃ4〜Ｃ24脂肪酸及びグリセリンのモノ、ジ、及びトリエステル；ポリグリセロールオリゴマーの脂肪酸エステル；ポリαオレフィン；シリコーン油；ポリエーテル置換された構造単位及びアクリル酸架橋を含む架橋シリコーン；ポリグリセロールエーテルシリコーンクロスポリマー；アルキル置換セルロース；ヒドロキシプロピルセルロース；側鎖結晶基を有するアクリル酸又はメタクリル酸の脂肪酸エステル；エチレン及び酢酸ビニル、エチレン及びビニルアルコール、エチレン／アクリルエラストマーを含むエチレンのコポリマー；アセチルカリオフィレン、ヘキサロース、オレイン酸ブチル、硬化ヒマシ油、安息香酸スクロース、ドデカン酸、パルミチン酸、ステアリン酸、テトラデカノール、ヘキサデカノール、１−オクタンジオール、ミリスチン酸イソプロピル、ヒマシ油、鉱油、イソパラフィン、カプリル酸トリグリセリド、大豆油、植物油、臭素化植物油、ブロモヘプタン、スクロースオクタアセテート、パルミチン酸ゲラニル、アセチルカリオフィレン、安息香酸スクロース、オレイン酸ブチル、シリコーン、ポリジメチルシロキサン、ビタミンＥ、デカメチルシクロペンタシロキサン、ドデカメチルシクロヘキサシロキサン、大豆油酸スクロース、ステアリン酸スクロース、大豆油脂肪酸スクロース（sucrosesoyanate）、ラウリルアルコール、１−テトラデカノール、１−ヘキサデカノール、セチルアルコール、１−オクタデカノール、１−ドコサノール、２−オクチル−１−ドデカノール、香油、１つの態様では＞５のＣｌｏｇＰを有する香油、１つの態様ではオクタデカン酸、オクタデシルエステルからなる群から選択され得る香油；テトラコサン、２，６，１０，１５，１９，２３−ヘキサメチル−；オクタデカン酸、１，２，３−プロパントリオール中に溶解されるジエステル；イソトリデカン、１，１’−［（３，７−ジメチル−６−オクテニリデン）ビス（オキシ）］ビス−；テトラデカン酸、オクタデシルエステル；２，６，１０，１４，１８，２２−テトラコサヘキサエン、２，６，１０，１５，１９，２３−ヘキサメチル−、（すべて−Ｅ）−；トリコサン；ドコサン；ヘキサデカン酸、ドデシルエステル；１，２−ベンゼンジカルボン酸、ジドデシルエステル；デカン酸、１，２，３−プロパントリイルエステル；１−ウンデセン、１１，１１−ビス［（３，７−ジメチル−６−オクテニル）オキシ］−；ヘンエイコサン；ベンゼン、［２−［ビス［（３，７−ジメチル−２，６−オクタジエニル）オキシ］メチル］−１−；１−ウンデセン、１１，１１−ビス［（３，７−ジメチル−２，６−オクタジエニル）オキシ］−；ベンゼン、［２−［ビス［（１−エテニル−１，５−ジメチル−４−ヘキセニル）オキシ］メチル］−１−；ドデカン酸、テトラデシルエステル；２Ｈ−１−ベンゾピラン−６−オール、３，４−ジヒドロ−２，５，７，８−テトラメチル−２−（４，８，１２−トリメチルトリデシル）−���［２Ｒ−［２Ｒ*（４Ｒ*，８Ｒ*）］］−；オクタン酸、オクタデシルエステル；エイコサン；２Ｈ−１−ベンゾピラン−６−オール、３，４−ジヒドロ−２，５，８−トリメチル−２−（４，８，１２−トリメチルトリデシル）−、［２Ｒ*（４Ｒ*，８Ｒ*）］−；２−ナフタレノール、１−［６−（２，２−ジメチル−６−メチレンシクロヘキシル）−４−メチル−３−ヘキセニル］デカヒドロ−２，５，５，８ａ−テトラメチル−、［１Ｒ−［１α［Ｅ（Ｓ*）］，２β，４ａβ，８ａα］］−；２Ｈ−１−ベンゾピラン−６−オール、３，４−ジヒドロ−２，７，８−トリメチル−２−（４，８，１２−トリメチルトリデシル）−、［２Ｒ−［２Ｒ*（４Ｒ*，８Ｒ*）］］−；ヘプタン酸、オクタデシルエステル；ノナデカン；２，４，６，８，１０，１２，１４，１６−ヘプタデカオクタエナール、２，６，１１，１５−テトラメチル−１７−（２，６，６−トリメチル−１−シクロヘキセン−１−イル）−、（２Ｅ，４Ｅ，６Ｅ，８Ｅ，１０Ｅ，１２Ｅ，１４Ｅ，１６Ｅ）−；２Ｈ−１−ベンゾピラン−６−オール、３，４−ジヒドロ−２，８−ジメチル−２−（４，８，１２−トリメチルトリデシル）−、［２Ｒ−［２Ｒ*（４Ｒ*，８Ｒ*）］］−；ヘキサデカン酸、２−エチルヘキシルエステル；１，２−ベンゼンジカルボン酸、ジデシルエステル；オクタデカン；安息香酸、２−［［２−（フェニルメチレン）オクチリデン］アミノ］−，１−エテニル−１，５−ジメチル−４−ヘキセニルエステル；オクタデカン酸、３−メチルブチルエステル；デカン酸、１，２，３−プロパントリオールオクタノエートとのエステル；ヘプタデカン；１−ヘキサデセン、７，１１，１５−トリメチル−３−メチレン−；ドデカン酸、デシルエステル；オクタデカン酸、ブチルエステル；デカン二酸、ビス（２−エチルヘキシル）エステル；ベンゼン、［２，２−ビス［（３，７−ジメチル−６−オクテニル）オキシ］エチル］−；ベンゼン、［２，２−ビス［（３，７−ジメチル−２，６−オクタジエニル）オキシ］エチル］−；９−オクタデセン酸（Ｚ）−、ブチルエステル；オクタン酸、１，２，３−プロパントリイルエステル；ヘキサデカン；シクロヘキセン、４−（５−メチル−１−メチレン−４−ヘキセニル）−１−（４−メチル−３−ペンテニル）−；２−ヘキサデセン−１−オール、３，７，１１，１５−テトラメチル−、アセテート、［Ｒ−［Ｒ*，Ｒ*−（Ｅ）］］−；ヘキサデカン酸、ブチルエステル；オクタデカン酸、エチルエステル；１−ドデカノール、２−オクチル−；ペンタデカン；テトラデカン酸、ヘキシルエステル；デカン酸、デシルエステル；酢酸、オクタデシルエステル；ヘキサデカン酸、２−メチルプロピルエステル；９−オクタデセン酸（Ｚ）−、エチルエステル；ヘプタデカン酸、エチルエステル；オクタデカン酸、メチルエステル；テトラデカン；テトラデカン酸、３−メチルブチルエステル；２−ヘキサデセン−１−オール、３，７，１１，１５−テトラメチル−、［Ｒ−［Ｒ*，Ｒ*−（Ｅ）］］−；２−ヘキサデセン−１−オール、３，７，１１，１５−テトラメチル−；ヘキサデカン酸、１−メチルエチルエステル；１Ｈ−インドール、１，１’−（３，７−ジメチル−６−オクテニリデン）ビス−；オクタデカン酸；シクロペンタシロキサン、デカメチル−；安息香酸、２−［［２−（フェニルメチレン）オクチリデン］アミノ］−，３−メチルブチルエステル；９，１２−オクタデカジエン酸（Ｚ，Ｚ）−、エチルエステル；１−オクタデカノール；ヘキサン二酸、ジオクチルエステル；９−オクタデセン酸（Ｚ）−、メチルエステル；オクタデカン酸、２−ヒドロキシプロピルエステル；テトラデカン酸、ブチルエステル；ドデカン酸、ヘキシルエステル；９，１２，１５−オクタデカトリエン酸、エチルエステル、（Ｚ，Ｚ，Ｚ）−；ヘキサデカン酸、エチルエステル；１−ヘキサデカノール、アセテート；９−オクタデセン酸（Ｚ）−；ヘキサン二酸、ビス（２−エチルヘキシル）エステル；１，８，１１，１４−ヘプタデカテトラエン；１，８，１１，１４−ヘプタデカテトラエン；１，８，１１，１４−ヘプタデカテトラエン；９−オクタデセン−１−オール、（Ｚ）−；テトラデカン酸、２−メチルプロピルエステル；ノナン酸、１−メチル−１，２−エタンジイルエステル；トリデカン；ナフタレン、デカヒドロ−１，６−ジメチル−４−（１−メチルエチル）−、［１Ｓ−（１α，４α，４ａα，６α，８ａβ）］−、ジデヒドロ誘導体；１−ヘキサデシン−３−オール、３，７，１１，１５−テトラメチル−；９，１２−オクタデカジエン酸（Ｚ，Ｚ）−、メチルエステル；１−ヘプタデカノール；６，１０，１４−ヘキサデカトリエン−３−オール、３，７，１１，１５−テトラメチル−；安息香酸、２−［［［４−（４−メチル−３−ペンテニル）−３−シクロヘキセン−１−イル］メチレン］アミノ］−、メチルエステル；９，１２−オクタデカジエン酸（Ｚ，Ｚ）−；２−ノネン、１，１’−オキシビス−；サンタロール、ベンゼンアセテート；１０−ウンデセン酸、ヘプチルエステル；９，１２，１５−オクタデカトリエン酸、メチルエステル、（Ｚ，Ｚ，Ｚ）−；オクタデカン酸、１，２，３−プロパントリオールとのモノエステル；ドデカン酸、ペンチルエステル；オクタン酸、ノニルエステル；ペンタデカン酸、エチルエステル；ヘキサデカン酸、メチルエステル；ドデカン酸、４−メチルフェニルエステル；ドデカン酸、３−メチルブチルエステル；テトラデカン酸、１−メチルエチルエステル；ヘキサデカン酸；１−フェナントレンカルボン酸、テトラデカヒドロ−１，４ａ−ジメチル−７−（１−メチルエチル）−、メチルエステル、［１Ｒ−（１α，４ａβ，４ｂα，７β，８ａβ，１０ａα）］−；１−ヘキサデカノール；ドデカン；２−ペンタデカノン、６，１０，１４−トリメチル−；９−ヘプタデカノン；１−フェナントレンメタノール、１，２，３，４，４ａ，４ｂ，５，６，１０，１０ａ−デカヒドロ−１，４ａ−ジメチル−７−（１−メチルエチル）−、アセテート、［１Ｒ−（１α，４ａβ，４ｂα，１０ａα）］−；イソヘキサデカノール；ドデカン酸、２−メチルプロピルエステル；ヘキサデカンニトリル；オクタデカン酸、２，３−ジヒドロキシプロピルエステル；イソドデカン；１−フェナントレンメタノール、テトラデカヒドロ−１，４ａ−ジメチル−７−（１−メチルエチル）−；オクタン酸、３，７−ジメチル−２，６−オクタジエニルエステル、（Ｅ）−；ドデカン酸、ブチルエステル；テトラデカン酸、エチルエステル；ブタン酸、ドデシルエステル；安息香酸、２−アミノ−、デシルエステル；オキサシクロヘプタデカン−２−オン；プロパン酸、２−メチル−、ドデシルエステル；１Ｈ−インデン、オクタヒドロ−１，１，２，３，３−ペンタメチル−；１−フェナントレンカルボン酸、１，２，３，４，４ａ，４ｂ，５，６，７，８，１０，１０ａ−ドデカヒドロ−１，４ａ−ジメチル−７−（１−メチルエチル）−、メチルエステル；９−オクタデセン酸（Ｚ）−、１，２，３−プロパントリオールとのエステル；９，１２，１５−オクタデカトリエン酸、（Ｚ，Ｚ，Ｚ）−；１，４，８−シクロウンデカトリエン、２，６，６，９−テトラメチル−、（Ｅ，Ｅ，Ｅ）−；１−フェナントレンメタノール、ドデカヒドロ−１，４ａ−ジメチル−７−（１−メチルエチル）−；安息香酸、３，４，５−トリヒドロキシ−、ドデシルエステル；１Ｈ−インドール−１−ヘプタノール、エータ−１Ｈ−インドール−１−イル−α，α，エプシロン−；シクロドデカン；９−ヘキサデセン酸、（Ｚ）−；安息香酸、２−［［２−（フェニルメチレン）ヘプチリデン］アミノ］−、メチル；９−オクタデセン酸（Ｚ）−、２，３−ジヒドロキシプロピルエステル；２−ナフタレンカルボキスアルデヒド、５，６，７，８−テトラヒドロ−３，５，５，６，７，８，８−ヘプタメチル−、トランス−；オクタン酸、１−エテニル−１，５−ジメチル−４−ヘキセニルエステル；２−ヘキサデカノン；及びそれらの混合物を含む材料からなる群から選択される材料を含んでもよく；並びに／又は臭素化植物油；スクロースオクタアセテート；ブロモヘプタン；二酸化チタン；酸化亜鉛、酸化鉄、酸化コバルト、酸化ニッケル、酸化銀、酸化銅、酸化ジルコニウム、シリカ；銀；亜鉛；鉄；コバルト；ニッケル；銅；エポキシ化大豆油ポリオール、１ｈ−インデン、２，３−ジヒドロ−１，１，３，３，５−ペンタメチル−４，６−ジニトロ−；ベンゼン、（２−ブロモエテニル）−；ベンゼン酢酸、２−メトキシ−４−（１−プロペニル）フェニルエステル；エタノ
ン、１−（２，５−ジメチル−３−チエニル）−；オキシランカルボン酸、３−（４−メトキシフェニル）−、エチルエステル；安息香酸、２−［（１−ヒドロキシ−３−フェニルブチル）アミノ］−、メチルエステル；１，３−ベンゾジオキソール−５−カルボン酸、エチルエステル；１，３−ベンゾジオキソール、５−（２−プロペニル）−；安息香酸、４−メトキシ−；ベンゼンメタノール、α−（トリクロロメチル）−、アセテート；フェノール、２−メトキシ−４−（２−プロペニル）−、フォルメート；フェノール、２−メトキシ−４−（２−プロペニル）−、ベンゾエート；２−プロペン−１−オール、３−フェニル−、ベンゾエート；ベンゼン酢酸、３−メチルフェニルエステル；ベンゼン、１−（１，１−ジメチルエチル）−３，４，５−トリメチル−２，６−ジニトロ−；ベンゼン酢酸、４−メチルフェニルエステル；ベンゼン酢酸、フェニルメチルエステル；ベンゼン酢酸、（４−メトキシフェニル）メチルエステル；２−プロペン酸、３−フェニル−、フェニルメチルエステル；２−プロペン酸、３−フェニル−、２−フェニルエチルエステル；ベンゼン酢酸、２−メトキシ−４−（２−プロペニル）フェニルエステル；フェノール、２−（メチルチオ）−；安息香酸、２−［［３−（１，３−ベンゾジオキソール−５−イル）−２−メチルプロピリデン］アミノ］−、メチルエステル；安息香酸、２−［［３−（４−メトキシフェニル）−２−メチルプロピリデン］アミノ］−，メチルエステル；安息香酸、３，５−ジメトキシ−；安息香酸、２−ヒドロキシ−、フェニルエステル；安息香酸、２−ヒドロキシ−、フェニルメチルエステル；安息香酸、２−ヒドロキシ−、エチルエステル；安息香酸、２−ヒドロキシ−、メチルエステル；安息香酸、２−アミノ−、メチルエステル；エタノン、２−ヒドロキシ−１，２−ジフェニル−；安息香酸、４−ヒドロキシ−、エチルエステル；安息香酸、フェニルメチルエステル；１，３−ベンゾジオキソール、５−（１−プロペニル）−；ベンゾチアゾール、２−メチル−；５ｈ−ジベンゾ［ａ，ｄ］シクロヘプテン−５−オン、１０，１１−ジヒドロ−；オキシランカルボン酸、３−フェニル−、エチルエステル；安息香酸、４−メトキシ−、メチルエステル；２−プロペン酸、３−フェニル−、３−フェニル−２−プロペニルエステル；トリシクロ［３．３．１．１３，７］デカン−２−オール、４−メチル−８−メチレン−；トリシクロ［３．３．１．１３，７］デカン−２−オール、４−メチル−８−メチレン−、アセテート；メタノン、ビス（２，４−ジヒドロキシフェニル）−；メタノン、（２−ヒドロキシ−４−メトキシフェニル）フェニル−；ジベンゾフラン；安息香酸、２−アミノ−、２−フェニルエチルエステル；エタノン、１−（ナフタレニル）−；フラン、２，２’−［チオビス（メチレン）］ビス−；１，２，３−プロパントリオール、トリプロパノエート；２−プロペン酸、３−フェニル−、（ｅ）−；フェノール、４−エチル−２，６−ジメトキシ−；ジスルフィド、メチルフェニル；安息香酸、２−［［（４−メトキシフェニル）メチレン］アミノ］−、メチルエステル；２−プロペン酸、３−（２−メトキシフェニル）−、���ｚ）−；８−キノリノール；ジスルフィド、ビス（フェニルメチル）；１，２−プロパンジオール、ジベンゾエート；ベンゼン、１−ブロモ−４−エテニル−；トリスルフィド、ジ−２−プロペニル；フェノール、２，６−ジメトキシ−４−（１−プロペニル）−、（ｅ）−；ベンゼン、（２−イソチオシアナトエチル）−；安息香酸、２−ヒドロキシ−５−メチル−、メチルエステル；１，２，４−トリチオラン、３，５−ジメチル−；プロパン酸、２−（メチルジチオ）−、エチルエステル；安息香酸、２−ヒドロキシ−、シクロヘキシルエステル；安息香酸、２−［（１−オキソプロピル）アミノ］−、メチルエステル；エタンチオ酸、ｓ−（４，５−ジヒドロ−２−メチル−３−フラニル）エステル；安息香酸、２−（アセチルアミノ）−、メチルエステル；１，３，５−トリチアン、２，４，６−トリメチル−；安息香酸、２−アミノ−、プロピルエステル；ブタン酸、１−ナフタレニルエステル；安息香酸、２，４−ジヒドロキシ−３−メチル−、メチルエステル；トリスルフィド、メチル２−プロペニル；２−フランメタノール、ベンゾエート；安息香酸、２−ヒドロキシ−５−メチル−、エチルエステル；ベンゼン、（２，２−ジクロロ−１−メチルシクロプロピル）−；２−チオフェンカルボキスアルデヒド、５−エチル−；安息香酸、［（フェニルメチレン）アミノ］−、メチルエステル；スピロ［１，３−ジチオロ［４，５−ｂ］フラン−２，３’（２’ｈ）−フラン］、ヘキサヒドロ−２’，３ａ−ジメチル−；１，３−ベンゾジオキソール、５−（ジエトキシメチル）−；シクロドデカ［ｃ］フラン、１，３，３ａ，４，５，６，７，８，９，１０，１１，１３ａ−ドデカヒドロ−；ベンゼン酢酸、２−メトキシフェニルエステル；２−ベンゾフランカルボキスアルデヒド；１，２，４−トリチアン、３−メチル−；フラン、２，２’−［ジチオビス（メチレン）］ビス−；１，６−ヘプタジエン−３，５−ジオン、１，７−ビス（４−ヒドロキシ−３−メトキシフェニル）−、（ｅ，ｅ）−；安息香酸、２，４−ジヒドロキシ−３，６−ジメチル−、メチルエステル；安息香酸、２−ヒドロキシ−４−メトキシ−、メチルエステル；プロパン酸、２−メチル−、１，３−ベンゾジオキソール−５−イルメチルエステル；１，２，４−トリチオラン、３，５−ジエチル−；１，２，４−トリチオラン、３，５−ビス（１−メチルエチル）−；フラン、２−［（メチルジチオ）メチル］−；テトラスルフィド、ジメチル；ベンゼンアセトアルデヒド、α−（２−フラニルメチレン）−；安息香酸、３−メトキシ−；ベンゼンカルボチオ酸、ｓ−メチルエステル；安息香酸、２−メトキシ−、メチルエステル；安息香酸、２−ヒドロキシ−、４−メチルフェニルエステル；安息香酸、２−ヒドロキシ−、プロピルエステル；２−プロペン酸、３−（２−メトキシフェニル）−；２−プロペン酸、３−（３−メトキシフェニル）−；安息香酸、２−ヒドロキシ−４−メトキシ−６−メチル−、エチルエステル；ベンズアルデヒド、２−ヒドロキシ−５−メチル−；１，２，３−プロパントリオール、トリベンゾエート；安息香酸、４−メチルフェニルエステル；２−フランカルボン酸、プロピルエステル；安息��酸、２−ヒドロキシ−、２−メチルフェニルエステル；安息香酸、４−ヒドロキシ−３−メトキシ−、エチルエステル；２−プロペン酸、３−フェニル−；ベンゼン、１，３−ジブロモ−２−メトキシ−４−メチル−５−ニトロ−；ベンゼン、（イソチオシアナトメチル）−；２−プロペン酸、３−（２−フラニル）−、エチルエステル；ベンゼンメタンチオール、４−メトキシ−；２−チオフェンメタンチオール；ベンゼン、１，１’−［（２−フェニルエチリデン）ビス（オキシメチレン）］ビス−；フェノール、２，６−ジメトキシ−４−（２−プロペニル）−；安息香酸、２−［（２−フェニルエチリデン）アミノ］−、メチルエステル；ベンゼンプロパン酸、β−オキソ−、４−メチルフェニルエステル；１ｈ−インドール−３−ヘプタノール、エータ−１ｈ−インドール−３−イル−α，α，エプシロン−トリメチル−；安息香酸、２−ヒドロキシ−、３−メチル−２−ブテニルエステル；１，３−ベンゾジオキソール−５−プロパノール、α−メチル−、アセテート；チオフェン、２，２’−ジチオビス−；安息香酸、２−ヒドロキシ−；ベンズアルデヒド、２−ヒドロキシ−４−メチル−；ジスルフィド、メチルフェニルメチル；２−フランカルボン酸、２−フェニルエチルエステル；ベンゼンチオール、２−メトキシ−；安息香酸、２−［［（４−ヒドロキシ−３−メトキシフェニル）メチレン］アミノ］−，メチルエステル；エタノール、２−（４−メチルフェノキシ）−１−（２−フェニルエトキシ）−；ベンゼン酢酸、３−フェニル−２−プロペニルエステル；安息香酸、２−アミノ−、２−プロペニルエステル；ビシクロ［３．２．１］オクタン−８−オン、１，５−ジメチル−、オキシム；２−チオフェンチオール；フェノール、２−メトキシ−４−（１−プロペニル）−、フォルメート；安息香酸、２−アミノ−、シクロヘキシルエステル；フェノール、４−エテニル−２−メトキシ−；安息香酸、２−ヒドロキシ−、２−（１−メチルエトキシ）エチルエステル；エタノン、１−［４−（１，１−ジメチルエチル）−２，６−ジメチル−３，５−ジニトロフェニル］−；ベンゼン、１−（１，１−ジメチルエチル）−３，５−ジメチル−２，４，６−トリニトロ−；２−プロペン酸、３−（４−メトキシフェニル）−；ベンゼン、１−（１，１−ジメチルエチル）−２−メトキシ−４−メチル−３，５−ジニトロ−；１，２−ベンゼンジカルボン酸、ジエチルエステル；エタノン、１−（３，４−ジヒドロ−２ｈ−ピロール−５−イル）−；安息香酸、２−（メチルアミノ）−、メチルエステル；２ｈ−１−ベンゾピラン−２−オン、７−エトキシ−４−メチル−；安息香酸、２−ヒドロキシ−、２−フェニルエチルエステル；安息香酸、２−アミノ−、エチルエステル；２−プロペン−１−オール、３−フェニル−、２−アミノベンゾエート；フェノール、４−クロロ−３，５−ジメチル−；ジスルフィド、ジフェニル；１−ナフタレノール；［１，１’−ビフェニル］−２−オール；ベンゼンメタノール、α−フェニル−；２−ナフタレンチオール；エタノン、１−（２−ナフタレニル）−；フェノール、２−メトキシ−４−（１−プロペニル）−、アセテート；２−ナフタレノール、ベンゾエー���；安息香酸、フェニルエステル；ピリジン、２−［３−（２−クロロフェニル）プロピル］−；安息香酸、４−ヒドロキシ−、プロピルエステル；エタノン、１−（１−ナフタレニル）−；プロパン酸、３−［（２−フラニルメチル）チオ］−、エチルエステル；２−プロペン−１−オン、１，３−ジフェニル−；３−ピリジンカルボン酸、フェニルメチルエステル；安息香酸、２−フェニルエチルエステル；ピペリジン、１−［５−（１，３−ベンゾジオキソール−５−イル）−１−オキソ−２，４−ペンタジエニル］−，（ｅ，ｅ）−；ベンゾチアゾール；及びそれらの混合物からなる群から選択される密度変性剤を含んでもよい。
【００２８】
前記粒子の１つの態様では、前記香料は、３．５未満、３未満、又は更には約０．５〜約３のＣｌｏｇＰを有する、約２％〜約８０％、約２０％〜約７０％、約３０％〜約６０％の香料原材料を含んでもよい。
【００２９】
前記粒子の１つの態様では、前記香料は、１０億分の５０未満、１０億分の２５未満、又は更には１０億分の約０．１〜約１０億分の約２５の臭気検出閾値（ＯＤＴ）を有する、約２％〜約８０％、約２０％〜約７０％、約３０％〜約６０％の香料原材料を含んでもよい。
【００３０】
前記粒子の１つの態様では、前記ポリアクリレートは、ポリアクリレートランダムコポリマーを含んでもよく、前記ポリアクリレートランダムコポリマーは、全ポリアクリレート重量に基づいて、
ａ．）約０．２％〜約２．０％のアミン含量、
ｂ．）約０．６％〜約６．０％のカルボン酸、又は
ｃ．）約０．１％〜約１．０％のアミン含量及び約０．３％〜約３．０％のカルボン酸を含む。
【００３１】
前記粒子の１つの態様では、前記粒子は、約２〜約１０、約３〜約９、又は更には約４〜約８のｐＨ範囲でカチオン性電荷を有してもよい。
【００３２】
前記粒子の１つの態様では、前記粒子の少なくとも７５％は、約０．２ＭＰａ〜約３０ＭＰａ、約０．６ＭＰａ〜約１０ＭＰａ、約１．０ＭＰａ〜約５ＭＰａ、又は更には約１．２ＭＰａ〜約３ＭＰａの破壊強度を有してもよい。
【００３３】
１つの態様では、出願者の粒子は、本明細書に開示されるプロセスのうちのいずれかによって製造することができる。
【００３４】
粒子の製造プロセス
粒子を製造するプロセスである１つの態様では、前記粒子のそれぞれが独立して、約２マイクロメートル〜約８０マイクロメートル、約５マイクロメートル〜約５０マイクロメートル、又は更には約１０マイクロメートル〜約３０マイクロメートルの粒径を有し、各粒子は、
ａ．）全粒子重量に基づいて、約６％〜約９９．９％、約１１％〜約９５％、又は約５０％〜約７５％の有益剤と、約０．１％〜約９４％、約５％〜約８９％、又は更には約２５％〜約５０％の分配変性剤及び／又は密度変性剤を含む、コアと、
ｂ．）前記コアをカプセル化するシェルであって、全シェル重量に基づいて、約５０％〜約１００％、約７０％〜約１００％、又は更には約８０％〜約１００％のポリアクリレートを含む、シェルと、を含む。
【００３５】
１つの態様では、組成物作製プロセスであって、
ａ．）コア組成物を形成するために、分配変性剤及び／又は密度変性剤を含む有益剤中の多官能アクリレートモノマー及び／又は多官能アクリレートオリゴマー、１つの態様では多官能メタクリレートモノマー及び／又は多官能メタクリレートオリゴマーを、
ｉ）アミンアクリレート及び／若しくはメタクリレート並びに強酸、又は
ｉｉ）カルボン酸アクリレート及び／若しくはメタクリレートモノマー並びに強塩基、又は
ｉｉｉ）アミンアクリレート及び／若しくはメタクリレートモノマー並びにカルボン酸アクリレート及び／若しくはカルボン酸メタクリレートモノマー
を含む組成物と反応させるプロセスと、
ｂ．）前記コア組成物、界面活性剤、１つの態様ではアニオン性、カチオン性、又は中性界面活性剤、及び水を含むエマルションを形成するプロセスと、
ｃ．）十分なフリーラジカル重合を誘導して、前記有益剤を含むコアと、アクリレートを含み前記有益剤をカプセル化するシェルと、を有する粒子を形成するために、十分な量の熱、紫外線、及び／又は電子ビームエネルギーを前記エマルションに印加することによって、前記エマルションを硬化するプロセスと、を含むプロセスが開示される。
【００３６】
油の特性は、ポリアクリレートシェル物質が油／水界面で確立されるときの、その量、速度、及び透過性を決定する際に重要な役割を果たす。油相が高極性の物質を含む場合、これらの物質は、油／水界面へのアクリレートオリゴマー及びポリマーの拡散を減少させ、非常に薄い高透過性のシェルをもたらす。コアの極性を調整することができ、それによって、アクリレートオリゴマーに対して分配変性剤中の極性材料の分配係数を変えることができる分配変性剤の組み込みは、はっきりとした高不浸透性のシェルの確立をもたらしすことができる。本発明の１つの態様では、分配変性剤及び／又は密度変性剤は、壁形成モノマーが組み込まれる前に、コア油材料と合わせられる。
【００３７】
乳化剤は、水溶性又は水分散性材料、及び任意に水相開始剤を含み、第１の組成物開始剤及び水相開始剤は、エネルギー活性化開始剤である。第１の組成物及び第２の組成物の反応生成物は、コア材料の漏れの少ないマイクロカプセル壁を有するマイクロカプセルの集団の形成をもたらす。
【００３８】
本発明の１つの態様では、カプセル化有益剤粒子は、洗浄組成物を含有する界面活性剤に組み込まれると漏れを低下させる。本発明の１つの態様では、ヘッドスペース比は、約０．０５〜０．９０、約０．２０〜約０．８０、又は更には約０．２〜約０．４０である。ヘッドスペース比は、揮発性材料がカプセル化形態にあるときの消費者製品配合物のヘッドスペース中の揮発性材料の量を、非カプセル化形態と比較する。ヘッドスペース比は、カプセル化有益剤の漏れ安定性の相対測定値である。
【００３９】
本発明の１つの態様では、カプセル化有益剤は、製造されるのに引き続いて、粒子が例えば界面活性剤、ポリマー及び溶媒を含有するバルク環境に曝露されるときに、粒子からの有益剤の漏洩率を低減する物質によりコーティングされる。バリア材としての機能を果たすことができるコーティング材の非限定的な例には、ポリビニルピロリドンホモポリマー、並びにスチレン、酢酸ビニル、イミダゾール、第一級及び第二級アミン含有モノマー、メチルアクリレート、ポリビニルアセタール、無水マレイン酸とのその種々のコポリマー；ポリビニルアルコールホモポリマー、並びに酢酸ビニル、２−アクリルアミド−２−メチルプロパンスルホネート、第一級及び第二級アミン含有モノマー、イミダゾール、メチルアクリレートとのその種々のコポリマー；ポリアクリルアミド；ポリアクリル酸；微結晶ワックス；スチレンブタジエンラテックス；パラフィンワックス；モチトウモロコシ又はデントコーンデンプン、オクテニルコハク酸化デンプン、ヒドロキシエチル化若しくはヒドロキシプロピル化デンプン等の誘導体化デンプン、高アミロースデンプン、ゲル形成老化デンプン（gelformingretrogradablestarch）、予めゼラチン化されたデンプン、カラギーナン、グアーガム、アルギン酸ナトリウム、ペクチン、キサンタンガム等の変性多糖類；加水分解された酢酸セルロース、ヒドロキシプロピルセルロース、カルボキシメチルヒドロキシエチルセルロース、ヒドロキシエチルセルロース、メチルセルロース、微結晶性セルロース、セルロースナノ結晶を産出するために酸加水分解された微結晶性セルロース等の変性セルロース；ゼラチン、カゼイン等の変性タンパク質；水素化及び非水素化ポリアルケン、脂肪酸、ポリアクリル酸；ゼラチン−ポリホスフェート、四ホウ酸ナトリウム又はグルタルアルデヒドと架橋されたポリビニルアルコール等の硬化シェル；スチレンブタジエンラテックス、エチルセルロースラテックス、シリカ及び変性シリカラテックス；ケイ酸マグネシウム、アルミノシリケート、ケイ酸ナトリウム等を含む粘土などの無機物質；並びにそれらの混合物からなる群から選択される物質が挙げられる。かかる材料は、ＣＰ  Ｋｅｌｃｏ  Ｃｏｒｐ（Ｓａｎ  Ｄｉｅｇｏ，Ｃａｌｉｆｏｒｎｉａ，ＵＳＡ）、Ｄｅｇｕｓｓａ  ＡＧ（Ｄｕｓｓｅｌｄｏｒｆ，Ｇｅｒｍａｎｙ）、ＢＡＳＦ  ＡＧ（Ｌｕｄｗｉｇｓｈａｆｅｎ，Ｇｅｒｍａｎｙ）、Ｒｈｏｄｉａ  Ｃｏｒｐ．（Ｃｒａｎｂｕｒｙ，Ｎｅｗ  Ｊｅｒｓｅｙ，ＵＳＡ）、Ｂａｋｅｒ  Ｈｕｇｈｅｓ  Ｃｏｒｐ．（Ｈｏｕｓｔｏｎ，Ｔｅｘａｓ，ＵＳＡ）、Ｈｅｒｃｕｌｅｓ  Ｃｏｒｐ．（Ｗｉｌｍｉｎｇｔｏｎ，Ｄｅｌａｗａｒｅ，ＵＳＡ）、Ａｇｒｉｕｍ  Ｉｎｃ．（Ｃａｌｇａｒｙ，Ａｌｂｅｒｔａ，Ｃａｎａｄａ）、ＩＳＰ（Ｎｅｗ  Ｊｅｒｓｅｙ，Ｕ．Ｓ．Ａ）、Ｐｕｒｄｕｅ  Ｕｎｉｖｅｒｓｉｔｙ（Ｉｎｄｉａｎａ，ＵＳＡ）から入手することができる。
【００４０】
本明細書で開示されるプロセスに好適な設備としては、連続撹拌槽型反応器、ホモジナイザー、タービン撹拌器、再循環ポンプ、パドルミキサー、プラウ剪断（ploughshear）ミキサー、リボンブレンダー、垂直軸造粒機及びドラムミキサー（両方ともバッチ式であり、利用可能な場合は連続プロセスの形態では、スプレー乾燥機、及び押出成形機）が挙げられる。そのような設備は、Ｌｏｄｉｇｅ  ＧｍｂＨ（Ｐａｄｅｒｂｏｒｎ，Ｇｅｒｍａｎｙ）、Ｌｉｔｔｌｅｆｏｒｄ  Ｄａｙ，Ｉｎｃ．（Ｆｌｏｒｅｎｃｅ，Ｋｅｎｔｕｃｋｙ，Ｕ．Ｓ．Ａ．）、Ｆｏｒｂｅｒｇ  ＡＳ（Ｌａｒｖｉｋ，Ｎｏｒｗａｙ）、Ｇｌａｔｔ  Ｉｎｇｅｎｉｅｕｒｔｅｃｈｎｉｋ  ＧｍｂＨ（Ｗｅｉｍａｒ，Ｇｅｒｍａｎｙ）、Ｎｉｒｏ（Ｓｏｅｂｏｒｇ，Ｄｅｎｍａｒｋ）、Ｈｏｓｏｋａｗａ  Ｂｅｐｅｘ  Ｃｏｒｐ．（Ｍｉｎｎｅａｐｏｌｉｓ，Ｍｉｎｎｅｓｏｔａ，ＵＳＡ）、Ａｒｄｅ  Ｂａｒｉｎｃｏ（Ｎｅｗ  Ｊｅｒｓｅｙ，ＵＳＡ）から入手可能である。
【００４１】
スラリー／凝集体
１つの態様では、本明細書に開示される粒子のうちのいずれかを含み得るスラリーが開示される。前記スラリーは、組成物、例えば消費者製品を形成するために、補助剤成分と合わせてもよい。
【００４２】
前記スラリーの１つの態様では、１つ以上の加工助剤が、水；二価塩等の凝集阻害物質；粒子懸濁ポリマー；及びそれらの混合物からなる群から選択される。凝集阻害物質の例には、塩化マグネシウム、塩化カルシウム、臭化マグネシウム、硫酸マグネシウム、及びそれらの混合物等の粒子周囲で電荷遮蔽効果を有し得る塩が挙げられる。粒子懸濁ポリマーの例には、キサンタンガム、カラギーナンガム、グアーガム、シェラック、アルギネート、キトサン等のポリマー；カルボキシメチルセルロース、ヒドロキシプロピルメチルセルロース、カチオン帯電したセルロース系材料等のセルロース系材料：ポリアクリル酸；ポリビニルアルコール；硬化ヒマシ油；エチレングリコールジステアレート；及びそれらの混合物が挙げられる。
【００４３】
１つの態様では、前記スラリーは、水；二価塩等の凝集阻害物質；キサンタンガム、グアーガム、カルボキシメチルセルロース等の粒子懸濁ポリマーからなる群から選択される１つ以上の加工助剤を含んでもよい。
【００４４】
上述のスラリーの１つの態様では、前記１つ以上のキャリアは、水、エチレングリコール、プロピレングリコール、ポリエチレングリコール、グリセロールを含むがそれらに限定されない極性溶媒；鉱油、香料原材料、シリコーン油、炭化水素パラフィン油を含むがそれらに限定されない非極性溶媒；及びそれらの混合物からなる群から選択され得る。
【００４５】
前記スラリーの１つの態様では、前記スラリーは、多糖類、１つの態様ではカチオン変性デンプン及び／又はカチオン変性グアー、ポリシロキサン；ポリジアリルジメチルアンモニウムハロゲン化物；ポリジアリルジメチルアンモニウムクロライドとポリビニルピロリドンとのコポリマー；ポリエチレングリコール及びポリビニルピロリドンを含む組成物；アクリルアミド；イミダゾール；イミダゾリニウムハロゲン化物；ポリビニルアミン；ポリビニルアミンとＮ−ビニルホルムアミドとのコポリマー；ポリビニルホルムアミド、ポリビニルアルコール；ホウ酸架橋ポリビニルアルコール；ポリアクリル酸；ポリグリセロールエーテルシリコーンクロスポリマー、ポリアクリル酸、ポリアクリレート、ポリビニルアミンとアミンのポリビニルアルコールオリゴマーとのコポリマー、１つの態様ではジエチレントリアミン、エチレンジアミン、ビス（３−アミノプロピル）ピペラジン、Ｎ，Ｎ−ビス−（３−アミノプロピル）メチルアミン、トリス（２−アミノエチル）アミン、及びそれらの混合物；ポリエチレンイミン、誘導体化ポリエチレンイミン、１つの態様ではエトキシ化ポリエチレンイミン；ポリブタジエン、ポリイソプレン、ポリブタジエン／スチレン、ポリブタジエン／アクリロニトリル、カルボキシル末端ポリブタジエン／アクリロニトリル、又はそれらの組み合わせの主鎖上のカルボン酸部分、アミン部分、ヒドロキシル部分、及びニトリル部分からなる部分から選択される少なくとも２つの部分を含む高分子化合物；カチオン性ポリマーと組み合わせたアニオン性界面活性剤の予備形成コアセルベート；ポリアミン；並びにそれらの混合物を含む群から選択されるポリマーを含む沈着助剤を含んでもよい。
【００４６】
１つの態様では、前記粒子及び第２の物質を含む凝集体が開示される。
【００４７】
前記凝集体の１つの態様では、前記第２の物質は、シリカ、クエン酸、炭酸ナトリウム、硫酸ナトリウム、塩化ナトリウム、及び結合剤、例えば、ケイ酸ナトリウム、変性セルロース、ポリエチレングリコール、ポリアクリレート、ポリアクリル酸、ゼオライト、並びにそれらの混合物からなる群から選択される物質を含んでもよい。
【００４８】
粒子を含む組成物
本発明に従って製造される粒子は、制限なく消費者製品において採用することができ、有益剤の驚くほど低い漏れを呈し、なおかつ使用中にそれらの有益剤を十分に放出する。
【００４９】
１つの態様では、補助剤成分と、全組成物重量に基づいて、約０．１％〜約５０％、約０．２％〜約２５％、約０．５％〜約１０％、又は更には約０．７５％〜約５％の粒子と、を含む、組成物であって、前記粒子のそれぞれが独立して、約２マイクロメートル〜約８０マイクロメートル、約５マイクロメートル〜約５０マイクロメートル、又は更には約１０マイクロメートル〜約３０マイクロメートルの粒径を有し、各粒子は、
ａ．）全粒子重量に基づいて、約６％〜約９９．９％、約１１％〜約９５％、又は約５０％〜約７５％の有益剤と、約０．１％〜約９４％、約５％〜約８９％、又は更には約２５％〜約５０％の分配変性剤及び／又は密度変性剤と、を含む、コアと、
ｂ．）前記コアをカプセル化するシェルであって、全シェル重量に基づいて、約５０％〜約１００％、約７０％〜約１００％、又は更には約８０％〜約１００％のポリアクリレートを含む、シェルと、を含み、
前記組成物は、消費者製品である、組成物が開示される。
【００５０】
前記組成物の１つの態様では、前記有益剤は、香料、増白剤、虫除け剤、シリコーン、ワックス、香味料、ビタミン、繊維製品用柔軟剤、スキンケア剤、酵素、プロバイオティクス、染料ポリマー共役体、染料粘土共役体、香料送達系、１つの態様では冷却剤である感覚剤、１つの態様ではフェロモンである誘引剤、抗菌剤、染料、顔料、漂白剤、及びそれらの混合物からなる群から選択される材料を含んでもよい。
【００５１】
前記組成物の１つの態様では、前記有益剤は、
ａ．）香油と、
ｂ．）約４、若しくは約５、若しくは約７、若しくは更には約１１超のＣｌｏｇＰを有する油溶性材料、及び／又は１立方センチメートル当たり１グラムより高い密度も有する材料からなる群から選択される、分配変性剤と、を含んでもよい。１つの態様では、好適な分配変性剤は、Ｃ4〜Ｃ24脂肪酸及びグリセリンのモノ、ジ、及びトリエステル；ポリグリセロールオリゴマーの脂肪酸エステル；ポリαオレフィン；シリコーン油；ポリエーテル置換された構造単位及びアクリル酸架橋を含む架橋シリコーン；ポリグリセロールエーテルシリコーンクロスポリマー；アルキル置換セルロース；ヒドロキシプロピルセルロース；側鎖結晶基を有するアクリル酸又はメタクリル酸の脂肪酸エステル；エチレン及び酢酸ビニル、エチレン及びビニルアルコール、エチレン／アクリルエラストマーを含むエチレンのコポリマー；アセチルカリオフィレン、ヘキサロース、オレイン酸ブチル、硬化ヒマシ油、安息香酸スクロース、ドデカン酸、パルミチン酸、ステアリン酸、テトラデカノール、ヘキサデカノール、１−オクタンジオール、ミリスチン酸イソプロピル、ヒマシ油、鉱油、イソパラフィン、カプリル酸トリグリセリド、大豆油、植物油、臭素化植物油、ブロモヘプタン、スクロースオクタアセテート、パルミチン酸ゲラニル、アセチルカリオフィレン、安息香酸スクロース、オレイン酸ブチル、シリコーン、ポリジメチルシロキサン、ビタミンＥ、デカメチルシクロペンタシロキサン、ドデカメチルシクロヘキサシロキサン、大豆油酸スクロース、ステアリン酸スクロース、大豆油脂肪酸スクロース（sucrosesoyanate）、ラウリルアルコール、１−テトラデカノール、１−ヘキサデカノール、セチルアルコール、１−オクタデカノール、１−ドコサノール、２−オクチル−１−ドデカノール、香油、１つの態様では＞５のＣｌｏｇＰを有する香油、１つの態様ではオクタデカン酸、オクタデシルエステルからなる群から選択され得る香油；テトラコサン、２，６，１０，１５，１９，２３−ヘキサメチル−；オクタデカン酸、１，２，３−プロパントリオール中に溶解されるジエステル；イソトリデカン、１，１’−［（３，７−ジメチル−６−オクテニリデン）ビス（オキシ）］ビス−；テトラデカン酸、オクタデシルエステル；２，６，１０，１４，１８，２２−テトラコサヘキサエン、２，６，１０，１５，１９，２３−ヘキサメチル−、（すべて−Ｅ）−；トリコサン；ドコサン；ヘキサデカン酸、ドデシルエステル；１，２−ベンゼンジカルボン酸、ジドデシルエステル；デカン酸、１，２，３−プロパントリイルエステル；１−ウンデセン、１１，１１−ビス［（３，７−ジメチル−６−オクテニル）オキシ］−；ヘンエイコサン；ベンゼン、［２−［ビス［（３，７−ジメチル−２，６−オクタジエニル）オキシ］メチル］−１−；１−ウンデセン、１１，１１−ビス［（３，７−ジメチル−２，６−オクタジエニル）オキシ］−；ベンゼン、［２−［ビス［（１−エテニル−１，５−ジメチル−４−ヘキセニル）オキシ］メチル］−１−；ドデカン酸、テトラデシルエステル；２Ｈ−１−ベンゾピラン−６−オール、３，４−ジヒドロ−２，５，７，８−テトラメチル−２−（４，８，１２−トリメチルトリデシル）−���［２Ｒ−［２Ｒ*（４Ｒ*，８Ｒ*）］］−；オクタン酸、オクタデシルエステル；エイコサン；２Ｈ−１−ベンゾピラン−６−オール、３，４−ジヒドロ−２，５，８−トリメチル−２−（４，８，１２−トリメチルトリデシル）−、［２Ｒ*（４Ｒ*，８Ｒ*）］−；２−ナフタレノール、１−［６−（２，２−ジメチル−６−メチレンシクロヘキシル）−４−メチル−３−ヘキセニル］デカヒドロ−２，５，５，８ａ−テトラメチル−、［１Ｒ−［１α［Ｅ（Ｓ*）］，２β，４ａβ，８ａα］］−；２Ｈ−１−ベンゾピラン−６−オール、３，４−ジヒドロ−２，７，８−トリメチル−２−（４，８，１２−トリメチルトリデシル）−、［２Ｒ−［２Ｒ*（４Ｒ*，８Ｒ*）］］−；ヘプタン酸、オクタデシルエステル；ノナデカン；２，４，６，８，１０，１２，１４，１６−ヘプタデカオクタエナール、２，６，１１，１５−テトラメチル−１７−（２，６，６−トリメチル−１−シクロヘキセン−１−イル）−、（２Ｅ，４Ｅ，６Ｅ，８Ｅ，１０Ｅ，１２Ｅ，１４Ｅ，１６Ｅ）−；２Ｈ−１−ベンゾピラン−６−オール、３，４−ジヒドロ−２，８−ジメチル−２−（４，８，１２−トリメチルトリデシル）−、［２Ｒ−［２Ｒ*（４Ｒ*，８Ｒ*）］］−；ヘキサデカン酸、２−エチルヘキシルエステル；１，２−ベンゼンジカルボン酸、ジデシルエステル；オクタデカン；安息香酸、２−［［２−（フェニルメチレン）オクチリデン］アミノ］−，１−エテニル−１，５−ジメチル−４−ヘキセニルエステル；オクタデカン酸、３−メチルブチルエステル；デカン酸、１，２，３−プロパントリオールオクタノエートとのエステル；ヘプタデカン；１−ヘキサデセン、７，１１，１５−トリメチル−３−メチレン−；ドデカン酸、デシルエステル；オクタデカン酸、ブチルエステル；デカン二酸、ビス（２−エチルヘキシル）エステル；ベンゼン、［２，２−ビス［（３，７−ジメチル−６−オクテニル）オキシ］エチル］−；ベンゼン、［２，２−ビス［（３，７−ジメチル−２，６−オクタジエニル）オキシ］エチル］−；９−オクタデセン酸（Ｚ）−、ブチルエステル；オクタン酸、１，２，３−プロパントリイルエステル；ヘキサデカン；シクロヘキセン、４−（５−メチル−１−メチレン−４−ヘキセニル）−１−（４−メチル−３−ペンテニル）−；２−ヘキサデセン−１−オール、３，７，１１，１５−テトラメチル−、アセテート、［Ｒ−［Ｒ*，Ｒ*−（Ｅ）］］−；ヘキサデカン酸、ブチルエステル；オクタデカン酸、エチルエステル；１−ドデカノール、２−オクチル−；ペンタデカン；テトラデカン酸、ヘキシルエステル；デカン酸、デシルエステル；酢酸、オクタデシルエステル；ヘキサデカン酸、２−メチルプロピルエステル；９−オクタデセン酸（Ｚ）−、エチルエステル；ヘプタデカン酸、エチルエステル；オクタデカン酸、メチルエステル；テトラデカン；テトラデカン酸、３−メチルブチルエステル；２−ヘキサデセン−１−オール、３，７，１１，１５−テトラメチル−、［Ｒ−［Ｒ*，Ｒ*−（Ｅ）］］−；２−ヘキサデセン−１−オール、３，７，１１，１５−テトラメチル−；ヘキサデカン酸、１−メチルエチルエステル；１Ｈ−インドール、１，１’−（３，７−ジメチル−６−オクテニリデン）ビス−；オクタデカン酸；シクロペンタシロキサン、デカメチル−；安息香酸、２−［［２−（フェニルメチレン）オクチリデン］アミノ］−，３−メチルブチルエステル；９，１２−オクタデカジエン酸（Ｚ，Ｚ）−、エチルエステル；１−オクタデカノール；ヘキサン二酸、ジオクチルエステル；９−オクタデセン酸（Ｚ）−、メチルエステル；オクタデカン酸、２−ヒドロキシプロピルエステル；テトラデカン酸、ブチルエステル；ドデカン酸、ヘキシルエステル；９，１２，１５−オクタデカトリエン酸、エチルエステル、（Ｚ，Ｚ，Ｚ）−；ヘキサデカン酸、エチルエステル；１−ヘキサデカノール、アセテート；９−オクタデセン酸（Ｚ）−；ヘキサン二酸、ビス（２−エチルヘキシル）エステル；１，８，１１，１４−ヘプタデカテトラエン；１，８，１１，１４−ヘプタデカテトラエン；１，８，１１，１４−ヘプタデカテトラエン；９−オクタデセン−１−オール、（Ｚ）−；テトラデカン酸、２−メチルプロピルエステル；ノナン酸、１−メチル−１，２−エタンジイルエステル；トリデカン；ナフタレン、デカヒドロ−１，６−ジメチル−４−（１−メチルエチル）−、［１Ｓ−（１α，４α，４ａα，６α，８ａβ）］−、ジデヒドロ誘導体；１−ヘキサデシン−３−オール、３，７，１１，１５−テトラメチル−；９，１２−オクタデカジエン酸（Ｚ，Ｚ）−、メチルエステル；１−ヘプタデカノール；６，１０，１４−ヘキサデカトリエン−３−オール、３，７，１１，１５−テトラメチル−；安息香酸、２−［［［４−（４−メチル−３−ペンテニル）−３−シクロヘキセン−１−イル］メチレン］アミノ］−、メチルエステル；９，１２−オクタデカジエン酸（Ｚ，Ｚ）−；２−ノネン、１，１’−オキシビス−；サンタロール、ベンゼンアセテート；１０−ウンデセン酸、ヘプチルエステル；９，１２，１５−オクタデカトリエン酸、メチルエステル、（Ｚ，Ｚ，Ｚ）−；オクタデカン酸、１，２，３−プロパントリオールとのモノエステル；ドデカン酸、ペンチルエステル；オクタン酸、ノニルエステル；ペンタデカン酸、エチルエステル；ヘキサデカン酸、メチルエステル；ドデカン酸、４−メチルフェニルエステル；ドデカン酸、３−メチルブチルエステル；テトラデカン酸、１−メチルエチルエステル；ヘキサデカン酸；１−フェナントレンカルボン酸、テトラデカヒドロ−１，４ａ−ジメチル−７−（１−メチルエチル）−、メチルエステル、［１Ｒ−（１α，４ａβ，４ｂα，７β，８ａβ，１０ａα）］−；１−ヘキサデカノール；ドデカン；２−ペンタデカノン、６，１０，１４−トリメチル−；９−ヘプタデカノン；１−フェナントレンメタノール、１，２，３，４，４ａ，４ｂ，５，６，１０，１０ａ−デカヒドロ−１，４ａ−ジメチル−７−（１−メチルエチル）−、アセテート、［１Ｒ−（１α，４ａβ，４ｂα，１０ａα）］−；イソヘキサデカノール；ドデカン酸、２−メチルプロピルエステル；ヘキサデカンニトリル；オクタデカン酸、２，３−ジヒドロキシプロピルエステル；イソドデカン；１−フェナントレンメタノール、テトラデカヒドロ−１，４ａ−ジメチル−７−（１−メチルエチル）−；オクタン酸、３，７−ジメチル−２，６−オクタジエニルエステル、（Ｅ）−；ドデカン酸、ブチルエステル；テトラデカン酸、エチルエステル；ブタン酸、ドデシルエステル；安息香酸、２−アミノ−、デシルエステル；オキサシクロヘプタデカン−２−オン；プロパン酸、２−メチル−、ドデシルエステル；１Ｈ−インデン、オクタヒドロ−１，１，２，３，３−ペンタメチル−；１−フェナントレンカルボン酸、１，２，３，４，４ａ，４ｂ，５，６，７，８，１０，１０ａ−ドデカヒドロ−１，４ａ−ジメチル−７−（１−メチルエチル）−、メチルエステル；９−オクタデセン酸（Ｚ）−、１，２，３−プロパントリオールとのエステル；９，１２，１５−オクタデカトリエン酸、（Ｚ，Ｚ，Ｚ）−；１，４，８−シクロウンデカトリエン、２，６，６，９−テトラメチル−、（Ｅ，Ｅ，Ｅ）−；１−フェナントレンメタノール、ドデカヒドロ−１，４ａ−ジメチル−７−（１−メチルエチル）−；安息香酸、３，４，５−トリヒドロキシ−、ドデシルエステル；１Ｈ−インドール−１−ヘプタノール、エータ−１Ｈ−インドール−１−イル−α，α，エプシロン−；シクロドデカン；９−ヘキサデセン酸、（Ｚ）−；安息香酸、２−［［２−（フェニルメチレン）ヘプチリデン］アミノ］−、メチル；９−オクタデセン酸（Ｚ）−、２，３−ジヒドロキシプロピルエステル；２−ナフタレンカルボキスアルデヒド、５，６，７，８−テトラヒドロ−３，５，５，６，７，８，８−ヘプタメチル−、トランス−；オクタン酸、１−エテニル−１，５−ジメチル−４−ヘキセニルエステル；２−ヘキサデカノン；及びそれらの混合物を含む材料からなる群から選択される材料を含んでもよく；並びに／又は臭素化植物油；スクロースオクタアセテート；ブロモヘプタン；二酸化チタン；酸化亜鉛、酸化鉄、酸化コバルト、酸化ニッケル、酸化銀、酸化銅、酸化ジルコニウム、シリカ；銀；亜鉛；鉄；コバルト；ニッケル；銅；エポキシ化大豆油ポリオール、１ｈ−インデン、２，３−ジヒドロ−１，１，３，３，５−ペンタメチル−４，６−ジニトロ−；ベンゼン、（２−ブロモエテニル）−；ベンゼン酢酸、２−メトキシ−４−（１−プロペニル）フェニルエステル；エタノ
ン、１−（２，５−ジメチル−３−チエニル）−；オキシランカルボン酸、３−（４−メトキシフェニル）−、エチルエステル；安息香酸、２−［（１−ヒドロキシ−３−フェニルブチル）アミノ］−、メチルエステル；１，３−ベンゾジオキソール−５−カルボン酸、エチルエステル；１，３−ベンゾジオキソール、５−（２−プロペニル）−；安息香酸、４−メトキシ−；ベンゼンメタノール、α−（トリクロロメチル）−、アセテート；フェノール、２−メトキシ−４−（２−プロペニル）−、フォルメート；フェノール、２−メトキシ−４−（２−プロペニル）−、ベンゾエート；２−プロペン−１−オール、３−フェニル−、ベンゾエート；ベンゼン酢酸、３−メチルフェニルエステル；ベンゼン、１−（１，１−ジメチルエチル）−３，４，５−トリメチル−２，６−ジニトロ−；ベンゼン酢酸、４−メチルフェニルエステル；ベンゼン酢酸、フェニルメチルエステル；ベンゼン酢酸、（４−メトキシフェニル）メチルエステル；２−プロペン酸、３−フェニル−、フェニルメチルエステル；２−プロペン酸、３−フェニル−、２−フェニルエチルエステル；ベンゼン酢酸、２−メトキシ−４−（２−プロペニル）フェニルエステル；フェノール、２−（メチルチオ）−；安息香酸、２−［［３−（１，３−ベンゾジオキソール−５−イル）−２−メチルプロピリデン］アミノ］−、メチルエステル；安息香酸、２−［［３−（４−メトキシフェニル）−２−メチルプロピリデン］アミノ］−，メチルエステル；安息香酸、３，５−ジメトキシ−；安息香酸、２−ヒドロキシ−、フェニルエステル；安息香酸、２−ヒドロキシ−、フェニルメチルエステル；安息香酸、２−ヒドロキシ−、エチルエステル；安息香酸、２−ヒドロキシ−、メチルエステル；安息香酸、２−アミノ−、メチルエステル；エタノン、２−ヒドロキシ−１，２−ジフェニル−；安息香酸、４−ヒドロキシ−、エチルエステル；安息香酸、フェニルメチルエステル；１，３−ベンゾジオキソール、５−（１−プロペニル）−；ベンゾチアゾール、２−メチル−；５ｈ−ジベンゾ［ａ，ｄ］シクロヘプテン−５−オン、１０，１１−ジヒドロ−；オキシランカルボン酸、３−フェニル−、エチルエステル；安息香酸、４−メトキシ−、メチルエステル；２−プロペン酸、３−フェニル−、３−フェニル−２−プロペニルエステル；トリシクロ［３．３．１．１３，７］デカン−２−オール、４−メチル−８−メチレン−；トリシクロ［３．３．１．１３，７］デカン−２−オール、４−メチル−８−メチレン−、アセテート；メタノン、ビス（２，４−ジヒドロキシフェニル）−；メタノン、（２−ヒドロキシ−４−メトキシフェニル）フェニル−；ジベンゾフラン；安息香酸、２−アミノ−、２−フェニルエチルエステル；エタノン、１−（ナフタレニル）−；フラン、２，２’−［チオビス（メチレン）］ビス−；１，２，３−プロパントリオール、トリプロパノエート；２−プロペン酸、３−フェニル−、（ｅ）−；フェノール、４−エチル−２，６−ジメトキシ−；ジスルフィド、メチルフェニル；安息香酸、２−［［（４−メトキシフェニル）メチレン］アミノ］−、メチルエステル；２−プロペン酸、３−（２−メトキシフェニル）−、���ｚ）−；８−キノリノール；ジスルフィド、ビス（フェニルメチル）；１，２−プロパンジオール、ジベンゾエート；ベンゼン、１−ブロモ−４−エテニル−；トリスルフィド、ジ−２−プロペニル；フェノール、２，６−ジメトキシ−４−（１−プロペニル）−、（ｅ）−；ベンゼン、（２−イソチオシアナトエチル）−；安息香酸、２−ヒドロキシ−５−メチル−、メチルエステル；１，２，４−トリチオラン、３，５−ジメチル−；プロパン酸、２−（メチルジチオ）−、エチルエステル；安息香酸、２−ヒドロキシ−、シクロヘキシルエステル；安息香酸、２−［（１−オキソプロピル）アミノ］−、メチルエステル；エタンチオ酸、ｓ−（４，５−ジヒドロ−２−メチル−３−フラニル）エステル；安息香酸、２−（アセチルアミノ）−、メチルエステル；１，３，５−トリチアン、２，４，６−トリメチル−；安息香酸、２−アミノ−、プロピルエステル；ブタン酸、１−ナフタレニルエステル；安息香酸、２，４−ジヒドロキシ−３−メチル−、メチルエステル；トリスルフィド、メチル２−プロペニル；２−フランメタノール、ベンゾエート；安息香酸、２−ヒドロキシ−５−メチル−、エチルエステル；ベンゼン、（２，２−ジクロロ−１−メチルシクロプロピル）−；２−チオフェンカルボキスアルデヒド、５−エチル−；安息香酸、［（フェニルメチレン）アミノ］−、メチルエステル；スピロ［１，３−ジチオロ［４，５−ｂ］フラン−２，３’（２’ｈ）−フラン］、ヘキサヒドロ−２’，３ａ−ジメチル−；１，３−ベンゾジオキソール、５−（ジエトキシメチル）−；シクロドデカ［ｃ］フラン、１，３，３ａ，４，５，６，７，８，９，１０，１１，１３ａ−ドデカヒドロ−；ベンゼン酢酸、２−メトキシフェニルエステル；２−ベンゾフランカルボキスアルデヒド；１，２，４−トリチアン、３−メチル−；フラン、２，２’−［ジチオビス（メチレン）］ビス−；１，６−ヘプタジエン−３，５−ジオン、１，７−ビス（４−ヒドロキシ−３−メトキシフェニル）−、（ｅ，ｅ）−；安息香酸、２，４−ジヒドロキシ−３，６−ジメチル−、メチルエステル；安息香酸、２−ヒドロキシ−４−メトキシ−、メチルエステル；プロパン酸、２−メチル−、１，３−ベンゾジオキソール−５−イルメチルエステル；１，２，４−トリチオラン、３，５−ジエチル−；１，２，４−トリチオラン、３，５−ビス（１−メチルエチル）−；フラン、２−［（メチルジチオ）メチル］−；テトラスルフィド、ジメチル；ベンゼンアセトアルデヒド、α−（２−フラニルメチレン）−；安息香酸、３−メトキシ−；ベンゼンカルボチオ酸、ｓ−メチルエステル；安息香酸、２−メトキシ−、メチルエステル；安息香酸、２−ヒドロキシ−、４−メチルフェニルエステル；安息香酸、２−ヒドロキシ−、プロピルエステル；２−プロペン酸、３−（２−メトキシフェニル）−；２−プロペン酸、３−（３−メトキシフェニル）−；安息香酸、２−ヒドロキシ−４−メトキシ−６−メチル−、エチルエステル；ベンズアルデヒド、２−ヒドロキシ−５−メチル−；１，２，３−プロパントリオール、トリベンゾエート；安息香酸、４−メチルフェニルエステル；２−フランカルボン酸、プロピルエステル；安息��酸、２−ヒドロキシ−、２−メチルフェニルエステル；安息香酸、４−ヒドロキシ−３−メトキシ−、エチルエステル；２−プロペン酸、３−フェニル−；ベンゼン、１，３−ジブロモ−２−メトキシ−４−メチル−５−ニトロ−；ベンゼン、（イソチオシアナトメチル）−；２−プロペン酸、３−（２−フラニル）−、エチルエステル；ベンゼンメタンチオール、４−メトキシ−；２−チオフェンメタンチオール；ベンゼン、１，１’−［（２−フェニルエチリデン）ビス（オキシメチレン）］ビス−；フェノール、２，６−ジメトキシ−４−（２−プロペニル）−；安息香酸、２−［（２−フェニルエチリデン）アミノ］−、メチルエステル；ベンゼンプロパン酸、β−オキソ−、４−メチルフェニルエステル；１ｈ−インドール−３−ヘプタノール、エータ−１ｈ−インドール−３−イル−α，α，エプシロン−トリメチル−；安息香酸、２−ヒドロキシ−、３−メチル−２−ブテニルエステル；１，３−ベンゾジオキソール−５−プロパノール、α−メチル−、アセテート；チオフェン、２，２’−ジチオビス−；安息香酸、２−ヒドロキシ−；ベンズアルデヒド、２−ヒドロキシ−４−メチル−；ジスルフィド、メチルフェニルメチル；２−フランカルボン酸、２−フェニルエチルエステル；ベンゼンチオール、２−メトキシ−；安息香酸、２−［［（４−ヒドロキシ−３−メトキシフェニル）メチレン］アミノ］−，メチルエステル；エタノール、２−（４−メチルフェノキシ）−１−（２−フェニルエトキシ）−；ベンゼン酢酸、３−フェニル−２−プロペニルエステル；安息香酸、２−アミノ−、２−プロペニルエステル；ビシクロ［３．２．１］オクタン−８−オン、１，５−ジメチル−、オキシム；２−チオフェンチオール；フェノール、２−メトキシ−４−（１−プロペニル）−、フォルメート；安息香酸、２−アミノ−、シクロヘキシルエステル；フェノール、４−エテニル−２−メトキシ−；安息香酸、２−ヒドロキシ−、２−（１−メチルエトキシ）エチルエステル；エタノン、１−［４−（１，１−ジメチルエチル）−２，６−ジメチル−３，５−ジニトロフェニル］−；ベンゼン、１−（１，１−ジメチルエチル）−３，５−ジメチル−２，４，６−トリニトロ−；２−プロペン酸、３−（４−メトキシフェニル）−；ベンゼン、１−（１，１−ジメチルエチル）−２−メトキシ−４−メチル−３，５−ジニトロ−；１，２−ベンゼンジカルボン酸、ジエチルエステル；エタノン、１−（３，４−ジヒドロ−２ｈ−ピロール−５−イル）−；安息香酸、２−（メチルアミノ）−、メチルエステル；２ｈ−１−ベンゾピラン−２−オン、７−エトキシ−４−メチル−；安息香酸、２−ヒドロキシ−、２−フェニルエチルエステル；安息香酸、２−アミノ−、エチルエステル；２−プロペン−１−オール、３−フェニル−、２−アミノベンゾエート；フェノール、４−クロロ−３，５−ジメチル−；ジスルフィド、ジフェニル；１−ナフタレノール；［１，１’−ビフェニル］−２−オール；ベンゼンメタノール、α−フェニル−；２−ナフタレンチオール；エタノン、１−（２−ナフタレニル）−；フェノール、２−メトキシ−４−（１−プロペニル）−、アセテート；２−ナフタレノール、ベンゾエー���；安息香酸、フェニルエステル；ピリジン、２−［３−（２−クロロフェニル）プロピル］−；安息香酸、４−ヒドロキシ−、プロピルエステル；エタノン、１−（１−ナフタレニル）−；プロパン酸、３−［（２−フラニルメチル）チオ］−、エチルエステル；２−プロペン−１−オン、１，３−ジフェニル−；３−ピリジンカルボン酸、フェニルメチルエステル；安息香酸、２−フェニルエチルエステル；ピペリジン、１−［５−（１，３−ベンゾジオキソール−５−イル）−１−オキソ−２，４−ペンタジエニル］−，（ｅ，ｅ）−；ベンゾチアゾール；及びそれらの混合物からなる群から選択される密度変性剤を含んでよい。
【００５２】
前記組成物の１つの態様では、前記香料は、３．５未満、３未満、又は更には約０．５〜約３のＣｌｏｇＰを有する、約２％〜約８０％、約２０％〜約７０％、約３０％〜約６０％の香料原材料を含んでもよい。
【００５３】
前記組成物の１つの態様では、前記香料は、１０億分の５０未満、１０億分の２５未満、又は更には１０億分の約０．１〜約１０億分の約２５の臭気検出閾値（ＯＤＴ）を有する、約２％〜約８０％、約２０％〜約７０％、約３０％〜約６０％の香料原材料を含んでもよい。
【００５４】
前記組成物の１つの態様では、前記組成物の前記ヘッドスペース比は、約０．０５〜０．９０、約０．２０〜約０．８０、又は更には約０．２〜約０．４０であり得る。
【００５５】
前記組成物の１つの態様では、前記ポリアクリレートは、ポリアクリレートランダムコポリマーを含んでもよく、前記ポリアクリレートランダムコポリマーは、全ポリアクリレート重量に基づいて、
ａ．）約０．２％〜約２．０％のアミン含量、
ｂ．）約０．６％〜約６．０％のカルボン酸、又は
ｃ．）約０．１％〜約１．０％のアミン含量及び約０．３％〜約３．０％のカルボン酸を含む。
【００５６】
前記組成物の１つの態様では、前記補助剤は、ポリマー、１つの態様ではカチオン性ポリマー、界面活性剤、ビルダー、キレート剤、移染防止剤、分散剤、酵素、酵素安定剤、触媒物質、漂白剤活性化剤、高分子分散剤、粘土質土壌除去剤／再付着防止剤、増白剤、染料ポリマー共役体、染料粘土共役体、泡抑制剤、染料、漂白剤触媒、追加の香料及び／又は香料送達系、構造弾性化剤、柔軟剤、キャリア、ヒドロトロープ、加工助剤、レオロジー変性剤、構造化体、増粘剤、顔料、水、並びにそれらの混合物からなる群から選択され得る。
【００５７】
前記組成物の１つの態様では、前記組成物は、染料、香料、光学的増白剤、レオロジー変性剤、構造化体、増粘剤、沈着助剤、及びそれらの混合物からなる群から選択される材料を含んでもよい。
【００５８】
前記組成物の１つの態様では、前記粒子は、約２〜約１０、約３〜約９、又は更には約４〜約８のｐＨ範囲でカチオン性電荷を有してもよい。
【００５９】
前記組成物の１つの態様では、前記組成物は、多糖類、１つの態様ではカチオン変性デンプン及び／又はカチオン変性グアー、ポリシロキサン；ポリジアリルジメチルアンモニウムハロゲン化物；ポリジアリルジメチルアンモニウムクロライドとポリビニルピロリドンとのコポリマー；ポリエチレングリコール及びポリビニルピロリドンを含む組成物；アクリルアミド；イミダゾール；イミダゾリニウムハロゲン化物；ポリビニルアミン；ポリビニルアミンとＮ−ビニルホルムアミドとのコポリマー；ポリビニルホルムアミド、ポリビニルアルコール；ホウ酸架橋ポリビニルアルコール；ポリアクリル酸；ポリグリセロールエーテルシリコーンクロスポリマー、ポリアクリル酸、ポリアクリレート、ポリビニルアミンとアミンのポリビニルアルコールオリゴマーとのコポリマー、１つの態様ではジエチレントリアミン、エチレンジアミン、ビス（３−アミノプロピル）ピペラジン、Ｎ，Ｎ−ビス−（３−アミノプロピル）メチルアミン、トリス（２−アミノエチル）アミン、及びそれらの混合物；ポリエチレンイミン、誘導体化ポリエチレンイミン、１つの態様ではエトキシ化ポリエチレンイミン；ポリブタジエン、ポリイソプレン、ポリブタジエン／スチレン、ポリブタジエン／アクリロニトリル、カルボキシル末端ポリブタジエン／アクリロニトリル、又はそれらの組み合わせの主鎖上のカルボン酸部分、アミン部分、ヒドロキシル部分、及びニトリル部分からなる部分から選択される少なくとも２つの部分を含む高分子化合物；カチオン性ポリマーと組み合わせたアニオン性界面活性剤の予備形成コアセルベート；ポリアミン；並びにそれらの混合物を含む群から選択されるポリマーを含む沈着助剤を含んでもよい。
【００６０】
前記組成物の１つの態様では、前記粒子の少なくとも７５％は、約０．２ＭＰａ〜約３０ＭＰａ、約０．６ＭＰａ〜約１０ＭＰａ、約１．０ＭＰａ〜約５ＭＰａ、又は更には約１．２ＭＰａ〜約３ＭＰａの破壊強度を有してもよい。
【００６１】
前記組成物の１つの態様では、前記組成物は、２０秒-1の剪断速度かつ２１℃で、１〜７０００ｃｐｓの高剪断粘度と、低剪断（２１℃で０．５秒-1の剪断速度）で、１０００ｃｐｓ超、又は更には１０００ｃｐｓ〜２００，０００ｃｐｓの粘度と、を有する、レオロジー変性剤、増粘剤、及び／又は構造化体を含んでもよい。１つの態様では、洗浄及び処理組成物に関してかかるレオロジー変性剤は、水性液体組成物に、約２０秒-1かつ２１℃にて５０〜３０００ｃｐｓの高剪断粘度、並びに低剪断（２１℃において剪断速度０．５秒-1の剪断速度）にて１０００ｃｐｓ超、又は更には１０００ｃｐｓ〜２００，０００ｃｐｓの粘度を付与し得る。１つの態様では、好適なレオロジー変性剤、増粘剤、及び／又は構造化体は、ポリアクリレート、ポリメタクリレート、ポリカルボキシレート；ペクチン、アルギネート、アラビノガラクタン（アラビアゴム）、カラギーナン、ジェランガム、キサンタンガム、及びグアーガム等のポリマーガム；ジェランガム等のその他の非ガム多糖類、並びにこれらのポリマー材料の組み合わせ、ヒドロキシル含有脂肪酸、脂肪酸エステル又は脂肪ワックス、ヒマシ油及びその誘導体、硬化ヒマシ油及び硬化ヒマシワックス等の硬化ヒマシ油誘導体；並びにそれらの混合物からなる群から選択され得る。
【００６２】
前記組成物の１つの態様では、前記組成物は、全流体洗剤重量に基づいて、約８０％未満の水、約６０％未満〜約２％の水、約４５％〜約７％の水、約３５％〜約９％の水を含み得る流体洗剤であり得る。
【００６３】
前記組成物の１つの態様では、前記組成物は、１秒-1の剪断速度で、約１０ｃｐｓ〜約９９９ｃｐｓ、又は更には約１００ｃｐｓ〜約８００ｃｐｓの粘度を有し得る。
【００６４】
前記組成物の１つの態様では、前記組成物は、全ゲル重量に基づいて、約４５％未満の水、約４５％未満〜約２％の水、約４５％〜約７％の水、約３５％〜約９％の水を含み得、かつ約１，０００ｃｐｓ〜約１０，０００ｃｐｓ、又は更には約１，２００ｃｐｓ〜約８，０００ｃｐｓの純粘度（neat viscosity）を有し得るゲルであってよい。
【００６５】
前記組成物の１つの態様では、前記組成物は、流体布地強化剤、固体布地強化剤、流体シャンプー、固体シャンプー、ヘアコンディショナー、ボディソープ、固体制汗剤、流体制汗剤、固体脱臭剤、流体脱臭剤、流体保湿剤、固体保湿剤、流体ローション、流体洗顔クレンザー、固体洗顔クレンザー、流体化粧品、固体化粧品、流体毛髪着色剤組成物、固体毛髪着色剤組成物、流体洗剤、固体洗剤、流体硬表面洗浄剤、固体硬表面洗浄剤、又は洗剤及び前記洗剤をカプセル化する水溶性被膜を含む単位用量洗剤であってよい。
【００６６】
１つの態様では、出願者は、本明細書に開示されるプロセスのうちのいずれかによって作製される組成物を開示する。
【００６７】
本発明の態様は、洗濯洗剤組成物（例えば、ＴＩＤＥ（商標））、硬表面洗浄剤（例えば、ＭＲ  ＣＬＥＡＮ（商標））、自動食器洗い用液体（例えば、ＣＡＳＣＡＤＥ（商標））、及び床洗浄剤（例えば、ＳＷＩＦＦＥＲ（商標））における本発明の粒子の使用を含む。洗浄組成物の非限定的な例としては、米国特許第４，５１５，７０５号、同第４，５３７，７０６号、同第４，５３７，７０７号、同第４，５５０，８６２号、同第４，５６１，９９８号、同第４，５９７，８９８号、同第４，９６８，４５１号、同第５，５６５，１４５号、同第５，９２９，０２２号、同第６，２９４，５１４号、及び同第６，３７６，４４５号に記載されるようなものを挙げることができる。本明細書に開示される洗浄組成物は、通常、水性洗浄作業における使用中に、洗浄水のｐＨが約６．５〜約１２、又は約７．５〜１０．５となるように配合される。液体食器洗浄製品の製剤は、典型的には、約６．８〜約９．０のｐＨを有する。洗浄製品は、通常、約７〜約１２のｐＨを有するように配合される。推奨される使用量でのｐＨを制御する技術には、緩衝剤、アルカリ、酸などの使用を含み、当業者には周知である。
【００６８】
本発明の態様は、特に、パーソナルケア組成物における粒子の使用を含む。本発明のパーソナルケア組成物を、皮膚及び／又は毛髪に適用することができる。本組成物は、例えば、バー、液体、エマルション、シャンプー、ゲル、粉末、スティック、ヘアコンディショナー（洗い流すタイプ及び洗い流さないタイプ）、ヘアトニック、ペースト、毛髪着色剤、スプレー、ムース、並びに／又はその他の整髪製品として配合することができる。
【００６９】
パーソナルケア組成物
１つの態様では、本明細書に開示される消費者製品は、本明細書に記載される粒子の任意の態様を含むパーソナルケア組成物であり得る。かかる組成物は、固体又は流体形態であり得る。かかる組成物は、皮膚及び／又は毛髪に適用することができるか、あるいは他の実施形態では、部位を処理及び洗浄するために使用することができる。本組成物は、例えば、バー、液体、エマルション、シャンプー、ゲル、粉末、スティック、ヘアコンディショナー（洗い流すタイプ及び洗い流さないタイプ）、ヘアトニック、ペースト、毛髪着色剤、スプレー、ムース、並びにその他の整髪製品として配合することができる。
【００７０】
一実施形態において、粒子は、脱毛前、脱毛中、又は脱毛後の使用に好適なパーソナルケア組成物に組み込まれる。本発明のパーソナルケア組成物は、シェービング（電気かみそり、再利用型又は使い捨て型であり得る電動又は手動かみそり、及びそれらの組み合わせによる、ウェット又はドライシェービング）、脱毛、電気分解療法、ワックス又は脱毛剤、並びに発毛の調整を支援するためのエネルギー送達デバイスを含むがそれらに限定されない、種々の脱毛用途（適用前、適用と同時に、及び／又は適用後）と組み合わせて使用されてもよい。脱毛組成物は、泡、ゲル、若しくは後発泡ゲルであり得るエアロゾルシェービング調製物等のエアロゾル、又は一般に市販されているような非エアロゾルシェービング調製物であり得る。一実施形態において、シェービング調製物は、クリーム又はローションの形態であり得るエマルションであるか、あるいはシェービング調製物は、最も一般にポリマーで粘性を高めた界面活性剤系からなるゲルであり得る。
【００７１】
一実施形態において、粒子は、シェービング用カミソリカートリッジに組み込むことができるシェービング助剤に組み込まれる。当業者は、シェービング助剤が一般に潤滑ストリップとも称されることを理解するであろう。好適なシェービング助剤及び／又は潤滑ストリップは、米国特許第７，０６９，６５８号、同第６，９４４，９５２号、同第６，５９４，９０４号、同第６，１８２，３６５号、同第６，１８５，８２２号、同第６，２９８，５５８号、及び同第５，１１３，５８５号、並びに米国意匠特許第Ｄ４２４，７４５号に開示されている。一実施形態において、シェービング助剤は、ポリエチレンオキシド、ポリビニルピロリドン、ポリアクリルアミド、変性ヒドロキシアルキルセルロース、ポリビニルイミダゾリン、ポリビニルアルコール、ポリスルホン、ポリヒドロキシエチルメタクリレート、及びそれらの混合物からなる群から選択される、約５０％〜約９５％の潤滑性水溶性ポリマーを含む。シェービング助剤は、ポリエチレン、ポリプロピレン、ポリスチレン、ブタジエンスチレンコポリマー、ポリアセタール、アクリロニトリルブタジエンスチレンコポリマー、エチレン酢酸ビニルコポリマー、ポリウレタン、及びそれらの混合物からなる群から選択される、約１％〜約５０％の非溶性ポリマーを含んでもよい。
【００７２】
本発明の組成物は、以下の構成成分を含んでもよい。
【００７３】
Ａ．洗浄性界面活性剤
本発明の組成物は、洗浄性界面活性剤を含んでもよい。洗浄性界面活性剤成分は、アニオン性洗浄性界面活性剤、双性イオン性若しくは両性洗浄性界面活性剤、又はそれらの組み合わせを含み得る。組成物中のアニオン性界面活性剤成分の濃度は、所望の洗浄及び泡立ち性能を提供するのに十分であるべきであり、通常は約５％〜約５０％の範囲である。
【００７４】
組成物における使用に好適なアニオン性界面活性剤は、アルキル及びアルキルエーテルサルフェートである。その他の好適なアニオン性洗浄性界面活性剤は、式［Ｒ1−ＳＯ3−Ｍ］に準拠する有機硫酸反応生成物の水溶性塩であり、式中、Ｒ1は、約８〜約２４個、又は約１０〜約１８個の炭素原子を有する直鎖又は分枝鎖の飽和脂肪族炭化水素基であり、Ｍは、前述のカチオンである。更に他の好適なアニオン性洗浄性界面活性剤は、イセチオン酸でエステル化し、水酸化ナトリウムで中和された脂肪酸の反応生成物（例えば、脂肪酸はココヤシ油又はパーム核油から誘導されたもの）であり、脂肪酸が例えばココヤシ油又はパーム核油から誘導されたメチルタウリドの脂肪酸アミドのナトリウム又はカリウム塩である。その他の同様なアニオン性界面活性剤は、米国特許第２，４８６，９２１号、第２，４８６，９２２号、及び第２，３９６，２７８号に記載されている。
【００７５】
本組成物に用いるのに好適な他のアニオン性洗浄性界面活性剤はスクシネートであり、その例としては、Ｎ−オクタデシルスルホコハク酸二ナトリウム、ラウリルスルホコハク酸二ナトリウム、ラウリルスルホコハク酸ジアンモニウム、Ｎ−（１，２−ジカルボキシエチル）−Ｎ−オクタデシルスルホコハク酸四ナトリウム、スルホコハク酸ナトリウムのジアミルエステル、スルホコハク酸ナトリウムのジヘキシルエステル、及びスルホコハク酸ナトリウムのジオクチルエステルが挙げられる。
【００７６】
その他の適切なアニオン性洗浄性界面活性剤としては、約１０〜約２４個の炭素原子を有するオレフィンスルホネートが挙げられる。真性アルケンスルホネート、及びある割合のヒドロキシアルカンスルホネートに加えて、オレフィンスルホネートには、少量の他の物質、例えばアルケンジスルホネートなどを、反応条件、反応物質の比率、オレフィンストックにおける出発物質のオレフィン及び不純物の性質、並びにスルホン化プロセス中の副反応に応じて含有させることができる。このようなα−オレフィンスルホネート混合物の非限定例は、米国特許第３，３３２，８８０号に記載されている。
【００７７】
本組成物における使用に好適なアニオン性洗浄用界面活性剤の別の部類は、β−アルキルオキシアルカンスルホネートである。これらの界面活性剤は、次の式に従うものである。
【００７８】
【化１】
2013525564.tif 000002
式中、Ｒ1は、約６〜約２０個の炭素原子を有する直鎖アルキル基であり、Ｒ2は、約１〜約３個の炭素原子、又は更には１個の炭素原子を有する低級アルキル基であり、Ｍは、前述の水溶性カチオンである。
【００７９】
米国特許第３，９２９，６７８号、同第２，６５８，０７２号、同第２，４３８，０９１号、同第２，５２８，３７８号を参照されたい。
【００８０】
Ｂ．カチオン性界面活性剤系
本発明の組成物は、カチオン性界面活性剤系を含んでもよい。カチオン性界面活性剤系は、１つのカチオン性界面活性剤であってもよいし、２つ以上のカチオン性界面活性剤の混合物であってもよい。存在する場合、カチオン性界面活性剤系は、容易なすすぎ感触、レオロジー、及び湿潤コンディショニング利益の間のバランスを考慮して、約０．１重量％〜約１０重量％、約０．５重量％〜約８重量％、約１重量％〜約５重量％、又は更には約１．４重量％〜約４重量％の濃度で組成物に含まれる。
【００８１】
モノ−及びジアルキル鎖カチオン性界面活性剤を含む様々なカチオン性界面活性剤が本発明の組成物中で使用可能である。好適な材料の例には、所望のゲルマトリックス及び湿潤コンディショニング利益を考慮して、モノアルキル鎖カチオン性界面活性剤が挙げられる。モノアルキルカチオン性界面活性剤は、バランスのとれた湿潤コンディショニング利益の提供を考慮して、１２〜２２個の炭素原子、１６〜２２個の炭素原子、又はＣ18〜Ｃ22アルキル基を有する１つの長いアルキル鎖を有するものである。窒素に結合している残りの基は、独立して、炭素原子数１〜約４のアルキル基、又は炭素原子数が約４までのアルコキシ基、ポリオキシアルキレン基、アルキルアミド基、ヒドロキシアルキル基、アリール基、若しくはアルキルアリール基から選択される。このようなモノアルキルカチオン性界面活性剤としては、例えば、モノアルキル第四級アンモニウム塩及びモノアルキルアミンが挙げられる。モノアルキル第四級アンモニウム塩としては、例えば、非官能化長アルキル鎖を有するものである。モノアルキルアミンとしては、例えば、モノアルキルアミドアミン及びそれらの塩が挙げられる。
【００８２】
本明細書で有用なモノ長アルキル四級化アンモニウム塩は、次の式（ＩＩ）：
【００８３】
【化２】
2013525564.tif 000003
（式中、Ｒ75、Ｒ76、Ｒ77、及びＲ78のうちの１つは、炭素原子数１２〜３０のアルキル基、又は炭素原子数約３０までの、芳香族基、アルコキシ基、ポリオキシアルキレン基、アルキルアミド基、ヒドロキシアルキル基、アリール基、若しくはアルキルアリール基から選択され、残りのＲ75、Ｒ76、Ｒ77、及びＲ78は、独立して、炭素原子数１〜約４のアルキル基、又は炭素原子数約４までの、アルコキシ基、ポリオキシアルキレン基、アルキルアミド基、ヒドロキシアルキル基、アリール基、若しくはアルキルアリール基から選択され、Ｘ-は塩形成アニオンであって、例えば、ハロゲンラジカル、（例えば、塩化物、臭化物）、アセテートラジカル、シトレートラジカル、ラクテートラジカル、グリコレートラジカル、ホスフェートラジカル、ニトレートラジカル、スルホネートラジカル、サルフェートラジカル、アルキルサルフェートラジカル、及びアルキルスルホネートラジカルから選択されるものである）を有するものである。アルキル基は、炭素原子及び水素原子に加えて、エーテル結合及び／又はエステル結合、並びにアミノ基のような他の基を含有することができる。より長鎖のアルキル基、例えば、炭素原子数が約１２以上のものは、飽和又は不飽和であることができる。１つの態様では、Ｒ75、Ｒ76、Ｒ77、及びＲ78のうちの１つは、１２〜３０個の炭素原子、別の態様では１６〜２２個の炭素原子、別の態様では１８〜２２個の炭素原子、又は更には２２個の炭素原子を有するアルキル基から選択され、Ｒ75、Ｒ76、Ｒ77、及びＲ78のうちの残りは、独立して、ＣＨ3、Ｃ2Ｈ5、Ｃ2Ｈ4ＯＨ、及びそれらの混合物から選択され、Ｘは、Ｃｌ、Ｂｒ、ＣＨ3ＯＳＯ3、Ｃ2Ｈ5ＯＳＯ3、及びそれらの混合物からなる群から選択される。
【００８４】
好適なモノ長アルキル四級化アンモニウム塩カチオン性界面活性剤の例には、ベヘニルトリメチルアンモニウム塩、ステアリルトリメチルアンモニウム塩、セチルトリメチルアンモニウム塩、及び水素化タローアルキルトリメチルアンモニウム塩が挙げられる。それらのうち、非常に有用な材料は、ベヘニルトリメチルアンモニウム塩及びステアリルトリメチルアンモニウム塩である。
【００８５】
モノ−アルキルアミンはまた、カチオン性界面活性剤としても好適である。一級、二級及び三級脂肪族アミンが有用である。特に有用なものは、約１２〜約２２個の炭素のアルキル基を有する第三級アミドアミンである。代表的な第三級アミドアミンとしては、ステアラミドプロピルジメチルアミン、ステアラミドプロピルジエチルアミン、ステアラミドエチルジエチルアミン、ステアラミドエチルジメチルアミン、パルミタミドプロピルジメチルアミン、パルミタミドプロピルジエチルアミン、パルミタミドエチルジエチルアミン、パルミタミドエチルジメチルアミン、ベヘナミドプロピルジメチルアミン、ベヘナミドプロピルジエチルアミン、ベヘナミドエチルジエチルアミン、ベヘナミドエチルジメチルアミン、アラキダミドプロピルジメチルアミン、アラキダミドプロピルジエチルアミン、アラキダミドエチルジエチルアミン、アラキダミドエチルジメチルアミン、ジエチルアミノエチルステアラミドが挙げられる。本発明において有用なアミンは、Ｎａｃｈｔｉｇａｌらの米国特許第４，２７５，０５５号に開示されている。これらのアミンを、Ｌ−グルタミン酸、乳酸、塩酸、リンゴ酸、コハク酸、酢酸、フマル酸、酒石酸、クエン酸、Ｌ−塩酸グルタミン酸、マレイン酸、及びそれらの混合物等の酸と組み合わせて使用することもでき、１つの態様では、Ｌ−グルタミン酸、乳酸、クエン酸が極めて有用である。１つの態様では、本明細書のアミンは、約１：０．３〜約１：２、又は更には約１：０．４〜約１：１のアミン対酸のモル比で、それらの酸のうちのいずれかで部分的に中和される。
【００８６】
モノアルキル鎖カチオン性界面活性剤が有用であるが、ジアルキル鎖カチオン性界面活性剤等のその他のカチオン性界面活性剤を、単独で、又はモノアルキル鎖カチオン性界面活性剤と組み合わせて使用することもできる。このようなジアルキル鎖カチオン性界面活性剤としては、例えば、ジアルキル（１４〜１８）ジメチルアンモニウムクロライド、ジタローアルキルジメチルアンモニウムクロライド、ジヒドロ添加タローアルキルジメチルアンモニウムクロライド、ジステアリルジメチルアンモニウムクロライド、及びジセチルジメチルアンモニウムクロライドが挙げられる。
【００８７】
Ｃ．高融点脂肪族化合物
本発明の組成物は、高融点脂肪族化合物を含んでもよい。本明細書において有用な高融点脂肪族化合物は、２５℃以上の融点を有し、脂肪アルコール、脂肪酸、脂肪アルコール誘導体、脂肪酸誘導体、及びこれらの混合物からなる群から選択される。当業者は、本明細書のこの項に開示されている化合物が、場合によっては２つ以上の分類に属することがある（例えば、いくつかの脂肪アルコール誘導体が脂肪酸誘導体としても分類されることがあり得る）ということを理解している。しかしながら、示されている分類は、その特定の化合物を限定することを意図するものではなく、分類及び命名法の便宜上そのようになされている。更に、当業者は、２重結合の数と位置、及び分枝の長さと位置によっては、特定の所要炭素原子を有する特定の化合物の融点が２５℃未満である場合があることを理解している。そのような低融点の化合物は、この項には含まれないものとする。
【００８８】
様々な高融点脂肪族化合物のうち、脂肪アルコールが本発明の１つの態様において使用される。本明細書で有用な脂肪アルコールは、約１４〜約３０個の炭素原子、又は更には約１６〜約２２個の炭素原子を有するものである。これらの脂肪アルコールは飽和しており、直鎖又は分枝鎖アルコールであることができる。１つの態様では、脂肪アルコールには、例えば、セチルアルコール、ステアリルアルコール、ベヘニルアルコール、及びそれらの混合物が挙げられる。
【００８９】
高純度の単一化合物の高融点脂肪族化合物が通常使用される。１つの態様では、純セチルアルコール、ステアリルアルコール、及びベヘニルアルコールの群から選択される純脂肪アルコールの単一化合物が採用される。本明細書において「純」とは、化合物が少なくとも約９０％、又は更には少なくとも約９５％の純度を有することを意味する。これらの高純度の単一化合物は、消費者が組成物をすすぎ落とす際に、毛髪からの良好な洗い流しやすさをもたらす。
【００９０】
高融点脂肪族化合物は、濡れた髪への適用の際の滑るような感触、乾いた髪の柔らかくしっとりした感触等の改善されたコンディショニング利益の提供を考慮して、組成物の約０．１重量％〜約４０重量％、約１重量％〜約３０重量％、約１．５重量％〜約１６重量％、又は更には約１．５％〜約８％の濃度で組成物中に含まれる。
【００９１】
Ｄ．カチオン性ポリマー
本発明の組成物は、カチオン性ポリマーを含有してもよい。本組成物中のカチオン性ポリマーの濃度は、典型的には、約０．０５％〜約３％、別の実施形態では約０．０７５％〜約２．０％、なおも別の実施形態では約０．１％〜約１．０％の範囲である。好適なカチオン性ポリマーは、組成物の意図される使用でのｐＨが通常約ｐＨ  ３〜約ｐＨ  ９、一実施形態では約ｐＨ  ４〜約ｐＨ  ８の範囲のｐＨにおいて、少なくとも約０．５ｍｅｑ／ｇｍ、別の実施形態では少なくとも約０．９ｍｅｑ／ｇｍ、別の実施形態では少なくとも約１．２ｍｅｑ／ｇｍ、なおも別の実施形態では少なくとも約１．５ｍｅｑ／ｇｍ、しかし一実施形態ではまた約７ｍｅｑ／ｇｍ未満、及び別の実施形態では約５ｍｅｑ／ｇｍ未満のカチオン性電荷密度を有する。本明細書においてポリマーの「カチオン性電荷密度」とは、ポリマーの分子量に対する、ポリマー上の正電荷数の比を指す。このような好適なカチオン性ポリマーの平均分子量は一般に、約１０，０００〜１０，０００，０００であり、一実施形態では、約５０，０００〜約５，０００，０００であり、別の実施形態では、約１００，０００〜約３，０００，０００である。
【００９２】
本発明の組成物に用いるのに好適なカチオン性ポリマーは、第四級アンモニウムのようなカチオン性窒素含有部分又はカチオン性プロトン化アミノ部分を含有する。カチオン性プロトン化アミンは、組成物の特定の種及び選択されたｐＨに応じて、第一級、第二級、又は第三級アミン（１つの態様では、第二級又は第三級）であり得る。任意のアニオン性対イオンを、カチオン性ポリマーと併せて使用することができるが、ポリマーが、水中、組成物中、又は組成物のコアセルベート相中で可溶性のままであり、かつ対イオンが、組成物の必須成分と物理的及び化学的に適合性があるか、あるいはさもなければ、製品の性能、安定性、又は審美性を過度に低下させないことを条件とする。かかる対イオンの非限定的な例には、ハロゲン化物（例えば、塩化物、フッ化物、臭化物、ヨウ化物）、サルフェート、及びメチルサルフェートが挙げられる。
【００９３】
好適なカチオン性ポリマーの非限定的例としては、アクリルアミド、メタクリルアミド、アルキル及びジアルキルアクリルアミド、アルキル及びジアルキルメタクリルアミド、アクリル酸アルキル、メタクリル酸アルキル、ビニルカプロラクトン又はビニルピロリドンのような、水溶性スペーサーモノマーと、カチオン性プロトン化アミン又は第四級アンモニウム官能基を有するビニルモノマーとのコポリマーが挙げられる。
【００９４】
本明細書の組成物のカチオン性ポリマーに含まれるのに適したカチオン性プロトン化アミノ及び第四級アンモニウムモノマーとしては、ジアルキルアミノアルキルアクリレート、ジアルキルアミノアルキルメタクリレート、モノアルキルアミノアルキルアクリレート、モノアルキルアミノアルキルメタクリレート、トリアルキルメタクリルオキシアルキルアンモニウム塩、トリアルキルアクリルオキシアルキルアンモニウム塩、ジアリル第四級アンモニウム塩で置換されたビニル化合物、及びピリジニウム、イミダゾリウム、及び例えばアルキルビニルイミダゾリウム、アルキルビニルピリジニウム、アルキルビニルピロリドン塩のような四級化ピロリドンなどの環状カチオン性窒素含有環を有するビニル第四級アンモニウムモノマーが挙げられる。
【００９５】
本組成物において使用されるその他の好適なカチオン性ポリマーには、１−ビニル−２−ピロリドンと１−ビニル−３−メチルイミダゾリウム塩とのコポリマー（例えば、塩化物塩）（Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ「ＣＴＦＡ」により、当業界でポリクオタニウム−１６と称される）；１−ビニル−２−ピロリドンとジメチルアミノエチルメタクリレートとのコポリマー（ＣＴＦＡにより、当業界でポリクオタニウム−１１と称される）；例えば、ジメチルジアリルアンモニウムクロライドホモポリマー、アクリルアミドとジメチルジアリルアンモニウムクロライドとのコポリマー（ＣＴＦＡにより、当業界で、それぞれ、ポリクオタニウム６及びポリクオタニウム７と称される）を含む、カチオン性ジアリル第四級アンモニウム含有ポリマー；アクリル酸とジメチルジアリルアンモニウムクロライドとのコポリマー（ＣＴＦＡにより、当業界でポリクオタニウム２２と称される）を含むアクリル酸の両性コポリマー、アクリル酸とジメチルジアリルアンモニウムクロライド及びアクリルアミドとのターポリマー（ＣＴＦＡにより、当業界でポリクオタニウム３９と称される）、並びにアクリル酸とメタクリルアミドプロピルトリメチルアンモニウムクロライド及びアクリル酸メチルとのターポリマー（ＣＴＦＡにより、当業界でポリクオタニウム４７と称される）が挙げられる。１つの態様では、カチオン性置換モノマーは、カチオン性置換ジアルキルアミノアルキルアクリルアミド、ジアルキルアミノアルキルメタクリルアミド、及びそれらの組み合わせであり得る。かかるモノマーは、次の式に従うものである。
【００９６】
【化３】
2013525564.tif 000004
式中、Ｒ1は、水素、メチル、又はエチルであり、Ｒ2、Ｒ3、及びＲ4のそれぞれは、独立して、水素、又は約１〜約８個の炭素原子、約１〜約５個の炭素原子、若しくは更には約１〜約２個の炭素原子を有する短鎖アルキルであり、ｎは、約１〜約８、又は更には約１〜約４の値を有する整数であり、Ｘは、対イオンである。Ｒ2、Ｒ3、及びＲ4に結合している窒素は、プロトン化アミン（第一級、第二級又は第三級）であり得るが、１つの態様では、第四級アンモニウムであり、Ｒ2、Ｒ3、及びＲ4のそれぞれは、アルキル基であり、その非限定的な例は、Ｒｈｏｎｅ−Ｐｏｕｌｅｎｃ，Ｃｒａｎｂｅｒｒｙ，Ｎ．Ｊ．，Ｕ．Ｓ．ＡからＰｏｌｙｃａｒｅ（登録商標）１３３の商品名で入手可能なポリメタクリルアミドプロピルトリモニウムクロライドである。
【００９７】
本組成物に用いるのに好適なその他のカチオン性ポリマーとしては、カチオン性セルロース誘導体及びカチオン性デンプン誘導体のような多糖類ポリマーが挙げられる。好適なカチオン性多糖類ポリマーには、次の式に従うものが挙げられる。
【００９８】
【化４】
2013525564.tif 000005
式中、Ａは、デンプン又はセルロース無水グルコース残基等の無水グルコース残基であり、Ｒは、アルキレン基、オキシアルキレン基、ポリオキシアルキレン基、若しくはヒドロキシアルキレン基、又はそれらの組み合わせであり、Ｒ1、Ｒ2、及びＲ3は、独立して、アルキル基、アリール基、アルキルアリール基、アリールアルキル基、アルコキシアルキル基、又はアルコキシアリール基であり、各基は、最大約１８個の炭素原子を含有し、各カチオン性部分の炭素原子の総数（すなわち、Ｒ１、Ｒ２、及びＲ３中の炭素原子の合計）は、典型的には、約２０個以下であり、Ｘは、前述のアニオン性対イオンである。
【００９９】
有用なカチオン性セルロースポリマーは、トリメチルアンモニウム置換エポキシドと反応したヒドロキシエチルセルロースの塩を含み、当業界（ＣＴＦＡ）においてポリクオタニウム１０と称され、Ａｍｅｒｃｈｏｌ  Ｃｏｒｐ．（Ｅｄｉｓｏｎ，Ｎ．Ｊ．，ＵＳＡ）からポリマーのＵｃａｒｅ（商標）Ｐｏｌｙｍｅｒ  ＬＲ、Ｕｃａｒｅ（商標）ＰｏｌｙｍｅｒＪＲ、及びＵｃａｒｅ（商標）ＰｏｌｙｍｅｒＫＧシリーズで入手可能である。カチオン性セルロースのその他の好適な種類としては、当業界（ＣＴＦＡ）ではポリクオタニウム２４と呼ばれている、ラウリルジメチルアンモニウム置換エポキシドと反応したヒドロキシエチルセルロースのポリマー第四級アンモニウム塩が挙げられる。これらの物質は、Ｕｃａｒｅ（商標）Ｐｏｌｙｍｅｒ  ＬＭ−２００の商品名でＡｍｅｒｃｈｏｌ  Ｃｏｒｐ．から入手可能である。
【０１００】
その他の好適なカチオン性ポリマーは、グアーヒドロキシプロピルトリモニウムクロライド等のカチオン性グアーガム誘導体を含み、その具体例として、Ｒｈｏｎｅ−Ｐｏｕｌｅｎｃ  Ｉｎｃｏｒｐｏｒａｔｅｄから市販されているＪａｇｕａｒシリーズ、及びＨｅｒｃｕｌｅｓ，ＩｎｃのＡｑｕａｌｏｎ  Ｄｉｖｉｓｉｏｎから市販されているＮ−Ｈａｎｃｅ（登録商標）シリーズが挙げられる。その他の好適なカチオン性ポリマーには、第四級窒素含有セルロースエーテルが挙げられ、そのいくつかの例は、米国特許第３，９６２，４１８号に記載されている。その他の好適なポリマーとしては、米国特許出願公開第２００７／０２０７１０９Ａ１号に開示されているもののような合成ポリマーが挙げられる。その他の好適なカチオン性ポリマーとしては、エーテル化セルロース、グアー、及びデンプンのコポリマーが挙げられ、そのいくつかの例が、米国特許第３，９５８，５８１号に記載されている。本明細書のカチオン性ポリマーは、用いられる場合、本組成物に可溶性であるか、又はカチオン性ポリマーと上述のアニオン性、両性及び／若しくは双極イオン性の洗浄性界面活性剤成分とによって形成された組成物中の複合コアセルベート相に可溶性であるか、のいずれかである。カチオン性ポリマーの複合コアセルベートはまた、組成物中の他の荷電物質により形成することもできる。
【０１０１】
Ｅ．非イオン性ポリマー
本発明の組成物は、非イオン性ポリマーを含んでもよい。本発明においては約１，０００を超える分子量を有するポリアルキレングリコールが有用である。以下の一般式を有するものが有用である：
【０１０２】
【化５】
2013525564.tif 000006
式中、Ｒ95は、Ｈ、メチル、及びそれらの混合物からなる群より選択される。本明細書で有用なポリエチレングリコールポリマーは、ＰＥＧ−２Ｍ（Ｐｏｌｙｏｘ  ＷＳＲ（登録商標）Ｎ−１０としても知られ、ＰＥＧ−２，０００としてＵｎｉｏｎ  Ｃａｒｂｉｄｅから入手可能である）；ＰＥＧ−５Ｍ（Ｐｏｌｙｏｘ  ＷＳＲ（登録商標）Ｎ−３５及びＰｏｌｙｏｘ  ＷＳＲ（登録商標）Ｎ−８０としても知られ、ＰＥＧ−５，０００及びポリエチレングリコール３００，０００としてＵｎｉｏｎ  Ｃａｒｂｉｄｅから入手可能である）；ＰＥＧ−７Ｍ（Ｐｏｌｙｏｘ  ＷＳＲ（登録商標）Ｎ−７５０としても知られ、Ｕｎｉｏｎ  Ｃａｒｂｉｄｅから入手可能である）；ＰＥＧ−９Ｍ（Ｐｏｌｙｏｘ  ＷＳＲ（登録商標）Ｎ−３３３３としても知られ、Ｕｎｉｏｎ  Ｃａｒｂｉｄｅから入手可能である）；及び、ＰＥＧ−１４Ｍ（Ｐｏｌｙｏｘ  ＷＳＲ（登録商標）Ｎ−３０００としても知られ、Ｕｎｉｏｎ  Ｃａｒｂｉｄｅから入手可能である）である。
【０１０３】
Ｆ．コンディショニング剤
コンディショニング剤、及び特にシリコーンが組成物に含まれてもよい。コンディショニング剤は、特定のコンディショニング効果を毛髪及び／又は皮膚に与えるために用いられる任意の物質を含む。ヘアトリートメント組成物において、好適なコンディショニング剤は、光沢、柔らかさ、相溶性、静電気防止特性、濡れたときの扱い、ダメージ、扱い易さ、ボリューム、及び脂っぽさに関連する１つ以上の利点をもたらすものである。本発明の組成物に有用なコンディショニング剤は、典型的には、乳化液体粒子を形成する非水溶性の水分散性不揮発性液体を含む。本組成物に用いるのに好適なコンディショニング剤は、一般にシリコーン（例えば、シリコーンオイル、カチオン性シリコーン、シリコーンゴム、屈折率の高いシリコーン、及びシリコーン樹脂）、有機コンディショニングオイル（例えば、炭化水素油、ポリオレフィン、及び脂肪酸エステル）若しくはこれらの組み合わせとして特徴付けられるコンディショニング剤、又はさもなければ本明細書の水性界面活性剤マトリックス中に液状の分散した粒子を形成するコンディショニング剤である。これらのコンディショニング剤は、物理的及び化学的に組成物の必須成分と適合すべきであり、さもなければ過度に製品の安定性、審美性、又は性能を損なうべきではない。
【０１０４】
組成物のコンディショニング剤の濃度は、所望のコンディショニングの利点を提供するのに十分でなくてはならず、当業者には明白である。かかる濃度は、コンディショニング剤、所望のコンディショニング性能、コンディショニング剤粒子の平均粒径、その他の構成成分の種類及び濃度、並びにその他の同様の要因により様々であり得る。
【０１０５】
１．シリコーン
本発明の組成物のコンディショニング剤は、不溶性シリコーンコンディショニング剤であり得る。シリコーンコンディショニング剤粒子は、揮発性シリコーン、不揮発性シリコーン、又はそれらの組み合わせを含んでもよい。１つの態様では、不揮発性シリコーンコンディショニング剤が採用される。揮発性シリコーンが存在する場合、典型的にはシリコーンゴムや樹脂のような、市販の形態の不揮発性シリコーン物質成分のための溶媒又はキャリアとしてのそれらの使用に付随する。シリコーンコンディショニング剤粒子は、シリコーン流体コンディショニング剤を含んでもよく、またシリコーン流体の付着効率を改善するか又は毛髪の光沢度を高めるためのその他の成分（シリコーン樹脂など）を更に含んでもよい。
【０１０６】
シリコーンコンディショニング剤の濃度は、典型的には、約０．０１％〜約１０％、約０．１％〜約８％、約０．１％〜約５％、又は更には約０．２％〜約３％の範囲である。適したシリコーンコンディショニング剤及びシリコーンのための任意の懸濁剤の非限定例は、米国再発行特許第３４，５８４号、米国特許第５，１０４，６４６号、及び米国特許第５，１０６，６０９号に記載されている。本発明の組成物において使用されるシリコーンコンディショニング剤は、２５℃で測定されるとき、典型的には、約０．００００２ｍ2／ｓ（２０センチストーク）〜約２ｍ2／ｓ（２，０００，０００センチストーク（「ｃｓｔ」））、約０．００１ｍ2／ｓ（１，０００ｃｓｔ）〜約１．８ｍ2／ｓ（１，８００，０００ｃｓｔ）、約０．０５ｍ2／ｓ（５０，０００ｃｓｔ）〜約１．５ｍ2／ｓ（１，５００，０００ｃｓｔ）、又は更には約０．１ｍ2／ｓ（１００，０００ｃｓｔ）〜約１．５ｍ2／ｓ（１，５００，０００ｃｓｔ）の粘度を有する。
【０１０７】
分散したシリコーンコンディショニング剤粒子は、典型的には、約０．０１μｍ〜約５０μｍの範囲の数平均粒径を有する。毛髪に適用される小粒子において、数平均粒径は、典型的には、約０．０１μｍ〜約４μｍ、約０．０１μｍ〜約２μｍ、又は更には約０．０１μｍ〜約０．５μｍの範囲である。毛髪に適用される大粒子において、数平均粒径は、典型的には、約４μｍ〜約５０μｍ、約６μｍ〜約３０μｍ、約９μｍ〜約２０μｍ、又は更には約１２μｍ〜約１８μｍの範囲である。
【０１０８】
ａ．シリコーンオイル
シリコーン流体は、シリコーン油を含んでもよく、これは、２５℃で測定されるとき、１ｍ2／ｓ（１，０００，０００ｃｓｔ）未満、約０．０００００５ｍ2／ｓ（５ｃｓｔ）〜約１ｍ2／ｓ（１，０００，０００ｃｓｔ）、又は更には約０．０００１ｍ2／ｓ（１００ｃｓｔ）〜約０．６ｍ2／ｓ（６００，０００ｃｓｔ）の粘度を有する流動性シリコーン材料である。本発明の組成物に用いるのに好適なシリコーンオイルには、ポリアルキルシロキサン、ポリアリールシロキサン、ポリアルキルアリールシロキサン、ポリエーテルシロキサンコポリマー、及びこれらの混合物が挙げられる。また毛髪コンディショニング特性を有する他の不溶性不揮発性シリコーン流体を使用してもよい。
【０１０９】
ｂ．アミノ及びカチオン性シリコーン
本発明の組成物は、アミノシリコーンを含んでもよい。アミノシリコーンは、本明細書で提供されるとき、少なくとも１つの第一級アミン、第二級アミン、第三級アミン、又は第四級アンモニウム基を含有するシリコーンである。有用なアミノシリコーンは、アミノシリコーンの約０．５重量％未満、約０．２重量％未満、又は更には約０．１重量％未満の窒素を有し得る。アミノシリコーン中の窒素（アミン官能基）の濃度が高くなるほど、摩擦軽減が起こりにくくなり、またその結果、アミノシリコーンからのコンディショニング効果が減少する傾向がある。いくつかの製品形態においては、本発明にしたがってより高い濃度の窒素も許容範囲であることを理解すべきである。
【０１１０】
１つの態様では、本発明において使用されるアミノシリコーンは、最終組成物に組み込まれた時点で、約５０μ未満の粒径を有する。粒径測定は、最終組成物中の分散液滴を対象とする。粒径は、ＨｏｒｉｂａのＬＡ−９３０モデルレーザー散乱粒径分布分析器（Ｈｏｒｉｂａ  Ｉｎｓｔｒｕｍｅｎｔｓ，Ｉｎｃ．）を使用して、レーザー光線散乱技術により測定することができる。
【０１１１】
一実施形態において、アミノシリコーンは、典型的には、約０．００１ｍ2／ｓ（１，０００ｃｓｔ（センチストーク））〜約１ｍ2／ｓ（１，０００，０００ｃｓｔ）、約０．０１（１０，０００）〜約０．７ｍ2／ｓ（７００，０００ｃｓｔ）、約０．０５ｍ2／ｓ（５０，０００ｃｓｔ）〜約０．５ｍ2／ｓ（５００，０００ｃｓｔ）、又は更には約０．１ｍ2／ｓ（１００，０００ｃｓｔ）〜約０．４ｍ2／ｓ（４００，０００ｃｓｔ）の粘度を有する。この実施形態は、例えば、以下のＦ項に記載される材料等の低粘度流体も含み得る。（１）本明細書に記載のアミノシリコーンの粘度は２５℃で測定される。
【０１１２】
別の実施形態では、アミノシリコーンは、典型的には、約０．００１ｍ2／ｓ（１，０００ｃｓｔ）〜約０．１ｍ2／ｓ（１００，０００ｃｓｔ）、約０．００２ｍ2／ｓ（２，０００ｃｓｔ）〜約０．０５ｍ2／ｓ（５０，０００ｃｓｔ）、約０．００４ｍ2／ｓ（４，０００ｃｓｔ）〜約０．０４ｍ2／ｓ（４０，０００ｃｓｔ）、又は更には約０．００６ｍ2／ｓ（６，０００ｃｓｔ）〜約０．０３ｍ2／ｓ（３０，０００ｃｓｔ）の粘度を有する。
【０１１３】
アミノシリコーンは、典型的には、約０．０５重量％〜約２０重量％、約０．１重量％〜約１０重量％、及び又は更には約０．３重量％〜約５重量％の濃度で、本発明の組成物中に含有される。
【０１１４】
ｃ．シリコーンゴム
本発明の組成物に用いるのに好適なその他のシリコーン流体は、不溶性シリコーンゴムである。これらのゴムは、２５℃で測定して、１ｍ2／ｓ（１，０００，０００ｃｓｋ）以上の粘度を有するポリオルガノシロキサン物質である。本発明の組成物に用いられるシリコーンゴムの具体的な非限定例としては、ポリジメチルシロキサン、（ポリジメチルシロキサン）（メチルビニルシロキサン）コポリマー、ポリ（ジメチルシロキサン）（ジフェニルシロキサン）（メチルビニルシロキサン）コポリマー、及びこれらの混合物が挙げられる。
【０１１５】
ｄ．高屈折率シリコーン
本発明の組成物における使用に好適なその他の不揮発性不溶性シリコーン流体コンディショニング剤は、少なくとも約１．４６、少なくとも約１．４８、少なくとも約１．５２、又は更には少なくとも約１．５５の屈折率を有する「高屈折率シリコーン」として既知のものである。ポリシロキサン流体の屈折率は、一般に約１．７０未満、典型的には約１．６０未満である。この文脈において、ポリシロキサン「流体」には、油並びにガムが挙げられる。
【０１１６】
高屈折率ポリシロキサン流体としては、上記の一般式（ＩＩＩ）により表されるもの、並びに下記の式（ＶＩＩＩ）で表されるもののような環状ポリシロキサンが挙げられる。
【０１１７】
【化６】
2013525564.tif 000007
式中、Ｒは、上で定義された通りであり、ｎは、約３〜約７、又は更には約３〜約５の数字である。
【０１１８】
本発明の組成物における使用に好適なシリコーン流体は、米国特許第２，８２６，５５１号、米国特許第３，９６４，５００号、及び米国特許第４，３６４，８３７号に開示されている。
【０１１９】
ｅ．シリコーン樹脂
シリコーン樹脂を、本発明の組成物のコンディショニング剤に含んでもよい。これらの樹脂は、高度に架橋したポリマーシロキサン系である。架橋は、シリコーン樹脂の製造中に三官能性及び四官能性シランを一官能性又は二官能性又はその両方のシランとともに組み込むことによって導入される。
【０１２０】
特にシリコーン物質及びシリコーン樹脂は、「ＭＤＴＱ」命名法として当業者に既知の省略命名法のシステムによって便利に同定することができる。このシステム下では、シリコーンは、シリコーンを構成する種々のシロキサンモノマー単位の存在によって記載される。つまり、記号Ｍは一官能性単位（ＣＨ3）3ＳｉＯ0.5を示し、Ｄは二官能性単位（ＣＨ3）2ＳｉＯを示し、Ｔは三官能性単位（ＣＨ3）ＳｉＯ1.5を示し、Ｑは四官能性単位ＳｉＯ2を示す。単位記号のプライム符号（例えばＭ’、Ｄ’、Ｔ’、及びＱ’）は、メチル以外の置換基を表し、出てくる度に具体的に定義されなければならない。
【０１２１】
１つの態様では、本発明の組成物において使用されるシリコーン樹脂には、ＭＱ、ＭＴ、ＭＴＱ、ＭＤＴ、及びＭＤＴＱ樹脂が挙げられるが、それらに限定されない。１つの態様では、メチルは、非常に好適なシリコーン置換基である。別の態様では、シリコーン樹脂は、典型的にはＭＱ樹脂であり、Ｍ：Ｑ比は、典型的には約０．５：１．０〜約１．５：１．０であり、シリコーン樹脂の平均分子量は、典型的には約１０００〜約１０，０００である。
【０１２２】
ｆ．変性シリコーン又はシリコーンコポリマー
その他の変性シリコーン又はシリコーンコポリマーも本明細書において有用である。これらの例には、米国特許第６，６０７，７１７号及び同第６，４８２，９６９号に開示のシリコーン系第四級アンモニウム化合物（Ｋｅｎｎａｎ  ｑｕａｔｓ）；末端第四級シロキサン；米国特許第５，８０７，９５６号及び同第５，９８１，６８１号に開示のシリコーンアミノポリアルキレンオキシドブロックコポリマー；米国特許第６，２０７，７８２号に開示の親水性シリコーンエマルション；並びに米国特許第７，４６５，４３９号に開示の１つ以上の熊手形又は櫛形の架橋シリコーンコポリマーセグメントから構成されるポリマーが挙げられる。本明細書で有用な更なる変性シリコーン又はシリコーンコポリマーは、米国特許出願第２００７／０２８６８３７号Ａ１及び同第２００５／００４８５４９号Ａ１に記載されている。
【０１２３】
本発明の代替実施形態では、上述のシリコーン系第四級アンモニウム化合物を、米国特許第７，０４１，７６７号及び同第７，２１７，７７７号並びに米国出願第２００７／００４１９２９号Ａ１に記載のシリコーンポリマーと合わせてもよい。
【０１２４】
２．有機コンディショニングオイル
本発明の組成物は、コンディショニング剤として、単独で、又は（本明細書に記載の）シリコーン等のその他のコンディショニング剤と組み合わせてのいずれかで、約０．０５％〜約３％、約０．０８％〜約１．５％、又は更には約０．１％〜約１％の少なくとも１つの有機コンディショニングオイルも含んでもよい。好適なコンディショニングオイルには、炭化水素油、ポリオレフィン及び脂肪酸エステルが挙げられる。好適な炭化水素油には、ポリマー及びそれらの混合物を含む、環状炭化水素、直鎖脂肪族炭化水素（飽和又は不飽和）、及び分枝鎖脂肪族炭化水素（飽和又は不飽和）等の少なくとも約１０個の炭素原子を有する炭化水素油が含まれるが、それらに限定されない。直鎖炭化水素油は、典型的には、約Ｃ12〜約Ｃ19である。分枝鎖炭化水素油（炭化水素ポリマーを含む）は、典型的には１９個より多い炭素原子を含有する。好適なポリオレフィンには、液体ポリオレフィン、液体ポリ−a−オレフィン、又は更には水素化液体ポリ−a−オレフィンが挙げられる。本明細書において使用されるポリオレフィンは、Ｃ4〜約Ｃ14、又は更にはＣ6〜約Ｃ12の重合によって調製することができる。好適な脂肪酸エステルには、少なくとも１０個の炭素原子を有する脂肪酸エステルが挙げられるが、それに限定されない。これらの脂肪酸エステルとしては、脂肪酸又はアルコールに由来するヒドロカルビル鎖とのエステル（例えばモノエステル、多価アルコールエステル、及びジ−及びトリ−カルボン酸エステル）が挙げられる。この脂肪酸エステルのヒドロカルビルラジカルは、アミド及びアルコキシ部分（例えばエトキシ又はエーテル結合等）のようなその他の適合性のある官能基を含むか又はそこへ共有結合してもよい。
【０１２５】
３．他のコンディショニング剤
Ｐｒｏｃｔｅｒ  ＆  Ｇａｍｂｌｅ  Ｃｏｍｐａｎｙの米国特許第５，６７４，４７８号及び同第５，７５０，１２２号に記載のコンディショニング剤も、本明細書の組成物における使用に好適である。米国特許第４，５２９，５８６号、同第４，５０７，２８０号、同第４，６６３，１５８号、同第４，１９７，８６５号、同第４，２１７，９１４号、同第４，３８１，９１９号、及び同第４，４２２，８５３号に記載のコンディショニング剤も、本明細書での使用に好適である。
【０１２６】
Ｇ．抗ふけ活性物質
本発明の組成物はまた、抗ふけ剤を含有してもよい。好適な抗ふけ活性物質の非限定的な例としては、抗菌性活性物質、ピリジンチオン塩、アゾール、硫化セレン、微粒子イオウ、角質溶解性酸、サリチル酸、オクトピロックス（ピロクトンオラミン）、コールタール、及びこれらの組み合わせが挙げられる。１つの態様では、抗ふけ活性物質は、典型的にはピリジンチオン塩である。このような抗ふけ粒子は、物理的及び化学的に組成物の必須構成成分と適合すべきであり、さもなければ過度に製品の安定性、審美性、又は性能を損なうべきではない。
【０１２７】
ピリジンチオン抗ふけ剤は、例えば、米国特許第２，８０９，９７１号、同第３，２３６，７３３号、同第３，７５３，１９６号、同第３，７６１，４１８号、同第４，３４５，０８０号、同第４，３２３，６８３号、同第４，３７９，７５３号、及び同第４，４７０，９８２号に記載されている。ＺＰＴが抗ふけ粒子として本明細書の組成物に用いられる時は、毛髪の成長若しくは再生が刺激若しくはは調節されるか、又はその両方か、又は脱毛が軽減若しくは阻害されるか、又は毛髪がより太く若しくは豊かになることが意図される。
【０１２８】
Ｈ．保湿剤
本発明の組成物は、保湿剤を含有してもよい。本明細書における保湿剤は、多価アルコール、水溶性アルコキシル化非イオンポリマー、及びこれらの混合物からなる群より選択される。保湿剤は、本明細書で使用されるとき、典型的には、約０．１％〜約２０％、又は更には約０．５％〜約５％の濃度で使用される。
【０１２９】
Ｉ．懸濁化剤
本発明の組成物は、非水溶性物質を組成物中に分散された形態に懸濁するために、又は組成物の粘度を変性するために、有効な濃度で懸濁剤を更に含んでもよい。かかる濃度は、約０．１％〜約１０％、又は更には約０．３％〜約５．０％の範囲である。
【０１３０】
本明細書で有用な懸濁剤には、アニオン性ポリマー及び非イオン性ポリマーが挙げられる。ＣＴＦＡ名カルボマーを有する架橋アクリル酸ポリマー等のビニルポリマー、セルロース誘導体、及び変性セルロースポリマー、例えば、メチルセルロース、エチルセルロース、ヒドロキシエチルセルロース、ヒドロキシプロピルメチルセルロース、ニトロセルロース、セルロース硫酸ナトリウム、カルボキシメチルセルロースナトリウム、結晶性セルロース、セルロース粉末、ポリビニルピロリドン、ポリビニルアルコール、グアーガム、ヒドロキシプロピルグアーガム、キサンタンガム、アラビアガム、トラガカント、ガラクタン、カロブガム、グアーガム、カラヤガム、カラギーナン、ペクチン、寒天、クインスシード（シドニアオブロンガミル（CydoniaoblongaMill））、デンプン（コメ、トウモロコシ、ジャガイモ、小麦）、藻類コロイド（藻類抽出物）、微生物学的ポリマー、例えば、デキストラン、サクシノグルカン、プレラン、デンプン系ポリマー、例えば、カルボキシメチルデンプン、メチルヒドロキシプロピルデンプン、アルギン酸系ポリマー、例えば、アルギン酸ナトリウム、アルギン酸プロピレングリコールエステル、アクリレートポリマー、例えば、ポリアクリル酸ナトリウム、ポリエチルアクリレート、ポリアクリルアミド、ポリエチレンイミン、並びに無機水溶性材料、例えば、ベントナイト、ケイ酸マグネシウムアルミニウム、ラポナイト、ヘクトナイト、及び無水ケイ酸が、本明細書において有用である。
【０１３１】
本明細書において非常に有用な市販の粘度変性剤には、すべてＢ．Ｆ．Ｇｏｏｄｒｉｃｈ  Ｃｏｍｐａｎｙから入手可能な、Ｃａｒｂｏｐｏｌ（登録商標）９３４、Ｃａｒｂｏｐｏｌ（登録商標）９４０、Ｃａｒｂｏｐｏｌ（登録商標）９５０、Ｃａｒｂｏｐｏｌ（登録商標）９８０、及びＣａｒｂｏｐｏｌ（登録商標）９８１の商品名を有するカルボマー、Ｒｏｈｍ  ａｎｄ  Ｈａｓｓから入手可能なＡＣＲＹＳＯＬ（商標）２２の商品名を有するアクリレート／ステアレス−２０メタクリレートコポリマー、Ａｍｅｒｃｈｏｌから入手可能なＡｍｅｒｃｅｌｌ（商標）ＰＯＬＹＭＥＲ  ＨＭ−１５００の商品名を有するノンオキシニルヒドロキシエチルセルロース、ＢＥＮＥＣＥＬ（登録商標）の商品名を有するメチルセルロース、ＮＡＴＲＯＳＯＬ（登録商標）の商品名を有するヒドロキシエチルセルロース、ＫＬＵＣＥＬ（登録商標）の商品名を有するヒドロキシプロピルセルロース、ＰＯＬＹＳＵＲＦ（登録商標）６７の商品名を有するセチルヒドロキシエチルセルロース（すべてＨｅｒｃｕｌｅｓから供給される）、ＣＡＲＢＯＷＡＸ(登録商標）ＰＥＧ、ＰＯＬＹＯＸ  ＷＡＳＲ、及びＵＣＯＮ（登録商標）流体の商品名を有するエチレンオキシド及び／又はプロピレンオキシド系ポリマー（すべてＡｍｅｒｃｈｏｌから供給される）が挙げられる。
【０１３２】
その他の任意の懸濁剤には、アシル誘導体、長鎖アミンオキシド、及びこれらの混合物として分類できる、結晶性懸濁剤が挙げられる。これらの懸濁剤は、米国特許第４，７４１，８５５号に記載されている。
【０１３３】
これらの懸濁剤は、１つの態様では約１６〜約２２個の炭素原子を有する脂肪酸のエチレングリコールエステルを含む。１つの態様では、有用な懸濁剤は、ステアリン酸エチレングリコール（モノステアリン酸及びジステアリン酸の両方）を含むが、１つの態様では約７％未満のモノステアリン酸を含有するジステアリン酸である。他の好適な懸濁剤は、約１６〜約２２個の炭素原子、又は更には約１６〜１８個の炭素原子を有する脂肪酸のアルカノールアミドを含み、その例には、ステアリン酸モノエタノールアミド、ステアリン酸ジエタノールアミド、ステアリン酸モノイソプロパノールアミド、及びステアリン酸モノエタノールアミドステアレートが挙げられる。他の長鎖アシル誘導体は、長鎖脂肪酸の長鎖エステル（例えば、ステアリン酸ステアリル、パルミチン酸セチル等）；長鎖アルカノールアミドの長鎖エステル（例えば、ステアルアミドジエタノールアミドジステアレート、ステアルアミドモノエタノールアミドステアレート）；及びグリセリルエステル（例えば、ステアリン酸グリセリル、トリヒドロキシステアリン、トリベヘニン）を含み、その商用例は、Ｒｈｅｏｘ、Ｉｎｃから入手可能なＴｈｉｘｉｎ（登録商標）Ｒである。上で列挙された材料に加えて、長鎖アシル誘導体、長鎖カルボン酸のエチレングリコールエステル、長鎖アミンオキシド、及び長鎖カルボン酸のアルカノールアミドを、懸濁剤として使用することができる。
【０１３４】
懸濁剤としての使用に好適な他の長鎖アシル誘導体には、Ｎ，Ｎ−ジヒドロカルビルアミド安息香酸及びその可溶性塩（例えば、Ｎａ、Ｋ）、特にこのファミリーのＮ，Ｎ−ジ（水素化）Ｃ16、Ｃ18及びタローアミノ安息香酸種が挙げられ、これらはＳｔｅｐａｎ  Ｃｏｍｐａｎｙ（Ｎｏｒｔｈｆｉｅｌｄ，Ｉｌｌ．，ＵＳＡ）から市販されている。
【０１３５】
懸濁剤として用いるのに好適な長鎖アミンオキシドの例としては、アルキルジメチルアミンオキシド、例えばステアリルジメチルアミンオキシドが挙げられる。
【０１３６】
他の好適な懸濁剤としては、少なくとも約１６個の炭素原子を有する脂肪酸アルキル部分を有する第一級アミンが挙げられ、その例としてはパルミタミン又はステアラミンが挙げられ、並びにそれぞれ少なくとも約１２個の炭素原子を有する２つの脂肪酸アルキル部分を有する第二級アミンが挙げられ、その例としてはジパルミトイルアミン又はジ（水素添加タロー）アミンが挙げられる。更に他の好適な懸濁剤としては、ジ（水素添加タロー）フタル酸アミド、及び架橋無水マレイン酸−メチルビニルエーテルコポリマーが挙げられる。
【０１３７】
Ｊ．水性キャリア
本発明の製剤は、注ぐことができる液体（周囲条件下で）の形態であり得る。したがって、かかる組成物は、典型的には、約２０％〜約９５％、又は更には約６０％〜約８５％の濃度で存在する水性キャリアを含む。水性キャリアは、水、又は水と有機溶媒との混和性混合物を含んでもよく、１つの態様では、他の必須成分又は選択的成分の微量成分として組成物に偶然に組み込まれる場合を除いて、最小濃度の有機溶媒を有するか、あるいは有意な濃度の有機溶媒を有さない水を含んでもよい。
【０１３８】
本発明で有用なキャリアとしては、水、並びに低級アルキルアルコール及び多価アルコールの水溶液が挙げられる。本明細書で有用な低級アルキルアルコールは、１〜６個の炭素を有する一価アルコールであり、１つの態様ではエタノール及びイソプロパノールである。本明細書で有用な多価アルコールとしては、プロピレングリコール、ヘキシレングリコール、グリセリン、及びプロパンジオールが挙げられる。
【０１３９】
Ｋ．分散粒子
組成物は、粒子を任意に含んでもよい。粒子は、分散した水不溶性粒子であってよい。粒子は、無機、合成、又は半合成であってよい。一実施形態では、粒子は約３００μｍ未満の平均粒径を有する。
【０１４０】
Ｉ．ゲルマトリックス
上記のカチオン性界面活性剤は、高融点脂肪族化合物及び水性キャリアと一緒になって、本発明の組成物中でゲルマトリックスを形成し得る。
【０１４１】
ゲルマトリックスは、様々なコンディショニング効果、例えば、濡れた毛髪に塗布されている間の滑らかな感触、並びに乾いた毛髪における柔らかさ及びしっとり感をもたらすのに適している。上述のゲルマトリックスの提供を考慮して、カチオン性界面活性剤及び高融点脂肪族化合物は、カチオン性界面活性剤対高融点脂肪族化合物の重量比が約１：１〜約１：１０、又は更には約１：１〜約１：６の範囲であるような濃度で含有される。
【０１４２】
Ｍ．スキンケア活性物質
本組成物は、哺乳類の皮膚の状態及び／又は外観を調節及び／又は改善するのに有用な、少なくとも１つのスキンケア活性物質を含んでもよい。スキンケア活性物質は、油又は水中で可溶性であり得、主に油相中及び／又は水相中に存在することができる。好適な活性物質としては、ビタミン、ペプチド、糖アミン、日焼け止め剤、オイルコントロール剤、日焼け活性物質、抗ニキビ活性物質、落屑活性物質、抗セルライト活性物質、キレート剤、美白剤、フラボノイド、タンパク質分解酵素抑制剤、非ビタミン酸化防止剤及びラジカルスカベンジャー、育毛調整剤、しわ防止活性物質、抗皮膚萎縮防止活性物質、鉱物、フィトステロール及び／又は植物ホルモン、チロシナーゼ抑制剤、抗炎症剤、Ｎ−アシルアミノ酸化合物、抗菌剤、並びに抗カビ剤が挙げられるが、これらに限定されない。
【０１４３】
本組成物は、約０．００１％〜約１０％、あるいは約０．０１％〜約５％の少なくとも１つのビタミンを含んでもよい。本明細書において「ビタミン」とは、ビタミン、プロビタミン、並びにそれらの塩、異性体、及び誘導体を意味する。好適なビタミンの非限定的な例には、ビタミンＢ化合物（Ｂ１化合物、Ｂ２化合物、Ｂ３化合物、例えばナイアシンアミド、ナイアシンニコチン酸、ニコチン酸トコフェリル、Ｃ1〜Ｃ18ニコチン酸エステル、及びニコチニルアルコール等；パンテノール又は「プロＢ５」、パントテン酸、パントテニル等のＢ５化合物；ピロキシジン、ピリドキサール、ピリドキサミン等のＢ６化合物；カルニチン、チアミン、リボフラビンを含む）；ビタミンＡ化合物並びにビタミンＡの天然及び／又は合成類似物、例えばレチノイド、レチノール、酢酸レチニル、パルミチン酸レチニル、レチノイン酸、レチンアルデヒド、プロピオン酸レチニル、カロチノイド（プロビタミンＡ）、及びビタミンＡの生物活性を有するその他の化合物；ビタミンＤ化合物、ビタミンＫ化合物、ビタミンＥ化合物、又はソルビン酸トコフェロール、酢酸トコフェロール、その他のトコフェロール及びトコフェロール化合物のエステルを含むトコフェロール；ビタミンＣ化合物、例えばアスコルビン酸塩、脂肪酸のアスコルビルエステル、並びにアスコルビン酸誘導体、例えば、リン酸アスコルビル、例えばリン酸アスコルビルマグネシウム及びリン酸アスコルビルナトリウム、アスコルビルグルコシド、並びにソルビン酸アスコルビル；並びに飽和及び／又は不飽和脂肪酸等のビタミンＦ化合物が挙げられる。一実施形態において、本組成物は、ビタミンＢ化合物、ビタミンＣ化合物、ビタミンＥ化合物、及びそれらの混合物からなる群から選択されるビタミンを含んでもよい。あるいは、ビタミンは、ナイアシンアミド、ニコチン酸トコフェリル、ピロキシジン、パンテノール、ビタミンＥ、ビタミンＥアセテート、リン酸アスコルビル、アスコルビルグルコシド、及びそれらの混合物からなる群から選択される。
【０１４４】
本組成物は、１つ以上のペプチドを含んでもよい。本明細書で、「ペプチド」とは、１０個以下のアミノ酸を含有するペプチド類、その誘導体類、異性体類、及び金属イオン類（例えば、銅、亜鉛、マンガン及びマグネシウム）のような他の種との錯体を指す。本明細書で使用するとき、ペプチドとは、天然起源ペプチド及び合成ペプチドの両方を指す。一実施形態では、ペプチドは、ジ−、トリ−、テトラ−、ペンタ−、及びヘキサ−ペプチド、それらの塩類、異性体、誘導体、並びにこれらの混合物である。有用なペプチド誘導体の例としては、大豆タンパク質由来のペプチド、カルノシン（β−アラニン−ヒスチジン）、パルミトイル−リジン−トレオニン（ｐａｌ−ＫＴ）及びパルミトイル−リジン−トレオニン−トレオニン−リジン−セリン（ｐａｌ−ＫＴＴＫＳ、ＭＡＴＲＩＸＹＬ（登録商標）として知られている組成物内で入手可能）、パルミトイル−グリシン−グルタミン−プロリン−アルギニン（ｐａｌ−ＧＱＰＲ、ＲＩＧＩＮ（登録商標））として知られている組成物内で入手可能）、これら３つはＳｅｄｅｒｍａ（フランス）から入手可能、アセチル−グルタメート−グルタメート−メチオニン−グルタミン−アルギニン−アルギニン（Ａｃ−ＥＥＭＱＲＲ；Ａｒｇｉｒｅｌｉｎｅ（登録商標）、並びにＣｕ−ヒスチジン−グリシン−グリシン（Ｃｕ−ＨＧＧ、ＩＡＭＩＮ（登録商標）としても知られている）が挙げられるが、これらに限定されない。本組成物は、約１×１０-7％〜約２０％、あるいは約１×１０-6％〜約１０％、あるいは約１×１０-5％〜約５％のペプチドを含み得る。
【０１４５】
本組成物は、アミノ糖としても既知の糖アミン、並びにそれらの塩、異性体、互変異性体、及び誘導体を含み得る。糖アミンは、合成又は天然起源であることができ、純粋な化合物又は化合物の混合物（例えば、自然源からの抽出物、又は合成物質の混合物）として用いることができる。例えば、グルコサミンは、一般に多くの甲殻類の中に見出されており、真菌源由来であることもまた可能である。糖アミンの例としては、グルコサミン、Ｎ−アセチルグルコサミン、マンノサミン、Ｎ−アセチルマンノサミン、ガラクトサミン、Ｎ−アセチルガラクトサミン、これらの異性体（例えば、立体異性体）、及びこれらの塩（例えば、ＨＣｌ塩）が挙げられる。スキンケア組成物において有用なその他の糖アミン化合物には、Ｙｕらに発行された米国特許第６，１５９，４８５号に記載のものが挙げられる。一実施形態において、組成物は、約０．０１％〜約１５％、あるいは約０．１％〜約１０％、あるいは約０．５％〜約５％の糖アミンを含み得る。
【０１４６】
本組成物は、１つ以上の日焼け止め活性物質（若しくは日焼け止め剤）及び／又は紫外線吸収剤を含んでもよい。本明細書において、好適な日焼け止め活性物質には、油溶性日焼け止め剤、不溶性日焼け止め剤、及び水溶性日焼け止め剤が挙げられる。ある特定の実施形態では、本組成物は、組成物の約１重量％〜約２０重量％、あるいは、約２重量％〜約１０重量％の日焼け止め活性物質及び／又は紫外線吸収剤を含み得る。正確な量は、選択した日焼け止め活性物質及び／又は紫外線吸収剤並びに所望の太陽光線保護指数（ＳＰＦ）に応じて異なり、当業者の知識と判断の範囲内である。
【０１４７】
好適な油溶性日焼け止め剤の非限定的な例には、ベンゾフェノン−３，ビス−エチルヘキシルオキシフェノールメトキシフェニルトリアジン、ブチルメトキシジベンゾイル−メタン、ジエチルアミノヒドロキシ−ベンゾイルヘキシルベンゾエート、ドロメトリゾールトリシロキサン、エチルヘキシルメトキシシンナメート、サリチル酸エチルヘキシル、エチルヘキシルトリアゾン、オクトクリレン、ホモサレート、ポリシリコーン−１５、並びにそれらの誘導体及びそれらの混合物が挙げられる。
【０１４８】
好適な不溶性日焼け止め剤の非限定的な例としては、メチレンビス−ベンゾトリアゾリルテトラメチルブチル−フェノール、二酸化チタン、酸化亜鉛セリウム、酸化亜鉛、並びにこれらの誘導体及び混合物が挙げられる。
【０１４９】
好適な水溶性日焼け止め剤の非限定的な例には、フェニルベンズイミダゾールスルホン酸（ＰＢＳＡ）、テレフタリリデンジカンファースルホン酸、（Ｍｅｘｏｒｙｌ（商標）ＳＸ）、ベンゾフェノン−４、ベンゾフェノン−５、ベンジリデンカンファースルホン酸、シナミドプロピル−トリモニウムクロライド、メトキシシナミド−プロピルエチルジモニウムクロライドエーテル、ビスエチルフェニルトリアミノトリアジンスチルベンジスルホン酸二ナトリウム、ジスチリルビフェニルジスルホン酸二ナトリウム、フェニルジベンズイミダゾールテトラスルホン酸二ナトリウム、メトキシシナミド−プロピルヒドロキシスルタイン、メトキシシナミド−プロピルラウルジモニウムトシレート、ＰＥＧ−２５  ＰＡＢＡ（ｐ−アミノ安息香酸）、ポリクオタニウム−５９、ＴＥＡ−サリチレート、並びにそれらの塩、誘導体、及び混合物が挙げられる。
【０１５０】
本組成物は、皮膚の油又は皮脂の生成を調整し、かつ油性皮膚の外観を改善するための１つ以上の化合物を含んでもよい。好適な皮脂制御剤の例としては、サリチル酸、デヒドロ酢酸、過酸化ベンゾイル、ビタミンＢ３化合物（例えば、ナイアシンアミド又はトコフェリルニコチネート）、それらの異性体、エステル、塩類、並びにこれらの誘導体及び混合物が挙げられる。本組成物は、約０．０００１％〜約１５％、あるいは約０．０１％〜約１０％、あるいは約０．１％〜約５％、あるいは約０．２％〜約２％の皮脂制御剤を含み得る。
【０１５１】
本組成物は、日焼け活性物質を含んでもよい。本組成物は、組成物の約０．１重量％〜約２０重量％、約２重量％〜約７重量％、あるいは約３重量％〜約６重量％の日焼け活性物質を含み得る。好適な日焼け活性物質には、ＤＨＡ又は１，３−ジヒドロキシ−２−プロパノンとしても既知のジヒドロキシアセトンが挙げられる。
【０１５２】
本組成物は、安全かつ有効な量の１つ以上の抗にきび活性物質を含んでもよい。有用な抗にきび活性物質の例には、レゾルシノール、硫黄、サリチル酸、エリスロマイシン、亜鉛、及び過酸化ベンゾイルが挙げられる。好適な抗にきび活性物質は、米国特許第５，６０７，９８０号に更に詳細に記載されている。本組成物は、組成物の例えば約０．０１重量％〜約１０重量％、約０．５重量％〜約５重量％、あるいは約０．１重量％〜約２重量％の、安全かつ有効な量の落屑活性物質を含んでもよい。例えば、落屑活性物質は、皮膚の質感（例えば、滑らかさ）を改善する傾向がある。好適な落屑系は、スルフヒドリル化合物及び双性イオン性界面活性剤を含んでもよく、米国特許第５，６８１，８５２号に記載されている。別の好適な落屑系は、サリチル酸及び双性イオン性界面活性剤を含んでもよく、米国特許第５，６５２，２２８号に記載されている。
【０１５３】
本組成物は、安全かつ有効な量の抗セルライト剤を含んでもよい。好適な抗セルライト剤には、キサンチン化合物（例えば、カフェイン、テオフィリン、テオブロミン、及びアミノフィリン）を挙げることができるが、それに限定されない。
【０１５４】
スキンケア組成物は、組成物の約０．１％〜約１０％又は約１％〜約５％等の、安全かつ有効な量のキレート剤を含んでもよい。例示的なキレート剤は、米国特許第５，４８７，８８４号に開示されている。好適なキレート剤は、フリルジオキシム及び誘導体である。
【０１５５】
本組成物は、皮膚美白剤を含んでもよい。本組成物は、組成物の約０．１重量％〜約１０重量％、約０．２重量％〜約５重量％、あるいは約０．５重量％〜約２重量％の皮膚美白剤を含んでもよい。好適な皮膚美白剤には、コウジ酸、アルブチン、トラネキサム酸、アスコルビン酸及び誘導体（例えば、リン酸アスコルビルマグネシウム又はリン酸アスコルビルナトリウム又はリン酸アスコルビルのその他の塩）、アスコルビルグルコシド等が挙げられる。その他の好適な皮膚美白物質には、ウンデシレノイルフェニルアラニン（ＳＥＰＰＩＣのＳｅｐｉｗｈｉｔｅ（登録商標））、アロエシン、Ａｃｔｉｗｈｉｔｅ（登録商標）（Ｃｏｇｎｉｓ）及びＥｍｂｌｉｃａ（登録商標）（Ｒｏｎａ）が挙げられる。
【０１５６】
本組成物は、フラボノイドを含んでもよい。フラボノイドは、合成材料であっても、抽出物として自然源から得てもよく、更に誘導体化されていてもよい。好適なフラボノイドの部類の例は、米国特許第６，２３５，７７３号に開示されている。
【０１５７】
本組成物は、ヘキサミジン化合物、酢酸バニリン、アントラニル酸メンチル、大豆トリプシン阻害剤、ボーマン−バーク阻害剤、及びそれらの混合物を含むがそれらに限定されないプロテアーゼ阻害剤を含んでもよい。スキンケア組成物は、ヘキサミジン化合物、その塩、及び誘導体を含むことができる。本明細書で使用する場合、「ヘキサミジン化合物」とは、次式を有する化合物を意味する。
【０１５８】
【化７】
2013525564.tif 000008
式中、Ｒ1及びＲ2は任意であるか、又は有機酸（例えば、スルホン酸など）である。特に好適なヘキサミジン化合物は、ジイセチオン酸ヘキサミジンである。
【０１５９】
本組成物は、非ビタミン酸化防止剤及びラジカルスカベンジャー、育毛調整剤、抗しわ活性物質、抗萎縮活性物質、鉱物、フィトステロール及び／又は植物ホルモン、チロシナーゼ阻害剤、抗炎症剤、Ｎ−アシルアミノ酸化合物、抗菌又は抗カビ活性物質、並びにその他の有用なスキンケア活性物質等のその他の選択的成分であってもよく、それらは、米国出願公開第ＵＳ２００６／０２７５２３７Ａ１号及び同第ＵＳ２００４／０１７５３４７Ａ１号に更に詳細に記載されている。
【０１６０】
Ｎ．カラー化粧品
本発明のシリコーンは、化粧品組成物、すなわち、目、眉毛、顔、首、胸、唇、手、脚、又は爪の中、上、又は周囲での使用に好適な製品において使用することもできる。代表的な化粧品製品には、アイライナー、アイシャドウ、アイブローペンシル、マスカラ、アイメーク落とし、つけまつ毛、目の下のコンシーラー、アイクリーム、コンシーラー、補正剤、化粧下地、ほお紅、ブロンザー、ハイライト、シマー、ファンデーション、パウダー、日焼け止め、ブラシ、顔用クリーム、唇用下地、リップペンシル、リップスティック、リップグロス、リップバーム、リップステイン、リップクリーム、及びローションが挙げられる。化粧品の例は、例示的な唇用製品を対象とする米国特許第６，３２５，９９５号、例示的な顔用製品を対象とする米国特許第６，６９６，０４９号、及び米国特許第６，５０３，４９５号で見出される。本発明のシリコーンは、アルキルジメチコーンコポリオール、ポリオール、親水性皮膚トリートメント剤、キャリア、増粘剤（固体ワックス、ゲル化剤、無機増粘剤、油溶性ポリマー、脂肪族化合物、及びそれらの混合物等）、顔料、被膜形成剤、防腐剤、ビタミン等、これらの組成物中に一般に見出される材料と合わせることができる。例として、米国特許第７，２７０，８２８を参照されたい。
【０１６１】
Ｏ．その他の任意構成成分
本発明の組成物は、ビタミンＢ１、Ｂ２、Ｂ６、Ｂ１２、Ｃ等の水溶性ビタミン、パントテン酸、パントテニルエチルエーテル、パンテノール、ビオチン、及びそれらの誘導体、アスパラギン、アラニン、インドール、グルタミン酸等の水溶性アミノ酸及びそれらの塩、ビタミンＡ、Ｄ、Ｅ等の不水溶性ビタミン、並びにそれらの塩及び／又は誘導体、チロシン、トリプタミン等の不水溶性アミノ酸、粘度変性剤、染料、不揮発性溶媒又は希釈剤（水溶性及び不水溶性）、真珠光沢助剤、発泡促進剤、追加の界面活性剤又は非イオン性共界面活性剤、殺シラミ薬、ｐＨ調整剤、香料、防腐剤、キレート剤、タンパク質、皮膚活性剤、日焼け止め剤、紫外線吸収剤、ビタミン、ナイアシンアミド、カフェイン、並びにミノキシジル等の、ビタミン及びアミノ酸も含有し得る。
【０１６２】
本発明の組成物はまた、Ｃ．Ｉ．名を有するもののような水溶性の成分を含む、無機、ニトロソ、モノアゾ、ジスアゾ（disazo）、カロチノイド、トリフェニルメタン、トリアリールメタン、キサンテン、キノリン、オキサジン、アジン、アントラキノン、インジゴイド、チオンインジゴイド、キナクリドン、フタロシアニン（phthalocianine）、植物の色、天然の色などの、顔料物質を含有してもよい。また、本発明の組成物は、化粧用殺生物剤として有用である抗菌剤を含んでもよい。本発明の組成物はまた、キレート剤を含有してもよい。
【０１６３】
本発明の組成物は、一次中間体（顕色剤）又はカップラーの形態の酸化染料化合物を含んでもよい。本発明の組成物で使用するのに好適な化合物（任意に加えるものを含む）は、それらが塩基である場合に限り、遊離塩基として、又は例えば、塩酸、臭化水素酸、クエン酸、酢酸、乳酸、コハク酸、酒石酸若しくは硫酸などの、生理学的に適合性のあるそれらの有機酸塩又は無機酸塩の形態で使用してもよく、あるいは、それらが芳香族ヒドロキシル基を有する場合に限り、塩基塩、例えばアルカリフェノレートの形態で使用してもよい。
【０１６４】
顕色剤
本明細書に記載の組成物において使用される好適な顕色剤には、ｐ−フェニレンジアミン誘導体、例えば、ベンゼン−１，４−ジアミン（ｐ−フェニレンジアミンとして一般に既知）；２−クロロ−ベンゼン−１，４−ジアミン；Ｎ−フェニル−ベンゼン−１，４−ジアミン；Ｎ−（２−エトキシエチル）ベンゼン−１，４−ジアミン；２−［（４−アミノ−フェニル）−（２−ヒドロキシ−エチル）−アミノ］−エタノール（Ｎ，Ｎ−ビス（２−ヒドロキシエチル）−ｐ−フェニレンジアミンとして一般に既知）；（２，５−ジアミノ−フェニル）−メタノール；２−（２，５−ジアミノ−フェニル）−エタノール；Ｎ−（４−アミノフェニル）ベンゼン−１，４−ジアミン；２，６−ジメチル−ベンゼン−１，４−ジアミン；２−イソプロピル−ベンゼン−１，４−ジアミン；１−［（４−アミノフェニル）アミノ］−プロパン−２−オール；２−プロピル−ベンゼン−１，４−ジアミン；１，３−ビス［（４−アミノフェニル）（２−ヒドロキシエチル）アミノ］プロパン−２−オール；Ｎ4，Ｎ4，２−トリメチルベンゼン−１，４−ジアミン；２−メトキシ−ベンゼン−１，４−ジアミン；１−（２，５−ジアミノフェニル）エタノール；１−（２，５−ジアミノフェニル）エタン−１，２−ジオール；２，３−ジメチル−ベンゼン−１，４−ジアミン；Ｎ−（４−アミノ−３−ヒドロキシ−フェニル）−アセトアミド；２，６−ジエチルベンゼン−１，４−ジアミン；２，５−ジメチルベンゼン−１，４−ジアミン；２−チエン−２−イルベンゼン−１，４−ジアミン；２−チエン−３−イルベンゼン−１，４−ジアミン；２−ピリジン−３−イルベンゼン−１，４−ジアミン；１，１’−ビフェニル−２，５−ジアミン；２−（メトキシメチル）ベンゼン−１，４−ジアミン；２−（アミノメチル）ベンゼン−１，４−ジアミン；２−（２，５−ジアミノフェノキシ）エタノール；Ｎ−［２−（２，５−ジアミノフェノキシ）エチル］−アセトアミド；Ｎ，Ｎ−ジメチルベンゼン−１，４−ジアミン；Ｎ，Ｎ−ジエチルベンゼン−１，４−ジアミン；Ｎ，Ｎ−ジプロピルベンゼン−１，４−ジアミン；２−［（４−アミノフェニル）（エチル）アミノ］エタノール；２−［（４−アミノ−３−メチル−フェニル）−（２−ヒドロキシ−エチル）−アミノ］−エタノール；Ｎ−（２−メトキシエチル）−ベンゼン−１，４−ジアミン；３−［（４−アミノフェニル）アミノ］プロパン−１−オール；３−［（４−アミノフェニル）−アミノ］プロパン−１，２−ジオール；Ｎ−｛４−［（４−アミノフェニル）アミノ］ブチル｝ベンゼン−１，４−ジアミン；２−［２−（２−｛２−［（２，５−ジアミノフェニル）−オキシ］エトキシ｝エトキシ）エトキシ］ベンゼン−１，４−ジアミン；２，２’−［１，２−エタンジイル−ビス−（オキシ−２，１−エタンジイルオキシ）］−ビス−ベンゼン−１，４−ジアミン；ｐ−アミノフェノール誘導体、例えば、４−アミノ−フェノール（ｐ−アミノフェノールとして一般に既知）；４−メチルアミノ−フェノール；４−アミノ−３−メチル−フェノール；４−アミノ−２−ヒドロキシメチル−フェノール；４−アミノ−２−メチル−フェノール；４−アミノ−１−ヒドロキ���−２−（２’−ヒドロキシエチルアミノメチル）ベンゼン；４−アミノ−２−メトキシメチル−フェノール；５−アミノ−２−ヒドロキシ−安息香酸；１−（５−アミノ−２−ヒドロキシ−フェニル）−エタン−１，２−ジオール；４−アミノ−２−（２−ヒドロキシ−エチル）−フェノール；４−アミノ−３−（ヒドロキシメチル）フェノール；４−アミノ−３−フルオロ−フェノール；４−アミノ−２−（アミノメチル）−フェノール；４−アミノ−２−フルオロ−フェノール；ｏ−フェニレンジアミン誘導体、例えば、３，４−ジアミノ安息香酸及びその塩；ｏ−アミノフェノール誘導体、例えば、２−アミノ−フェノール（ｏ−アミノフェノールとして一般に既知）；２，４−ジアミノフェノール；２−アミノ−５−メチル−フェノール；２−アミノ−５−エチル−フェノール；２−アミノ−６−メチル−フェノール；Ｎ−（４−アミノ−３−ヒドロキシ−フェニル）−アセトアミド；及び２−アミノ−４−メチル−フェノール；及び複素環式誘導体、例えば、ピリミジン−２，４，５，６−テトラミン（２，４，５，６−テトラアミノピリミジンとして一般に既知）；１−メチル−１Ｈ−ピラゾール−４，５−ジアミン；２−（４，５−ジアミノ−１Ｈ−ピラゾール−１−イル）エタノール；Ｎ2，Ｎ2−ジメチル−ピリジン−２，５−ジアミン；２−［（３−アミノ−６−メトキシピリジン−２−イル）アミノ］エタノール；６−メトキシ−Ｎ2−メチル−ピリジン−２，３−ジアミン；ピリジン−２，５−ジアミン；１−イソプロピル−１Ｈ−ピラゾール−４，５−ジアミン；１−（４−メチルベンジル）−１Ｈ−ピラゾール−４，５−ジアミン；１−（ベンジル）−１Ｈ−ピラゾール−４，５−ジアミン；１−（４−クロロベンジル）−１Ｈ−ピラゾール−４，５−ジアミン；ピラゾロ［１，５−ａ］−ピリミジン−３，７−ジアミン；５，６，７−トリメチルピラゾロ［１，５−ａ］ピリミジン−３−イルアミンヒドロクロライド；７−メチルピラゾロ［１，５−ａ］ピリミジン−３−イルアミンヒドロクロライド；２，５，６，７−テラメチル−ピラゾロ［１，５−ａ］ピリミジン−３−イルアミンヒドロクロライド；５，７−ジ−ｔｅｒｔ−ブチルピラゾロ［１，５−ａ］ピリミジン−３−イルアミンヒドロクロライド；５，７−ジ−トリフルオロメチル−ピラゾロ［１，５−ａ］ピリミジン−３−イルアミンヒドロクロライド；２−メチルピラゾロ［１，５−ａ］ピリミジン−３，７−ジアミンヒドロクロライド；４−ヒドロキシ−２，５，６−トリアミノピリミジン；２，３−ジアミノ−６，７−ジヒドロピラゾロ［１，２−ａ］ピラゾール−１（５Ｈ）−オンジメトスルホネート及びその塩が挙げられるが、それらに限定されない。
【０１６５】
更なる顕色剤は、Ｎ−（３−フリルメチル）ベンゼン−１，４−ジアミン；Ｎ−チオフェン−３−イルメチル−ベンゼン−１，４−ジアミン；Ｎ−（２−フリルメチル）ベンゼン−１，４−ジアミン；Ｎ−チオフェン−２−イルメチル−ベンゼン−１，４−ジアミン；３−（２，５−ジアミノ−フェニル）−Ｎ−エチル−アクリルアミド；２−［３−（３−アミノ−フェニルアミノ）−プロペニル］−ベンゼン−１，４−ジアミン；２−［３−（４−アミノ−フェニルアミノ）−プロペニル］−ベンゼン−１，４−ジアミン；２−（６−メチル−ピリジン−２−イル）−ベンゼン−１，４−ジアミン；２−ピリジン−２−イル−ベンゼン−１，４−ジアミン；２−［３−（４−アミノ−フェニルアミノ）−プロペニル］−ベンゼン−１，４−ジアミン；２−［３−（３−アミノ−フェニルアミノ）−プロペニル］−ベンゼン−１，４−ジアミン；３−（２，５−ジアミノ−フェニル）−Ｎ−エチル−アクリルアミド；２−チアゾール−２−イル−ベンゼン−１，４−ジアミン；３’−フルオロ−ビフェニル−２，５−ジアミン；２−プロペニル−ベンゼン−１，４−ジアミン；２’−クロロ−ビフェニル−２，５−ジアミン；４’−メトキシ−ビフェニル−２，５−ジアミン；Ｎ−（４−アミノ−ベンジル）−ベンゼン−１，４−ジアミン；Ｎ−［４−アミノ−２−（２−ヒドロキシ−エチル）−２Ｈ−ピラゾール−３−イル］−３−（５−アミノ−２−ヒドロキシ−フェニル）−アクリルアミドヒドロクロライド；４−アミノ−２−プロピルアミノメチル−フェノール；４−アミノ−２−（イソプロピルアミノ−メチル）−フェノールヒドロクロライド；４−アミノ−２−［（２−ヒドロキシ−５−ニトロ−フェニルアミノ）−メチル］−フェノールヒドロクロライド；４−アミノ−２−（ピリジン−３−イルアミノメチル）−フェノール；５−シクロブチルアミノ−２−メチル−フェノール；４，５−ジアミノ−１−メチル−１Ｈ−ピラゾール−３−カルボニトリル；３−メトキシ−１−プロピル−１Ｈ−ピラゾール−４，５−ジアミン；３−メトキシ−１−（２−メトキシエチル）−１Ｈ−ピラゾール−４，５−ジアミン；１−（２−アミノエチル）−３−メトキシ−１Ｈ−ピラゾール−４，５−ジアミン；８−メトキシ−１，２，４，５−テトラヒドロピラゾロ［５，１−ｄ］［１，３，５］オキサジアゼピン−９−アミン；１−（２−ヒドロキシエチル）−３−メトキシ−１Ｈ−ピラゾール−４，５−ジアミン；１−シクロヘキシル−３−メトキシ−１Ｈ−ピラゾール−４，５−ジアミン；６−メトキシ−１−メチル−２，３−ジヒドロ−１Ｈ−イミダゾ［１，２−ｂ］ピラゾール−７−アミン；２−メトキシ−４，５，６，７−テトラヒドロピラゾロ［１，５−ａ］ピリミジン−３−アミン；３−メトキシ−１−オクチル−１Ｈ−ピラゾール−４，５−ジアミン；３−メトキシ−１−ペンチル−１Ｈ−ピラゾール−４，５−ジアミン；６−メトキシ−２，３−ジヒドロ−１Ｈ−イミダゾ［１，２−ｂ］ピラゾール−７−アミン；３−メトキシ−Ｎ5，Ｎ5−ジメチル−１−プロピル−１Ｈ−ピラゾール−４，５−ジアミン；１−ヘキシル−３−メトキシ−１Ｈ−ピラゾール−４，５−ジアミン；１−ブチル−３−メトキシ−���Ｈ−ピラゾール−４，５−ジアミン；１−イソプロピル−３−メトキシ−１Ｈ−ピラゾール−４，５−ジアミン；１−エチル−３−メトキシ−１Ｈ−ピラゾール−４，５−ジアミン；３−メトキシ−１−（４−メトキシベンジル）−１Ｈ−ピラゾール−４，５−ジアミン；３−メトキシ−１−（ピリジン−２−イル）−１Ｈ−ピラゾール−４，５−ジアミン；１−（４−エチルフェニル）−３−メトキシ−１Ｈ−ピラゾール−４，５−ジアミン；３−メトキシ−１−ｐ−トリル−１Ｈ−ピラゾール−４，５−ジアミン；３−シアノ−１−（２−ヒドロキシエチル）−１Ｈ−ピラゾール−４，５−ジアミン；１−ブチル−３−シアノ−１Ｈ−ピラゾール−４，５−ジアミン；３−シアノ−１−フェニル−１Ｈ−ピラゾール−４，５−ジアミン；３−シアノ−１−ヘキシル−１Ｈ−ピラゾール−４，５−ジアミン；１−ブチル−３−シアノ−１Ｈ−ピラゾール−４，５−ジアミン；３−シアノ−１−（４−メトキシベンジル）−１Ｈ−ピラゾール−４，５−ジアミン；３−シアノ−１−イソプロピル−１Ｈ−ピラゾール−４，５−ジアミン；１−シクロヘキシル−３−フルオロ−Ｎ5−イソプロピル−１Ｈ−ピラゾール−４，５−ジアミン；１−メチル−３−（トリフルオロメトキシ）−１Ｈ−ピラゾール−４，５−ジアミン；３−フルオロ−１−オクチル−１Ｈ−ピラゾール−４，５−ジアミン；３−クロロ−１−ヘキシル−１Ｈ−ピラゾール−４，５−ジアミン；３−フルオロ−１−（２−ヒドロキシエチル）−１Ｈ−ピラゾール−４，５−ジアミン；３−クロロ−１−（２−ヒドロキシエチル）−１Ｈ−ピラゾール−４，５−ジアミン；３−クロロ−１−（４−ヒドロキシブチル）−１Ｈ−ピラゾール−４，５−ジアミン；３−クロロ−１−（ピリジン−２−イル）−１Ｈ−ピラゾール−４，５−ジアミン；３−クロロ−１−フェニル−１Ｈ−ピラゾール−４，５−ジアミン；３−クロロ−１−エチル−１Ｈ−ピラゾール−４，５−ジアミン；１−（３−メトキシプロピル）−３−（メチルスルフィニル）−１Ｈ−ピラゾール−４，５−ジアミン；１−（３−ヒドロキシプロピル）−３−（メチルスルフィニル）−１Ｈ−ピラゾール−４，５−ジアミン；１−（４−メトキシベンジル）−３−（メチルスルホニル）−１Ｈ−ピラゾール−４，５−ジアミン；１−メチル−３−（メチルスルホニル）−１Ｈ−ピラゾール−４，５−ジアミン；及びその塩からなる群から選択される。
【０１６６】
いくつかの実施形態では、顕色剤には、ｐ−フェニレンジアミン誘導体、例えば、２−メチル−ベンゼン−１，４−ジアミン；ベンゼン−１，４−ジアミン；１−（２，５−ジアミノ−フェニル）−エタノール；２−（メトキシメチル）ベンゼン−１，４−ジアミン；Ｎ−（２−メトキシエチル）ベンゼン−１，４−ジアミン；１−（２，５−ジアミノフェニル）エタン−１，２−ジオール；１，３−ビス（Ｎ−（２−ヒドロキシエチル）−Ｎ−（４−アミノ−フェニル）アミノ）−２−プロパノール；２，２’−［１，２−エタンジイル−ビス−（オキシ−２，１−エタンジイルオキシ）］−ビス−ベンゼン−１，４−ジアミン；Ｎ，Ｎ−ビス（２−ヒドロキシエチル）−ｐ−フェニレンジアミン；及びそれらの混合物；ｐ−アミノフェノール誘導体、例えば、４−アミノ−フェノール；４−メチルアミノ−フェノール；４−アミノ−３−メチル−フェノール；４−アミノ−２−メトキシメチル−フェノール；１−（５−アミノ−２−ヒドロキシ−フェニル）−エタン−１，２−ジオール；４−アミノ−２−アミノメチルフェノール；４−アミノ−１−ヒドロキシ−２−（２’−ヒドロキシエチルアミノメチル）ベンゼン；５−アミノサリチル酸；その塩；及びそれらの混合物；ｏ−フェニレンジアミン誘導体、例えば、３，４−ジアミノ安息香酸及びその塩；ｏ−アミノフェノール誘導体、例えば、２−アミノ−フェノール；２−アミノ−５−メチル−フェノール；２−アミノ−６−メチル−フェノール；Ｎ−（４−アミノ−３−ヒドロキシ−フェニル）−アセトアミド；２−アミノ−４−メチル−フェノール；２−アミノ−５−エチル−フェノール；及びそれらの混合物；並びに複素環式誘導体、例えば、ピリミジン−２，４，５，６−テトラミン；１−メチル−１Ｈ−ピラゾール−４，５−ジアミン；２−（４，５−ジアミノ−１Ｈ−ピラゾール−１−イル）エタノール；１−（４−メチルベンジル）−１Ｈ−ピラゾール−４，５−ジアミン；１−（ベンジル）−１Ｈ−ピラゾール−４，５−ジアミン；Ｎ2，Ｎ2−ジメチル−ピリジン−２，５−ジアミン；４−ヒドロキシ−２，５，６−トリアミノピリミジン；その塩；及びそれらの混合物が挙げられるが、それらに限定されない。
【０１６７】
特定の実施形態では、顕色剤としては、２−メチル−ベンゼン−１，４−ジアミン；２−（メトキシメチル）ベンゼン−１，４−ジアミン；ベンゼン−１，４−ジアミン；Ｎ，Ｎ−ビス（２−ヒドロキシエチル）−ｐ−フェニレンジアミン；４−アミノ−フェノール；４−メチルアミノ−フェノール；４−アミノ−３−メチル−フェノール；２−アミノ−フェノール；２−アミノ−５−メチル−フェノール；２−アミノ−５−エチル−フェノール；２−アミノ−６−メチル−フェノール；１−メチル−１Ｈ−ピラゾール−４，５−ジアミン；２−（４，５−ジアミノ−１Ｈ−ピラゾール−１−イル）エタノール；２，５−ジアミノトルエン；２，５−ジアミノフェニルエチルアルコール；これらの塩；及びこれらの混合物が挙げられる。
【０１６８】
カップラー
本明細書に記載の組成物において使用される好適なカップラーには、フェノール、レゾルシノール、ナフトール、ｍ−アミノフェノール、ｍ−フェニレンジアミン、及び複素環式化合物、並びにその誘導体、例えば、２−アミノ−５−エチル−フェノール；ナフタレン−１，７−ジオール；ベンゼン−１，３−ジオール；４−クロロベンゼン−１，３−ジオール；ナフタレン−１−オール；２−メチル−ナフタレン−１−オール；ナフタレン−１，５−ジオール；ナフタレン−２，７−ジオール；ベンゼン−１，４−ジオール；２−メチル−ベンゼン−１，３−ジオール；７−アミノ−４−ヒドロキシ−ナフタレン−２−スルホン酸；１，２，３，４−テトラヒドロ−ナフタレン−１，５−ジオール；２−クロロ−ベンゼン−１，３−ジオール；４−ヒドロキシ−ナフタレン−１−スルホン酸；ベンゼン−１，２，３−トリオール；ナフタレン−２，３−ジオール；５−クロロ−２−メチルベンゼン−１，３−ジオール；４，６−ジクロロベンゼン−１，３−ジオール；２，３−ジヒドロキシ−［１，４］ナフトキノン；及び１−アセトキシ−２−メチルナフタレン；ｍ−フェニレンジアミン、例えば、２，４−ジアミノフェノール；ベンゼン−１，３−ジアミン；２−（２，４−ジアミノ−フェノキシ）−エタノール；２−［（３−アミノ−フェニル）−（２−ヒドロキシ−エチル）−アミノ］−エタノール；２−メチル−ベンゼン−１，３−ジアミン；２−［［２−（２，４−ジアミノ−フェノキシ）−エチル］−（２−ヒドロキシ−エチル）−アミノ］−エタノール；４−｛３−［（２，４−ジアミノフェニル）オキシ］プロポキシ｝ベンゼン−１，３−ジアミン；２−（２，４−ジアミノ−フェニル）−エタノール；２−（３−アミノ−４−メトキシ−フェニルアミノ）−エタノール；４−（２−アミノ−エトキシ）−ベンゼン−１，３−ジアミン；（２，４−ジアミノ−フェノキシ）−酢酸；２−［２，４−ジアミノ−５−（２−ヒドロキシ−エトキシ）−フェノキシ］−エタノール；４−エトキシ−６−メチル−ベンゼン−１，３−ジアミン；２−（２，４−ジアミノ−５−メチル−フェノキシ）−エタノール；４，６−ジメトキシ−ベンゼン−１，３−ジアミン；２−［３−（２−ヒドロキシ−エチルアミノ）−２−メチル−フェニルアミノ］−エタノール；３−（２，４−ジアミノ−フェノキシ）−プロパン−１−オール；Ｎ−［３−（ジメチルアミノ）フェニル］尿素；４−メトキシ−６−メチルベンゼン−１，３−ジアミン；４−フルオロ−６−メチルベンゼン−１，３−ジアミン；２−（｛３−［（２−ヒドロキシエチル）アミノ］−４，６−ジメトキシフェニル｝−アミノ）エタノール；３−（２，４−ジアミノフェノキシ）−プロパン−１，２−ジオール；２−［２−アミノ−４−（メチルアミノ）−フェノキシ］エタノール；２−［（５−アミノ−２−エトキシ−フェニル）−（２−ヒドロキシ−エチル）−アミノ］−エタノール；２−［（３−アミノフェニル）アミノ］エタノール；２，４−ジアミノ−５−（２’−ヒドロキシエチルオキシ）トルエン；Ｎ，Ｎ−ジメチル−３−ウレイドアニリン；Ｎ−（２−アミノエチル）ベンゼン−１，３−ジアミン；４−｛［（２，４−ジアミノ−フェニル）オキシ］メトキシ｝−ベンゼン−１，３−ジアミン；１−メチル−２，６−ビス（２−ヒドロキシエチルアミノ）ベンゼン；及び２，４−ジメトキシベンゼン−１，３−ジアミン；１，３−ビス−（２，４−ジアミノフェノキシ）プロパン；２−メチル−５−［（１−Ｈ−ピロール−２−イルメチル）−アミノ］−フェノール；５−［（フラン−２−イルメチル）−アミノ］−２−メチル−フェノール；５−イソプロピルアミノ−２−メチル−フェノール；ビフェニル−２，４，４’−トリアミンヒドロクロライド；５−（４−アミノ−フェニル）アミノメチル−ベンゼン−１，３−ジアミンヒドロクロライド；５−フェニルアミノメチル−ベンゼン−１，３−ジアミンヒドロクロライド；２−［４−アミノ−２−（３，５−ジアミノ−ベンジルアミノ）−フェノキシ］−エタノールヒドロクロライド；５−（３−アミノ−フェニル）アミノメチル−ベンゼン−１，３−ジアミンヒドロクロライド；Ｎ−（２−アミノ−ベンジル）−ベンゼン−１，３−ジアミンヒドロクロライド；Ｎ−フラン−２−イルメチル−ベンゼン−１，３−ジアミンヒドロクロライド；２−［（３−アミノ−フェニルアミノ）−メチル］−フェノールヒドロクロライド；４−アミノ−２−プロピルアミノメチル−フェノール；Ｎ−ベンゾ［１，３］ジオキソール−５−イルメチル−ベンゼン−１，３−ジアミンヒドロクロライド；Ｎ−［４−アミノ−２−（２−ヒドロキシ−エチル）−２Ｈ−ピラゾール−３−イル］−３−（５−アミノ−２−ヒドロキシ−フェニル）−アクリルアミド；４−チオフェン−３−イル−ベンゼン−１，３−ジアミン；５−フェニルアミノメチル−ベンゼン−１，３−ジアミンヒドロクロライド；５−（３−アミノ−フェニル）アミノメチル−ベンゼン−１，３−ジアミンヒドロクロライド；４−チオフェン−３−イル−ベンゼン−１，３−ジアミン；２’，４’−ジアミノ−ビフェニル−４−オール；５−シクロブチルアミノ−２−メチル−フェノール；５−シクロブチルアミノ−２−メチル−フェノール；４−アミノ−２−（ピリジン−３−イルアミノメチル）−フェノール；５−（３−アミノ−フェニル）アミノメチル−ベンゼン−１，３−ジアミンヒドロクロライド；５−アリルアミノメチル−ベンゼン−１，３−ジアミンヒドロクロライド；Ｎ−（４−アミノ−ベンジル）−ベンゼン−１，３−ジアミンヒドロクロライド；Ｎ−ベンジル−ベンゼン−１，３−ジアミンヒドロクロライド；３−［（３−アミノ−フェニルアミノ）−メチル］−フェノールヒドロクロライド；Ｎ−（４−メトキシ−ベンジル）−ベンゼン−１，３−ジアミンヒドロクロライド；Ｎ−チオフェン−２−イルメチル−ベンゼン−１，３−ジアミンヒドロクロライド；４−アミノ−２−［（２−ヒドロキシ−５−ニトロ−フェニルアミノ）−メチル］−フェノール；２’，４’−ジアミノ−ビフェニル−４−オールヒドロクロライド；ビフェニル−２，４，４’−トリアミン；５−（４−アミノ−フェニル）アミノメチル−ベンゼン−１，３−ジアミンヒドロクロライド；２−［４−アミノ−２−（３，５−ジアミノ−ベンジルアミノ）−フェノキシ］−エタノールヒドロクロライド；５−アリルアミノメチル−ベンゼン−１，３−ジアミンヒドロクロライド；５−（３−アミノ−フェニル）アミノメチル−ベンゼン−１，３−ジアミンヒドロクロライド；Ｎ−（４−アミノ−ベンジル）−ベンゼン−１，３−ジアミンヒドロクロライド；Ｎ−ベンジル−ベンゼン−１，３−ジアミンヒドロクロライド；３−［（３−アミノ−フェニルアミノ）−メチル］−フェノールヒドロクロライド；Ｎ−（２−アミノ−ベンジル）−ベンゼン−１，３−ジアミンヒドロクロライド；Ｎ−（４−メトキシ−ベンジル）−ベンゼン−１，３−ジアミンヒドロクロライド；Ｎ−フラン−２−イルメチル−ベンゼン−１，３−ジアミンヒドロクロライド；２−［（３−アミノ−フェニルアミノ）−メチル］−フェノールヒドロクロライド；Ｎ−チオフェン−２−イルメチル−ベンゼン−１，３−ジアミンヒドロクロライド；Ｎ−ベンゾ［１，３］ジオキソール−５−イルメチル−ベンゼン−１，３−ジアミンヒドロクロライド；ｍ−アミノフェノール、例えば、３−アミノ−フェノール；２−（３−ヒドロキシ−４−メチル−フェニルアミノ）−アセトアミド；２−（３−ヒドロキシ−フェニルアミノ）−アセトアミド；５−アミノ−２−メチル−フェノール；３−アミノ−２，６−ジメチルフェノール；５−（２−ヒドロキシ−エチルアミノ）−２−メチル−フェノール；５−アミノ−２，４−ジクロロ−フェノール；３−アミノ−２−メチル−フェノール；３−アミノ−２，６−ジメチル−フェノール；３−アミノ−２−クロロ−６−メチル−フェノール；５−アミノ−２−（２−ヒドロキシ−エトキシ）−フェノール；２−クロロ−５−（２，２，２−トリフルオロ−エチルアミノ）−フェノール；５−アミノ−４−クロロ−２−メチル−フェノール；３−シクロペンチルアミノ−フェノール；５−［（２−ヒドロキシエチル）アミノ］−４−メトキシ−２−メチルフェノール；５−アミノ−４−メトキシ−２−メチルフェノール；３−（ジメチルアミノ）フェノール；３−（ジエチルアミノ）フェノール；５−アミノ−４−フルオロ−２−メチルフェノール；５−アミノ−４−エトキシ−２−メチルフェノール；３−アミノ−２，４−ジクロロ−フェノール；３−［（２−メトキシエチル）アミノ］フェノール；３−［（２−ヒドロキシエチル）アミノ］フェノール；５−アミノ−２−エチル−フェノール；５−アミノ−２−メトキシフェノール；５−［（３−ヒドロキシ−プロピル）アミノ］−２−メチルフェノール；３−［（３−ヒドロキシ−２−メチルフェニル）−アミノ］プロパン−１，２−ジオール；３−［（２−ヒドロキシエチル）アミノ］−２−メチルフェノール；２−メチル−５−［（１−Ｈ−ピロール−２−イルメチル）−アミノ］−フェノール；５−［（フラン−２−イルメチル）−アミノ］−２−メチル−フェノール；５−イソプロピルアミノ−２−メチル−フェノール；ｍ−アミノフェノール、例えば、３，４−ジヒドロ−２Ｈ−１，４−ベンゾオキサジン−６−オール；６−メトキシキノリン−８−アミン；４−メチルピリジン−２，６−ジオール；２，３−ジヒドロ−１，４−ベンゾジオキシン−５−オール；１，３−ベンゾジオキソール−５−オール；２−（１，３−ベンゾジオキソール−５−イルアミノ）エタノール；３，４−ジメチルピリジン−２，６−ジオール；５−クロロピリジン−２，３−ジオール；２，６−ジメトキシピリジン−３，５−ジアミン；１，３−ベンゾジオキソール−５−アミン；２−｛［３，５−ジアミノ−６−（２−ヒドロキシ−エトキシ）−ピリジン−２−イル］オキシ｝−エタノール；１Ｈ−インドール−４−オール；５−アミノ−２，６−ジメトキシピリジン−３−オール；１Ｈ−インドール−５，６−ジオール；１Ｈ−インドール−７−オール；１Ｈ−インドール−５−オール；１Ｈ−インドール−６−オール；６−ブロモ−１，３−ベンゾジオキソール−５−オール；２−アミノピリジン−３−オール；ピリジン−２，６−ジアミン；３−［（３，５−ジアミノピリジン−２−イル）オキシ］プロパン−１，２−ジオール；５−［（３，５−ジアミノピリジン−２−イル）オキシ］ペンタン−１，３−ジオール；インドリン−５，６−ジオール；３，５−ジメトキシピリジン−２，６−ジアミン；６−メトキシピリジン−２，３−ジアミン；３，４−ジヒドロ−２Ｈ−１，４−ベンゾオキサジン−６−アミン；４−ヒドロキシ−Ｎ−メチルインドール；１Ｈ−５−メチルピラゾール−５−オン；１−フェニル−３−メチルピラゾール−５−オン；２，６−ジメチルピラゾロ［１，５−ｂ］−１，２，４−トリアゾール；２，６−ジメチル［３，２−ｃ］−１，２，４−トリアゾール；６−メチルピラゾロ−［１，５−ａ］ベンズイミダゾール；２，６−ジヒドロキシピリジン；２，６−ジヒドロキシ−３，４−ジメチルピリジン；５−メチルピラゾロ［５，１−ｅ］−１，２，３−トリアゾール；５−メチル−６−クロロピラゾロ［５，１−ｅ］−１，２，３−トリアゾール；５−フェニルピラゾロ［５，１−ｅ］−１，２，３−トリアゾール及びその追加の塩；１Ｈ−２，６−ジメチルピラゾロ［１，５−ｂ］−１，２，４−トリアゾールトシレート；７，８−ジシアノ−４−メチルイミダゾロ−［３，２−ａ］イミダゾール；２，７−ジメチルピラゾロ［１，５−ａ］ピリミジン−５−オン；２，５−ジメチルピラゾロ［１，５−ａ］ピリミジン−７−オン；及び２−メチル−５−メトキシメチル−ピラゾロ［１，５−ａ］ピリミジン−７−オン；６−ヒドロキシベンゾモルホリン；及び３−アミノ−２−メチルアミノ−６−メトキシピリジン；その塩；及びそれらの混合物が挙げられるが、それらに限定されない。
【０１６９】
いくつかの実施形態では、カップラーには、フェノール、レゾルシノール、及びナフトール誘導体、例えば、２−アミノ−５−エチル−フェノール；ナフタレン−１，７−ジオール；ベンゼン−１，３−ジオール；４−クロロベンゼン−１，３−ジオール；ナフタレン−１−オール；２−メチル−ナフタレン−１−オール；ナフタレン−１，５−ジオール；ナフタレン−２，７−ジオール；ベンゼン−１，４−ジオール；２−メチル−ベンゼン−１，３−ジオール；及び２−イソプロピル−５−メチルフェノール；１，２，４−トリヒドロキシベンゼン；１−アセトキシ−２−メチルナフタレン；及びそれらの混合物；ｍ−フェニレンジアミン誘導体、例えば、ベンゼン−１，３−ジアミン；２−（２，４−ジアミノ−フェノキシ）−エタノール；４−｛３−［（２，４−ジアミノフェニル）オキシ］プロポキシ｝ベンゼン−１，３−ジアミン；２−（３−アミノ−４−メトキシ−フェニルアミノ）−エタノール；２−［２，４−ジアミノ−５−（２−ヒドロキシ−エトキシ）−フェノキシ］−エタノール；及び３−（２，４−ジアミノ−フェノキシ）−プロパン−１−オール；２，４−ジアミノ−５−（２’−ヒドロキシエチルオキシ）トルエン；Ｎ，Ｎ−ジメチル−３−ウレイドアニリン；２，４−ジアミノ−５−フルオロトルエン；１−メチル−２，６−ビス（２−ヒドロキシエチルアミノ）ベンゼン；及びそれらの混合物；ｍ−アミノフェノール誘導体、例えば、３−アミノフェノール；５−アミノ−２−メチル−フェノール；３−アミノ−２，６−ジメチルフェノール；５−（２−ヒドロキシ−エチルアミノ）−２−メチル−フェノール；及び３−アミノ−２−メチル−フェノール；１−ヒドロキシ−３−アミノ−２，４−ジクロロベンゼン；１，３−ビス−（２，４−ジアミノフェノキシ）プロパン；１−ヒドロキシ−２−メチル−５−アミノ−６−クロロベンゼン；５−アミノ−４−クロロ−２−メチルフェノール；及びそれらの混合物；及び複素環式誘導体、例えば、３，４−ジヒドロ−２Ｈ−１，４−ベンゾオキサジン−６−オール；１，３−ベンゾジオキソール−５−オール；１，３−ベンゾジオキソール−５−アミン；１Ｈ−インドール−４−オール；１Ｈ−インドール−５，６−ジオール；１Ｈ−インドール−７−オール；１Ｈ−インドール−５−オール；１Ｈ−インドール−６−オール；ピリジン−２，６−ジアミン；２−アミノピリジン−３−オール；４−ヒドロキシ−Ｎ−メチルインドール；１Ｈ−５−メチルピラゾール−５−オン；１−フェニル−３−メチルピラゾール−５−オン；２，６−ジメチルピラゾロ［１，５−ｂ］−１，２，４−トリアゾール；２，６−ジメチル［３，２−ｃ］−１，２，４−トリアゾール；６−メチルピラゾロ−［１，５−ａ］ベンズイミダゾール；２，６−ジヒドロキシピリジン；２，６−ジヒドロキシ−３，４−ジメチルピリジン；６−ヒドロキシベンゾモルホリン；２，６−ジヒドロキシ−３，４−ジメチルピリジン；３，５−ジアミノ−２，６−ジメトキシピリジン；３−アミノ−２−メチルアミノ−６−メトキシピリジン；その塩；並びにそれらの混合物が挙げられるが、それらに限定されない。
【０１７０】
ある特定の実施形態では、カップラーは、２−アミノ−５−エチル−フェノール；ベンゼン−１，３−ジオール；４−クロロベンゼン−１，３−ジオール；４，６−ジクロロベンゼン−１，３−ジオール；２−メチル−ベンゼン−１，３−ジオール；２−アミノ−４−（２’−ヒドロキシエチル）アミノアニソール；２，４−ジアミノベンジルアルコール；２，４−ジアミノフェニルエチルアルコール；ｍ−フェニレンジアミン；５−アミノ−２−メチル−フェノール；３−アミノ−２，６−ジメチルフェノール；２，４−ジアミノフェノキシエタノール；１−ナフトール；２−メチル−ナフトール；３−アミノフェノール；３−アミノ−２−メチルフェノール；４−ヒドロキシ−１，２−メチレンジオキシベンゼン；４−アミノ−１，２−メチレンジオキシベンゼン；４−（２’−ヒドロキシエチル）アミノ−１，２−メチレンジオキシベンゼン；１−メチル−２−ヒドロキシ−４−（２’−ヒドロキシエチル）アミノベンゼン；２，４−ジアミノフェネトール；２，４−ジアミノ−５−メチルフェネトール；４−ヒドロキシインドール；３−アミノ−５−ヒドロキシ−２，６−ジメトキシピリジン；及び３，５−ジアミノ−２，６−ジメトキシピリジン；ベンゼン−１，３−ジアミン；２−アミノピリジン−３−オール；１−フェニル−３−メチルピラゾール−５−オン；その塩；並びにそれらの混合物を含む。
【０１７１】
加えて、一部の実施形態では、顕色剤及びカップラーとしては、５−メトキシメチル−２−アミノフェノール；５−エチル−２−アミノフェノール；５−フェニル−２−アミノフェノール；５−シアノエチル−２−アミノフェノール；これらの塩；及びこれらの混合物が挙げられる。
【０１７２】
上述した顕色剤及びカップラーの任意のものを組み合わせて、顕色剤とカップラーとの混合物を形成してもよい。本発明の毛髪染料組成物は、一般に染色組成物の約０．００１重量％〜約１０重量％の顕色剤及びカップラー染料を含有する。例えば、天然のブロンドから明るい茶色の毛髪の色合いなどの低強度染色を提供する組成物は、通常、染色組成物の約０．００１重量％〜約５重量％、一部の実施形態では約０．１重量％〜約２重量％、特定の実施形態では約０．２重量％〜約１重量％の顕色剤及びカップラーを含む。茶色及び黒色などのより暗い色合いは、典型的には、約０．００１重量％〜約１０重量％、一部の実施形態では約０．０５重量％〜約７重量％、特定の実施形態では約１重量％〜約５重量％の顕色剤及びカップラーを含む。顕色剤化合物は、一般に、カップラー化合物に対してほぼ等モル量で使用される。しかしながら、顕色剤化合物は、カップラー化合物よりも多いか又は少ない量で存在してもよい。
【０１７３】
直接染料
本発明の組成物はまた、着色を提供するのに、特に強度に関して十分な量で、相溶性の直接染料を含んでもよい。典型的には、そのような量は、染料組成物の約０．０５重量％〜約４重量％の範囲である。好適な直接染料は、アシッドイエロー１；アシッドオレンジ３；ディスパースレッド１７；ベーシックブラウン１７；アシッドブラック５２；アシッドブラック１；ディスパースバイオレット４；４−ニトロ−ｏ−フェニレンジアミン；２−ニトロ−ｐ−フェニレンジアミン；ピクラミン酸；ＨＣレッド１３；１，４−ビス−（２’−ヒドロキシエチル）−アミノ−２−ニトロベンゼン；ＨＣイエロー５；ＨＣレッド７；ＨＣブルー２；ＨＣイエロー４；ＨＣイエロー２；ＨＣオレンジ１；ＨＣレッド１；２−クロロ−５−ニトロ−Ｎ−ヒドロキシエチル−ｐ−フェニレンジアミン；ＨＣレッド３；４−アミノ−３−ニトロフェノール；２−ヒドロキシエチルアミノ−５−ニトロアニソール；３−ニトロ−ｐ−ヒドロキシエチルアミノフェノール；２−アミノ−３−ニトロフェノール；６−ニトロ−ｏ−トルイジン；３−メチルアミノ−４−ニトロフェノキシエタノール；２−ニトロ−５−グリセリルメチルアニリン；ＨＣイエロー１１；ＨＣバイオレットＮｏ．１；ＨＣオレンジ２；ＨＣオレンジ３；ＨＣイエロー９；４−ニトロフェニルアミノエチル尿素；ＨＣレッド１０；ＨＣレッド１１；２−ヒドロキシエチルピクラミン酸；ＨＣブルー１２；ＨＣイエロー６；ヒドロキシエチル−２−ニトロ−ｐ−トルイジン；ＨＣイエロー１２；ＨＣブルー１０；ＨＣイエロー７；ＨＣイエロー１０；ＨＣブルー９；Ｎ−エチル−３−ニトロＰＡＢＡ；４−アミノ−２−ニトロフェニル−アミン−２’−カルボン酸；２−クロロ−６−エチルアミノ−４−ニトロフェノール；６−ニトロ−２，５−ピリジンジアミン；ＨＣバイオレットＮｏ．２；２−アミノ−６−クロロ−４−ニトロフェノール；４−ヒドロキシプロピルアミノ−３−ニトロフェノール；ＨＣイエロー１３；１，２，３，４−テトラヒドロ−６−ニトロキノキサリン；ＨＣレッド１４；ＨＣイエロー１５；ＨＣイエロー１４；３−アミノ−６−メチルアミノ−２−ニトロピリジン；２，６−ジアミノ−３−（（ピリジン−３−イル）アゾ）ピリジン；ベーシックレッド１１８；ベーシックオレンジ６９；Ｎ−（２−ニトロ−４−アミノフェニル）−アリルアミン；４−［（４−アミノ−３−メチルフェニル）（４−イミノ−３−メチル−２，５−シクロヘキサジエン−１−イリデン）メチル］−２−メチル−ベンゼンアミン−ヒドロクロライド；２−［［４−（ジメチル−アミノ）フェニル］アゾ］−１，３−ジメチル−１Ｈ−イミダゾリウムクロライド；１−メチル−４−［（メチルフェニル−ヒドラゾノ）メチル］−ピリジニウム、硫酸メチル；２−［（４−アミノフェニル）アゾ］−１，３−ジメチル−１Ｈ−イミダゾリウムクロライド；ベーシックレッド２２；ベーシックレッド７６；ベーシックブラウン１６；ベーシックイエロー５７；７−（２’，４’−ジメチル−５’−スルホフェニルアゾ）−５−スルホ−８−ヒドロキシナフタレン；アシッドオレンジ７；酸レッド３３；１−（３’−ニトロ−５’−スルホ−６’−オキソフェニルアゾ）−オキソ−ナフタレンクロム錯体；アシッドイエロー２３；アシッドブルー９；ベーシックバイオレット１４；ベーシックブルー７；ベーシックブルー２６；キノフタラノン又は２−キノリルインダンジオンのモノ＆ジスルホン酸（主に後者）の混合物のナトリウム塩；ベーシックレッド２；ベーシックブルー９９；ディスパースレッド１５；アシッドバイオレット４３；ディスパースバイオレット１；アシッドブルー６２；顔料ブルー１５；アシッドブラック１３２；ベーシックイエロー２９；ディスパースブラック９；１−（Ｎ−メチルモルホリニウム−プロピルアミノ）−４−ヒドロキシ−アントラキノンメチルスルフェート；Ｎ，Ｎ−ジメチル−３−（（４−（メチルアミノ）−９，１０−ジオキソ−９，１０−ジヒドロアントラセン−１−イル）アミノ）−Ｎ−プロピルプロパン−１−アミニウムブロミド、ＨＣブルー８；ＨＣレッド８；ＨＣグリーン１；ＨＣレッド９；２−ヒドロキシ−１，４−ナフトキノン；アシッドブルー１９９；アシッドブルー２５；アシッドレッド４；ヘナレッド；インディゴ；コチニール；ＨＣブルー１４；ディスパースブルー２３；ディスパースブルー３；ディスパースブルー３７７；ベーシックレッド５１；ベーシックオレンジ３１；ベーシックイエロー８７；及びそれらの混合物を含むが、それらに限定されない。好ましい直接染料としては、ディスパースブラック９、ＨＣイエロー２、ＨＣイエロー４、ＨＣイエロー１５、４−ニトロ−ｏ−フェニレンジアミン、２−アミノ−６−クロロ−４−ニトロフェノール、ＨＣレッド３、ディスパースバイオレット１、ＨＣブルー２、ディスパースブルー３、ディスパースブルー３７７、ベーシックレッド５１、ベーシックオレンジ３１、ベーシックイエロー８７、及びこれらの混合物が挙げられるが、これらに限定されない。
【０１７４】
酸化剤
本発明の組成物は、毛髪中のメラニン色素を漂白するために、及び／又は酸化染料前駆体（存在する場合、顕色剤及び／又はカップラーを含む）から染料発色団の形成を引き起こすために十分な量で存在する酸化剤を含有してもよい。水性媒質中で過酸化水素を生じさせることができる無機過酸素物質が好ましく、過酸化水素、無機アルカリ金属過酸化物（例えば、過ヨウ素酸ナトリウム及び過酸化ナトリウム）、有機過酸化物（例えば、過酸化尿素、過酸化メラミン）、一水和物、四水和物等として組み込まれてもよい無機過水和塩漂白化合物（例えば、過ホウ酸、過炭酸、過リン酸、過ケイ酸、及び過硫酸のアルカリ金属塩、好ましくはそれらのナトリウム塩）、アルカリ金属臭素酸塩、酵素、並びにそれらの混合物が挙げられるが、これらに限定されない。一実施形態において、本発明の酸化剤は、過炭酸塩（過炭酸ナトリウム、過炭酸アンモニウム、及び過炭酸カリウム等）、並びに過硫酸塩（過硫酸ナトリウム、過硫酸アンモニウム、及び過硫酸カリウム等）から選択される。別の実施形態では、本発明の酸化剤は、過炭酸ナトリウム及び過硫酸アンモニウムから選択される。
【０１７５】
ｐＨ調整剤及び緩衝剤
本発明の組成物は、該組成物のｐＨを約３〜約１３、約８〜約１２、更には約８〜約１１の範囲内になるように調節するのに十分な有効量のｐＨ調整剤及び／又は緩衝剤を含んでもよい。幾つかの実施形態では、本明細書に後述されているように、カーボネートイオン源のｐＨ範囲は８．５〜９．５、好ましくは８〜９である。本明細書で使用するのに好適なｐＨ調整剤及び／又は緩衝剤としては、アンモニア、アルカノールアミン（例えば、モノエタノールアミン、ジエタノールアミン、トリエタノールアミン、モノプロパノールアミン、ジプロパノールアミン、トリプロパノールアミン、トリプロパノールアミン、２−アミノ−２−メチル−１−プロパノール、及び２−アミノ−２−ヒドロキシメチル−１，３，−プロパンジオール並びにグアニジウム塩）、水酸化アルカリ金属及び水酸化アンモニウム並びに炭酸アルカリ金属及び炭酸アンモニウム、好ましくは水酸化ナトリウム及び炭酸アンモニウム、並びに有機酸及び無機酸などの弱酸性物質、例えば、ホスホン酸、酢酸、アスコルビン酸、クエン酸、又は酒石酸、塩酸、並びにこれらの混合物が挙げられるが、これらに限定されない。
【０１７６】
カーボネートイオン源
本発明の組成物は、一実施形態において過酸化水素供給源及びカーボネートイオン源から好ましくはその場（insitu）で形成されたペルオキシモノカーボネートイオン源を、少なくとも１つ更に含んでもよい。ゆえに、本発明によれば、組成物は、また、少なくとも、カーボネートイオン源、若しくはカルバメートイオン源、若しくは炭酸水素イオン源、又はこれらのいずれかの混合物を含んでもよい。これらイオンのいかなる供給源を利用してもよい。本明細書に用いるのに好適な供給源としては、カーボネートイオン、カルバメートイオン、及び炭酸水素イオンのナトリウム塩、カリウム塩、グアニジン塩、アルギニン塩、リチウム塩、カルシウム塩、マグネシウム塩、バリウム塩、及びアンモニウム塩、並びにこれらの混合物、例えば炭酸ナトリウム、炭酸水素ナトリウム、炭酸カリウム、炭酸水素カリウム、炭酸グアニジン、炭酸水素グアニジン、炭酸リチウム、炭酸カルシウム、炭酸マグネシウム、炭酸バリウム、炭酸アンモニウム、炭酸水素アンモニウム、及びこれらの混合物が挙げられる。カーボネートイオンの供給源及び酸化剤の双方をもたらすために、過炭酸塩を使用してもよい。カーボネートイオン、カルバメートイオン、及び炭酸水素イオンの好適な供給源としては、炭酸水素ナトリウム、炭酸水素カリウム、カルバミン酸アンモニウム、及びこれらの混合物が挙げられる。
【０１７７】
ラジカルスカベンジャー系
本発明の組成物は、酸化漂白又は着色プロセス中の毛髪の損傷を軽減するのに十分な量のラジカルスカベンジャーを含有してもよい。ラジカルスカベンジャーは、アルカリ化剤と同一種にならないように選択するのが好ましい。ラジカルスカベンジャーは、炭酸塩ラジカルと反応してその炭酸ラジカルを一連の高速反応によって、より反応性の低い種に変換させることのできる種である。好適なラジカルスカベンジャーは、アルカノールアミン、アミノ糖、アミノ酸、及びそれらの混合物の部類から選択されてもよく、モノエタノールアミン、３−アミノ−１−プロパノール、４−アミノ−１−ブタノール，５−アミノ−１−ペンタノール、１−アミノ−２−プロパノール、１−アミノ−２−ブタノール、１−アミノ−２−ペンタノール、１−アミノ−３−ペンタノール、１−アミノ−４−ペンタノール、３−アミノ−２−メチルプロパン−１−オール、１−アミノ−２−メチルプロパン−２−オール、３−アミノプロパン−１，２−ジオール、グルコサミン、Ｎ−アセチルグルコサミン、グリシン、アルギニン、リジン、プロリン、グルタミン、ヒスチジン、セリン、トリプトファン、並びに上述のもののカリウム塩、ナトリウム塩、及びアンモニウム塩、並びにそれらの混合物を挙げることができるが、それらに限定されない。その他の好適なラジカルスカベンジャー化合物には、ベンジルアミン、グルタミン酸、イミダゾール、ジ−ｔｅｒｔ−ブチルヒドロキシトルエン、ヒドロキノン、カテコール、及びそれらの混合物が挙げられる。
【０１７８】
キレート剤
本発明の組成物は、配合成分、具体的には酸化剤、より具体的には過酸化物との相互作用に利用可能な金属の量を減少させるのに十分な量のキレート剤を含んでもよい。本発明での使用に適したキレート剤としては、ジアミン−Ｎ，Ｎ’−ジポリ酸、モノアミンモノアミド−Ｎ，Ｎ’−ジポリ酸、及びＮ，Ｎ’−ビス（２−ヒドロキシベンジル）エチレンジアミン−Ｎ，Ｎ’−二酢酸キレート剤（好ましくは、ＥＤＤＳ（エチレンジアミンジコハク酸））、カルボン酸（好ましくは、アミノカルボン酸）、ホスホン酸（好ましくは、アミノホスホン酸）、並びにポリリン酸（特に、直鎖のポリリン酸）、それらの塩並びに誘導体が挙げられるが、これらに限定されない。
【０１７９】
発泡剤
本発明の組成物を、泡の形態で送達してもよい。かかる実施形態は、界面活性剤（例えば、アニオン性、非イオン性、カチオン性、及び両性）、タンパク質（例えば、酵素）、セルロース系材料、ポリマー材料、並びにそれらの混合物等の発泡剤の使用を必要とする。好適なポリマー材料には、寒天−寒天、ポリビニルアルコール、アルギン酸ナトリウム、及びドデシル硫酸ナトリウム−ポリ（エチレンオキシド）等の親水性ポリマーが挙げられる。好ましいポリマー材料は、乳化重合プロセスを介して、酸／アクリレートコポリマー主鎖、及び側鎖として疎水基を結合するモノマーから合成される疎水変性アルカリ溶解性エマルションポリマーである。かかる材料の一例は、Ｒｏｈｍ  Ｈａａｓから市販されているＡｃｕｌｙｎ（商標）２２であり、これは、アクリル酸、アクリレートエステル、及びステアレス−２０メタクリレートエステルから合成される。別の好ましいポリマーは、乳化重合を介して、酸及びアクリレートコモノマーから合成されるアニオン性アルカリ溶解性ポリマーエマルションである。かかる材料の一例は、Ｒｏｈｍ  Ｈａａｓから市販されているＡｃｕｌｙｎ（商標）３３である。その他の発泡剤は、セチルヒドロキシエチルセルロース、ＰＥＧ  ７Ｍ、ヒドロキシプロピルメチルセルロース、カルボマー、及びポリクオタニウム−５５を含む。これらの材料の混合物を使用してもよい。
【０１８０】
本明細書で使用される「泡」とは、手動式非エアロゾルディスペンサーを通過した後に、約６〜約１４ｍＬ／ｇ、例えば約７．５ｍＬ／ｇ〜約１２ｍｌ／ｇ、又は更には約８〜約１０．５ｍＬ／ｇの泡比容積を有する毛髪着色剤組成物を意味する。
【０１８１】
毛髪着色剤組成物における許容できる泡特性は、その形状を保持し、かつ一貫した形態の状態を保つ泡によって例示される。この最小時間は、少なくともユーザの手から毛髪上の所望の位置に移すのに十分長い時間であり、例えば、泡は、その形状を少なくとも１５秒間、例えば少なくとも２０秒間、又は少なくとも３０秒間実質的に維持する。例えばボウルに満たされた量などの一定量の泡が、美容師により生成され、敏速にボウルいっぱいに作られてから頭部に塗り広げることを開始する場合は、より長くなり得る。
【０１８２】
泡が時期尚早に崩壊し、液体様になった（あるいはいくらかの液体が泡の下の手に液だまりを形成する）場合、泡が所望の場所に届く前に、ユーザの手の何らかの動きが泡を流れ落ちさせ、垂らせ、ないしは別の方法でユーザの手から移動させることは望ましくないと考えられる。
【０１８３】
泡は、組成物が手動式非エアロゾルディスペンサーとともに使用されるときに形成されるのが好適であり、組成物は、空気対組成物の比率が約１：６〜約１：１５、約１：８〜約１：１２、又は約１：１０であるように、空気と混合される。
【０１８４】
好適な手動式非エアロゾルディスペンサー構造は、ディップチューブの寸法、混合チャンバへの空気の進入口の寸法、混合チャンバからの進入及び退出開口部を含む混合チャンバの寸法、分配チャネルの寸法、多孔性要素（スクリーン又はメッシュ等）、並びに分配ヘッド開口部を含む。
【０１８５】
シャンプー製剤の作製方法
本発明のシャンプー作製の任意の好適な方法も使用され得る。一実施形態では、該技術分野において既知の標準的な方法に従い、ウンデシル系界面活性剤をシャンプー組成物の他の成分とブレンドする。浄化シャンプーに使用される典型的な手順は、硫酸ウンデシルペースト若しくは硫酸ウンデセスペースト、又はこれらの混合物を、水と合わせ、所望の水溶性共界面活性剤を添加し、防腐剤、ｐＨ調整剤、香料、及び塩を添加することによって組成物を仕上げて、目的の物理特性を得る。非水溶性共界面活性剤が所望される場合、界面活性剤及び水の混合物を、好適な温度まで加熱して、その組み込みを容易にすることができる。レオロジー変性剤が所望される場合、仕上げ工程の前に、それを界面活性剤混合物に添加することができる。
【０１８６】
コンディショニングシャンプーの場合、典型的には、界面活性剤ペーストを上記の共界面活性剤と組み合わせて、最終活性を達成するのに相応した目標レベルまで水で希釈する。ここで、レオロジー調整剤、続いてコンディショニング剤、例えば、ショ糖ポリエステル、シリコーン若しくはシリコーンエマルション又はその他の油、ポリマープレミックスからのカチオン性ポリマー、香料、真珠光沢剤若しくは不透明化剤、香料、及び防腐剤を添加することができる。均質性を確実にするための適切な混合工程が、必要に応じて使用される。所望の物理特性となるまで、ｐＨ調整剤、ヒドロトロープ、及び塩を添加することによって、製品を仕上る。
【０１８７】
コンディショナー製剤の作製方法
ヘアコンディショナーは、当該技術分野において周知の任意の従来の方法によって調製することができる。それらは、以下のように好適に作製される：脱イオン水を８５℃に加熱し、カチオン性界面活性剤及び高融点脂肪族化合物を混入する。必要に応じて、カチオン性界面活性剤及び脂肪アルコールを、水への添加前に、８５℃で事前に融解してもよい。構成成分が均質化され、かつ固体が観察されなくなるまで、水を約８５℃の温度で維持する。次に、混合物を約５５℃まで冷却し、この温度を維持して、ゲルマトリックスを形成する。シリコーン、又はシリコーンと低粘度流体とのブレンド、又はシリコーンの水性分散物を、ゲルマトリックスに添加する。含まれる場合、ポリα−オレフィン油、ポリプロピレングリコール、及び／又はポリソルベートもゲルマトリックスに添加する。含まれる場合、香料及び防腐剤等のその他の追加の構成成分を撹拌しながら添加する。この期間中、ゲルマトリックスを一定に撹拌しながら約５０℃に維持して、均質化を確保する。それが均質化された後、室温まで冷却する。必要に応じて、材料を分散させるために、トリブレンダー及び／又はミルを各工程において使用することができる。
【０１８８】
凝縮製剤
本発明はまた、凝縮された毛髪ケア製剤に使用することができる。凝縮された製剤は、より少ない使用量にて消費者へ同一効果を送達する製剤である。凝縮製剤及び凝縮製剤を作製する方法は、米国出願公開第２００９／０２２１４６３Ａ１号に記載されている。
【０１８９】
補助剤物質
本発明の目的には必須ではないが、以下に例示される補助剤の非限定的な一覧は、本組成物において使用するのに適しており、例えば、性能を補助若しくは向上させるために、洗浄化される基材の処理のために、又は香料、着色剤、染料などを用いる場合のように組成物の審美性を変化させるために、本発明の特定の実施形態に望ましく組み込むことができる。こうした補助剤は、本出願人らの凝集体／粒子を介して供給される構成成分に追加されると理解される。このような追加的成分の精密な性質、及びそれを組み込む濃度は、組成物の物理的形態及び使用されるべき作業の性質に依存する。好適な補助剤物質としては、ポリマー、例えばカチオン性ポリマー、界面活性剤、ビルダー、キレート剤、移染防止剤、分散剤、酵素及び酵素安定剤、触媒物質、漂白剤活性化剤、高分子分散剤、粘土質土壌除去剤／再付着防止剤、増白剤、泡抑制剤、染料、追加の香料及び香料送達系、構造弾性化剤、柔軟剤、キャリア、ヒドロトロープ、加工助剤、並びに／又は顔料が挙げられるが、これらに限定されない。以下の開示に加えて、このようなその他の補助剤の好適な例、及び使用濃度は、米国特許第５，５７６，２８２号、同第６，３０６，８１２  Ｂ１号及び同第６，３２６，３４８  Ｂ１号に見られ、これらは参照により組み込まれる。
【０１９０】
上述のように、補助剤成分は、本出願人らの洗浄化及び布地ケア組成物にとって必須ではない。したがって、本出願人らの組成物の特定の実施形態は、以下の補助剤物質：漂白剤活性化剤、界面活性剤、ビルダー、キレート剤、移染防止剤、分散剤、酵素及び酵素安定剤、触媒金属錯体、高分子分散剤、粘土質土壌除去剤／再付着防止剤、増白剤、泡抑制剤、染料、追加の香料及び香料送達系、構造弾性化剤、柔軟剤、キャリア、ヒドロトロープ、加工助剤、並びに／又は顔料のうちの１つ以上を含有しない。しかし、１つ以上の補助剤が存在する場合、このような１つ以上の補助剤は、以下に詳述されるように存在してもよい。
【０１９１】
界面活性剤−本発明による組成物は、界面活性剤又は界面活性剤系を含むことができ、界面活性剤は、非イオン性及び／若しくはアニオン性及び／若しくはカチオン性界面活性剤並びに／又は両性及び／若しくは双極性及び／若しくは半極性非イオン性界面活性剤から選択できる。界面活性剤は、典型的には洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【０１９２】
ビルダー−本発明の組成物は、１つ以上の洗剤ビルダー又はビルダー系を含むことができる。存在する場合、本組成物は典型的には、少なくとも約１重量％のビルダー、又は約５重量％若しくは１０重量％から約８０重量％まで、５０重量％まで、又は更には３０重量％までのこのようなビルダーを含む。ビルダーとしては、ポリホスフェートのアルカリ金属、アンモニウム及びアルカノールアンモニウム塩、アルカリ金属ケイ酸シリケート、アルカリ土類及びアルカリ金属カーボネート、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリト酸、コハク酸、オキシジコハク酸、ポリマレイン酸、ベンゼン１，３，５−トリカルボン酸、カルボキシメチルオキシコハク酸、及びそれらの可溶性塩のようなポリカルボキシレートが挙げられるが、これらに限定されない。
【０１９３】
キレート化剤−本明細書の組成物はまた、任意に１つ以上の銅、鉄、及び／又はマンガンキレート剤を含有してもよい。使用される場合、キレート剤は、一般に、本明細書の組成物の約０．１重量％〜約１５重量％、又は更には本明細書の組成物の約３．０重量％〜約１５重量％を構成する。
【０１９４】
移染防止剤−本発明の組成物はまた、１つ以上の移染防止剤を含んでもよい。適したポリマー移染防止剤には、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物が挙げられるが、これらに限定されない。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【０１９５】
分散剤−本発明の組成物はまた、分散剤を含むことができる。好適な水溶性有機物質は、ホモポリマー又はコポリマーの酸又はそれらの塩であり、それらのうちのポリカルボン酸は、互いに炭素原子２個を超えない程度に離れている少なくとも２個のカルボキシル基を含み得る。
【０１９６】
酵素−本組成物は、洗浄性能効果、及び／又は布地ケア効果を提供する１つ以上の洗浄性酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、プロテアーゼ、リパーゼ、クチナーゼ、及び／又はセルラーゼのような従来の適用可能な酵素をアミラーゼと組み合わせた混液である。
【０１９７】
酵素安定剤−組成物、例えば洗剤において使用するための酵素は、さまざまな技術によって安定化できる。本明細書に用いられる酵素は、カルシウムイオン及び／又はマグネシウムイオンを酵素に供給する、最終組成物中のカルシウムイオン及び／又はマグネシウムイオンの水溶性供給源の存在によって安定化させることができる。
【０１９８】
触媒金属錯体−本出願人らの組成物は、触媒金属錯体を含んでもよい。金属含有漂白触媒の１つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性をほとんど又は全く有さない補助金属カチオン、並びに触媒金属及び補助金属のカチオンに対して規定された安定度定数を有する金属イオン封鎖剤（sequestrate）、特にエチレンジアミン四酢酸、エチレンジアミンテトラ（メチレンホスホン酸）及びこれらの水溶性塩を含む触媒系である。このような触媒は、米国特許第４，４３０，２４３号に開示されている。
【０１９９】
所望する場合、本明細書の組成物は、マンガン化合物を用いて触媒可能である。このような化合物及び使用濃度は当該技術分野で周知であり、例えば、米国特許第５，５７６，２８２号に開示されるマンガン系触媒が挙げられる。
【０２００】
本明細書において有用なコバルト漂白触媒は既知であり、例えば、米国特許第５，５９７，９３６号及び同第５，５９５，９６７号に記載されている。このようなコバルト触媒は、既知の手順、例えば、米国特許第５，５９７，９３６号及び第５，５９５，９６７号において教示されているような手順によって容易に製造される。
【０２０１】
本明細書における組成物は、「ＭＲＬ」と略される大多環状の剛性配位子（macropolycyclicrigidligand）の遷移金属錯体を適切に含み得る。実際には、限定するためではないが、本明細書における組成物及び方法は、水性の洗浄媒質内において少なくともおよそ１憶分の１部の有益剤ＭＲＬ種を提供するように調整することができ、約０．００５ｐｐｍ〜約２５ｐｐｍ、約０．０５ｐｐｍ〜約１０ｐｍ、更には約０．１ｐｐｍ〜約５ｐｐｍのＭＲＬを洗浄溶液中に提供するよう調整できる。
【０２０２】
本遷移金属漂白剤触媒中の好適な遷移金属としては、マンガン、鉄、及びクロムが挙げられる。本明細書における好適なＭＲＬは、架橋した特定の種類の超剛性配位子、例えば、５，１２−ジエチル−１，５，８，１２−テトラアザビシクロ［６．６．２］ヘキサデカンである。
【０２０３】
好適な遷移金属ＭＲＬは、既知の手順、例えば米国特許第６，２２５，４６４号で教示されているような手順によって容易に調製される。
【０２０４】
使用方法
１つの態様において、部位の処理及び／又は洗浄方法が開示される。前記方法は、前記部位を任意に洗浄及び／又はすすぐ工程と、前記部位を、本明細書に開示の任意の単一又は組み合わせの組成物と接触させる工程と、前記部位を任意に洗浄及び／又はすすぐ工程と、を含み得る。典型的には、少なくとも部位の一部を、希釈されない形態で、又は溶液、例えば洗浄溶液中に希釈された形態で、出願者の組成物の一実施形態と接触させる。本発明の目的上、洗浄には、擦ること及び機械的撹拌が挙げられるが、これらに限定されない。部位が布地を含む場合、それは、通常の消費者使用条件で洗濯又は処理することができるほとんどどの布地も含み得る。開示される組成物を含み得る液体は、約３〜約１１．５のｐＨを有してよい。こうした組成物は、典型的には溶液中で約５００ｐｐｍ〜約１５，０００ｐｐｍの濃度で使用される。洗浄溶媒が水であるとき、水温は、典型的には、約５℃〜約９０℃であり、部位が布地を含むとき、水と布地との割合は、典型的には、約１：１〜約３０：１である。
【０２０５】
１つの態様では、かかる組成物に基づいて、例えば、上述の方法によって処理される部位が開示される。
【０２０６】
作製プロセス
本発明の組成物は、任意の好適な形態に配合されることができ、配合者によって選択される任意の方法によって調製することができるが、その非限定的な具体例は、米国特許第５，８７９，５８４号、同第５，６９１，２９７号、同第５，５７４，００５号、同第５，５６９，６４５号、同第５，５６５，４２２号、同第５，５１６，４４８号、同第５，４８９，３９２号、同第５，４８６，３０３号に記載されており、その全てが本明細書に参照により組み込まれる。
【０２０７】
１つの態様では、補助剤成分を、全組成物重量に基づいて、約０．１％〜約５０％、約０．２％〜約２５％、約０．５％〜約１０％、又は更には約０．７５％〜約５％の粒子と合わせる工程を含み、前記粒子のそれぞれは独立して、約２マイクロメートル〜約８０マイクロメートル、約５マイクロメートル〜約５０マイクロメートル、又は更には約１０マイクロメートル〜約３０マイクロメートルの粒径を有し、各粒子は、消費者製品を形成するために、
ａ．）全粒子重量に基づいて、約６％〜約９５％、約１１％〜約８５％、又は約５０％〜約７５％の有益剤と、約５％〜約９４％、約１５％〜約８９％、又は更には約２５％〜約５０％の分配変性剤及び／又は密度変性剤と、を含む、コアと、
ｂ．）前記コアをカプセル化するシェルであって、全シェル重量に基づいて、約５０％〜約１００％、約７０％〜約１００％、又は更には約８０％〜約１００％のポリアクリレートを含む、シェルと、を含む、
組成物を作製するプロセスが開示される。
【０２０８】
前記プロセスの１つの態様では、前記粒子は、前記補助剤と合わせられるスラリー中に含有され得る。
【０２０９】
前記プロセスの１つの態様では、前記スラリーは、水；二価塩等の凝集阻害物質；キサンタンガム、グアーガム、カルボキシメチルセルロース等の粒子懸濁ポリマーからなる群から選択される１つ以上の加工助剤を含み得る。
【０２１０】
前記プロセスの１つの態様では、前記粒子は、前記補助剤と合わせられる凝集体中に含有され得る。
【０２１１】
前記プロセスの１つの態様では、前記凝集体は、シリカ、クエン酸、炭酸ナトリウム、硫酸ナトリウム、塩化ナトリウム、及び結合剤、例えば、ケイ酸ナトリウム、変性セルロース、ポリエチレングリコール、ポリアクリレート、ポリアクリル酸、ゼオライト、並びにそれらの混合物からなる群から選択される材料を含み得る。
【０２１２】
１つの態様では、消費者製品を形成するために、補助剤成分を粒子と合わせる工程を含む、組成物作製プロセスであって、粒子は、
ａ）コア組成物を形成するために、分配変性剤及び／又は密度変性剤を含む有益剤中の多官能アクリレートモノマー及び／又は多官能アクリレートオリゴマー、１つの態様では多官能メタクリレートモノマー及び／又は多官能メタクリレートオリゴマーを、
ｉ）アミンアクリレート及び／若しくはメタクリレート並びに強酸、又は
ｉｉ）カルボン酸アクリレート及び／若しくはメタクリレートモノマー並びに強塩基、又は
ｉｉｉ）アミンアクリレート及び／若しくはメタクリレートモノマー並びにカルボン酸アクリレート及び／若しくはカルボン酸メタクリレートモノマー
を含む組成物と反応させるプロセスと、
ｂ）前記コア組成物、界面活性剤、１つの態様ではアニオン性、カチオン性、又は中性界面活性剤、及び水を含むエマルションを形成するプロセスと、
ｃ）十分なフリーラジカル重合を誘導して、前記有益剤を含むコアと、アクリレートを含み前記有益剤をカプセル化するシェルと、を有する粒子を形成するために、十分な量の熱、紫外線、及び／又は電子ビームエネルギーを前記エマルションに印加することによって、前記エマルションを硬化するプロセスと、
によって製造されることを特徴とするプロセスが開示される。
【０２１３】
本発明のシャンプー製造の任意の好適な方法も使用され得る。一実施形態では、該技術分野において既知の標準的な方法に従い、ウンデシル系界面活性剤をシャンプー組成物の他の成分とブレンドする。浄化シャンプーに使用される典型的な手順は、硫酸ウンデシルペースト若しくは硫酸ウンデセスペースト、又はこれらの混合物を、水と合わせ、所望の水溶性共界面活性剤を添加し、防腐剤、ｐＨ調整剤、香料、及び塩を添加することによって組成物を仕上げて、目的の物理特性を得る。非水溶性共界面活性剤が所望される場合、界面活性剤及び水の混合物を、好適な温度まで加熱して、その組み込みを容易にすることができる。レオロジー変性剤が所望される場合、仕上げ工程の前に、それを界面活性剤混合物に添加することができる。
【０２１４】
コンディショニングシャンプーの場合、典型的には、界面活性剤ペーストを上記の共界面活性剤と組み合わせて、最終活性を達成するのに相応した目標レベルまで水で希釈する。ここで、レオロジー調整剤、続いてコンディショニング剤、例えば、ショ糖ポリエステル、シリコーン若しくはシリコーンエマルション又はその他の油、ポリマープレミックスからのカチオン性ポリマー、香料、真珠光沢剤若しくは不透明化剤、香料、及び防腐剤を添加することができる。均質性を確実にするための適切な混合工程が、必要に応じて使用される。所望の物理特性となるまで、ｐＨ調整剤、ヒドロトロープ、及び塩を添加することによって、製品を仕上る。
【０２１５】
ヘアコンディショナーは、当該技術分野において周知の任意の従来の方法によって調製することができる。それらは、以下のように好適に作製される：脱イオン水を８５℃に加熱し、カチオン性界面活性剤及び高融点脂肪族化合物を混入する。必要に応じて、カチオン性界面活性剤及び脂肪アルコールを、水への添加前に、８５℃で事前に融解してもよい。構成成分が均質化され、かつ固体が観察されなくなるまで、水を約８５℃の温度で維持する。次に、混合物を約５５℃まで冷却し、この温度を維持して、ゲルマトリックスを形成する。シリコーン、又はシリコーンと低粘度流体とのブレンド、又はシリコーンの水性分散物を、ゲルマトリックスに添加する。含まれる場合、ポリα−オレフィン油、ポリプロピレングリコール、及び／又はポリソルベートもゲルマトリックスに添加する。含まれる場合、香料及び防腐剤等のその他の追加の構成成分を撹拌しながら添加する。この期間中、ゲルマトリックスを一定に撹拌しながら約５０℃に維持して、均質化を確保する。それが均質化された後、室温まで冷却する。必要に応じて、材料を分散させるために、トリブレンダー及び／又はミルを各工程において使用することができる。
【０２１６】
試験方法
本出願の「試験方法」の項で開示される試験方法は、本出願人らの発明が本明細書に記載され及び特許請求されているように、本出願人らの発明のパラメータの各値を求めるために使用されるべきであると理解される。
【０２１７】
（１）ＣｌｏｇＰ
「ｌｏｇＰの計算値」（ＣｌｏｇＰ）は、Ｈａｎｓｃｈ及びＬｅｏのフラグメント手法（ｃｆ．，Ａ．Ｌｅｏ，ｉｎ  Ｃｏｍｐｒｅｈｅｎｓｉｖｅ  Ｍｅｄｉｃｉｎａｌ  Ｃｈｅｍｉｓｔｒｙ，Ｖｏｌ．４，Ｃ．Ｈａｎｓｃｈ，Ｐ．Ｇ．Ｓａｍｍｅｎｓ，Ｊ．Ｂ．Ｔａｙｌｏｒ，ａｎｄ  Ｃ．Ａ．Ｒａｍｓｄｅｎ，Ｅｄｓ．Ｐ．２９５，Ｐｅｒｇａｍｏｎ  Ｐｒｅｓｓ，１９９０，参照によりここに組み込まれる）により決定される。ＣｌｏｇＰ値は、Ｄａｙｌｉｇｈｔ  Ｃｈｅｍｉｃａｌ  Ｉｎｆｏｒｍａｔｉｏｎ  Ｓｙｓｔｅｍｓ  Ｉｎｃ．（米国カリフォルニア州アーバイン）から入手可能な「ＣＬＯＧＰ」プログラムを用いることにより計算することができる。
【０２１８】
（２）沸点
沸点は、ＡＳＴＭ法Ｄ２８８７−０４ａ「Ｓｔａｎｄａｒｄ  Ｔｅｓｔ  Ｍｅｔｈｏｄ  ｆｏｒ  Ｂｏｉｌｉｎｇ  Ｒａｎｇｅ  Ｄｉｓｔｒｉｂｕｔｉｏｎ  ｏｆ  Ｐｅｔｒｏｌｅｕｍ  Ｆｒａｃｔｉｏｎｓ  ｂｙ  Ｇａｓ  Ｃｈｒｏｍａｔｏｇｒａｐｈｙ」（ＡＳＴＭ  Ｉｎｔｅｒｎａｔｉｏｎａｌ）により測定される。
【０２１９】
（３）中央粒径
粒径は、Ｐａｒｔｉｃｌｅ  Ｓｉｚｉｎｇ  Ｓｙｓｔｅｍｓ，Ｓａｎｔａ  Ｂａｒｂａｒａ  ＣＡによって製造されたＡｃｃｕｓｉｚｅｒ  ７８０Ａを用いて測定される。計器は、Ｄｕｋｅ粒径基準を用いて０〜３００μに較正される。粒径評価のための試料は、約１ｇのカプセルスラリーを約５ｇの脱イオン水中で希釈し、更に約１ｇのこの溶液を約２５ｇの水中で希釈する工程によって調製される。
【０２２０】
自動希釈機能を用いて、約１ｇの最も希釈された試料がＡｃｃｕｓｉｚｅｒに添加され、試験が開始される。Ａｃｃｕｓｉｚｅｒは、９２００カウント／秒を超えて読み取るはずである。カウントが９２００未満の場合、追加の試料が添加されるべきである。Ａｃｃｕｓｉｚｅｒは、９２００カウント／秒になるまで試験試料を希釈し、評価を開始する。試験から２分後、Ａｃｃｕｓｉｚｅｒは、体積加重中央寸法を含む結果を表示する。
【０２２１】
蓄積粒子体積の９５％が超えた粒径（９５％寸法）、蓄積粒子体積の５％が超えた粒径（５％寸法）、及び体積加重中央粒径（５０％寸法−この寸法を超える粒子体積及びこの寸法を下回る粒子体積の両方が粒子体積の５０％）を決定することによって、幅指数を計算することができる。幅指数（５）＝（（９５％寸法）−（５％寸法）／５０％寸法）。
【０２２２】
（４）ヘッドスペース比
（ａ）無香料の消費者製品配合物（シャンプー又は洗い流さないコンディショナー）を得る。
（ｂ）含水量を調整して水性スラリー中２５重量％の香料含量を達成した香料マイクロカプセルを得る。
（ｃ）２．０グラムの香料マイクロカプセル水性スラリーを、９５グラムの無香料の消費者製品配合物に添加することによって試料Ａを調製する。次に、３．０グラムの脱イオン水を添加して、配合物を１００グラムにする。この配合物を摂氏４０℃で１週間熟成させる。
（ｄ）０．５０グラムの非希釈香料を９５グラムの無香料の消費者製品配合物に添加することによって試料Ｂを調製する。次に、４．５グラムの脱イオン水を添加して、配合物を１００グラムにする。この配合物を摂氏４０℃で１週間熟成させる。
【０２２３】
ヘッドスペース比は、試料Ｂのヘッドスペース濃度で割った試料Ａのヘッドスペース濃度と定義され、
【０２２４】
【数１】
2013525564.tif 000009
式中、Ｈ試料-Aは、消費者製品配合物試料Ａのヘッドスペース濃度であり、Ｈ試料-Bは、消費者製品配合物試料Ｂのヘッドスペース濃度である。
【０２２５】
固相マイクロ抽出（ＳＰＭＥ）−ガスクロマトグラフィー／質量分析法を使用して、製品のヘッドスペースにおける香料原材料の濃度を測定する。摂氏４０℃で１週間熟成させた１．０グラムの試料（シャンプー又はコンディショナー）を、きれいな２０ｍＬのヘッドスペースバイアルに設置し、室温で少なくとも２時間均衡化させる。
【０２２６】
その後、ＭＰＳ２−ＳＭＰＥ−ＧＣ−ＭＳ分析システム（ＧＣ−０２００１−０１５３、ＭＳＤ−０２００１−０１５４、ＭＰＳ２−０２００１−０１５５）を用いて試料を分析する。
【０２２７】
装置：
１．２０ｍＬのヘッドスペースバイアル。
２．タイマー。
３．ガスクロマトグラフ（ＧＣ）：ＣＩＳ−４インジェクタを有するＡｇｉｌｅｎｔモデル６８９０（Ｇｅｒｓｔｅｌ，Ｍｕｌｈｅｉｍ，Ｇｅｒｍａｎｙ）、並びにＭＰＳ−２オートサンプラー及びＴＤＵ。ＳＰＭＥ分析のために、スプリット／スプリットレスインジェクタ（ＣＩＳ−４インジェクタではない）を使用した。
４．ＧＣカラム：Ｆｏｌｓｏｍ，Ｃａｌｉｆｏｒｎｉａ，ＵＳＡのＪ＆Ｗ  Ｓｃｉｅｎｔｉｆｉｃから得た、Ｊ＆Ｗ  ＤＢ−５  ＭＳ、３０Ｍ×０．２５ｍｍ  ＩＤ、被膜の厚さ１．０μｍ。
５．キャリアガス、ヘリウム、１．５ｍＬ／分の流速。
６．インジェクタライナーは、Ｓｕｐｅｌｃｏの特殊のＳＰＭＥライナー（０．７５ｍｍ  ＩＤ）である。
７．検出器は、約２３０℃の供給源温度及び約１５０℃のＭＳ  Ｑｕａｄ温度を有する、Ａｇｉｌｅｎｔ  Ｔｅｃｈｎｏｌｏｇｉｅｓ，Ｉｎｃ．，Ｗｉｌｍｉｎｇｔｏｎ，ＤＥ，ＵＳＡから入手したモデル５９７３質量選択検出器である。
【０２２８】
分析手順：
１．試料を適切な試料トレイに移し、ＳＰＭＥ−ＧＣ−ＭＳ分析を進める。
２．一連の試料装填及び分析を開始する。この工程では、試料を、オートサンプラートレイ上で少なくとも２時間均衡化させ、その後、トレイから直接試料を採取する。ＳＰＭＥファイバーアセンブリは、ＤＶＢ／ＣＡＲ／ＰＤＭＳ（５０／３０ｕｍ、２４ｇａ、長さ１ｃｍ）である。サンプリング時間は５分間である。
３．インジェクタ温度は、２６０℃である。
４．次に、ＧＣ−ＭＳ分析の実行を開始する。脱離時間は５分間である。
５．以下の温度プログラムを使用する：
ｉ）約５０℃の初期温度を３分間維持する。
ｉｉ）約２５０℃の温度に達するまで約６℃／分の速度で、その後、２７５℃に達するまで２５℃／分の速度で初期温度を上昇させ、約２７５℃で４．６７分間維持する。
６．Ｈｅｗｌｅｔｔ  Ｐａｃｋａｒｄから購入し認可されたＪｏｈｎ  Ｗｉｌｅｙ  ＆  Ｓｏｎｓ及びＮａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ（ＮＩＳＴ）のＭＳスペクトラルライブラリを用いて、香料化合物を特定する。
７．Ａｇｉｌｅｎｔ  Ｔｅｃｈｎｏｌｏｇｉｅｓ，Ｉｎｃ．，Ｗｉｌｍｉｎｇｔｏｎ，ＤＥ，ＵＳＡから入手したＣｈｅｍｓｔａｔｉｏｎソフトウェアを用いて、特定イオンのクロマトグラフィーピークを統合する。
８．各ＰＲＭの比率を、試料Ａの香料原材料のピーク面積を試料Ｂのピーク面積で割ることによって計算する。
９．次に、各比率を、香料中のその香料原材料の重量組成で加重する。
１０．ヘッドスペース比を、工程９で得られた個々の香料原材料比率の合計として計算する。
【０２２９】
（５）ガスクロマトグラフを用いて臭気検出閾値（ＯＤＴ）を決定する。ガスクロマトグラフを較正して、シリンジで注入した材料の正確な体積、精密なスプリット比、並びに既知の濃度及び鎖長分布の炭化水素基準を用いた炭化水素反応を決定する。空気の流速を的確に測定し、ヒトの吸入時間が１２秒間持続すると仮定して、試料採取した体積を計算する。任意の時点での検出器における精密な濃度が既知であるため、吸入される体積当たりの質量、したがって材料濃度が既知である。
【０２３０】
例えば、材料が１０億分の５０を下回る閾値を有するかどうかを決定するために、溶液を計算された濃度で臭い嗅ぎポートに送達させる。官能試験員がＧＣ溶出物を嗅ぎ、臭気を感知したときの維持時間を同定する。６名の官能試験員の間の平均が、感知能力の閾値を決定する。分析物の必要量をカラムに注入して、検出器において１０億分の５０の濃度を達成させる。臭気検出閾値を決定するための典型的なガスクロマトグラフパラメーターを以下に列記する：
ＧＣ：ＦＩＤ検出器を有する５８９０シリーズＩＩ、７６７３オートサンプラー
カラム：Ｊ＆Ｗ  Ｓｃｉｅｎｔｉｆｉｃ  ＤＢ−１
長さ：３０メートル、内径０．２５ミリメートル、被膜の厚さ１マイクロメートル
方法：
−スプリット注入：スプリット比１７／１
−オートサンプラー：１回の注入当たり１．１３マイクロリットル
−カラム流量：１分間当たり１．１０ミリリットル
−空気流量：１分間当たり３４５ミリリットル
−入口温度：摂氏２４５℃
−検出器温度：摂氏２８５℃
−初期温度＝摂氏５０℃、１分間当たり摂氏５℃のランプ速度、最終温度＝摂氏２８０℃、最終時間＝６分間
−主な前提：１回の嗅ぎ当たり１２秒間、ＧＣ空気を試料希釈物に添加する。
【０２３１】
（６）洗い流さないトリートメント製品の嗅覚分析
ａ）０．１６ミリリットルの洗い流さないコンディショナー製品を、くしで梳かし、湿らせ、軽く絞ったヘアピース（ＩＨＩ、４グラム、長さ２０．３ｃｍ（８インチ）、中程度に傷んだ等級のもの）に塗布する。ヘアピースにミルキングアクションで５０〜６０ストローク（３０秒間）泡立てる。
ｂ）ヘアピースをラックに吊るして室温で乾燥させる。約３時間後、Ｐｒｉｍａｖｅｒａ  Ｇｒａｄｅに従ってヘアピースを嗅覚的に等級分けする（０〜１００のスケールの強度で、１０ポイントの差異は消費者が感知できる）。これを初期のくしで梳かす前の香料強度として記録する。
ｃ）ヘアピースを３回くしで梳かし、嗅覚的に等級分けし、これを初期のくしで梳かした後の香料強度として記録する。
ｄ）ヘアピースを周囲条件下（２１℃（華氏７０度）及び３０％の相対湿度）で２４時間放置する。次に、Ｐｒｉｍａｖｅｒａ  Ｇｒａｄｅに従ってヘアピースを嗅覚的に等級分けし（０〜１００のスケールの強度で、１０ポイントの差異は消費者が感知できる）、これを２４時間熟成後のくしで梳かす前の嗅覚強度として記録する。ヘアピースを３回くしで梳かし、嗅覚等級をつけ、これを２４時間熟成後のくしで梳かした後の嗅覚強度として記録する。
【０２３２】
（７）シャンプー製品の嗅覚分析
ａ．０．４ミリリットルのシャンプー製品を、くしで梳かし、湿らせ、軽く絞ったヘアピース（ＩＨＩ、４グラム、長さ２０．３ｃｍ（８インチ）、中程度に傷んだ等級のもの）に塗布する。ヘアピースにミルキングアクションで５０〜６０ストローク（３０秒間）泡立てる。
ｂ．ヘアピースを操作することなく、固定されたシャワーですすぐ（水温３７．８℃（華氏１００度）、水流５．６８Ｌ／分（１分間当たり１．５ガロン）、３０秒間、水の硬度１３７ｐｐｍ（１ガロン当たり８グレイン））。すすいだ後、ヘアピースを上から下に指間で１回軽く絞って、余分な水を除去する。
ｃ．工程（ａ）の製品の塗布、ミルキング、すすぎ、及び工程（ｂ）の絞りを繰り返す。
ｄ．ヘアピースをラックに吊るして室温で乾燥させる。約３時間後、Ｐｒｉｍａｖｅｒａ  Ｇｒａｄｅに従ってヘアピースを嗅覚的に等級分けする（０〜１００のスケールの強度で、１０ポイントの差異は消費者が感知できる）。これを初期のくしで梳かした後の香料強度として記録する。
ｅ．ヘアピースを３回くしで梳かし、嗅覚的に等級分けし、これを初期のくしで梳かした後の香料強度として記録する。
ｆ．ヘアピースを周囲条件下（２１℃（７０華氏度）及び３０％の相対湿度）で２４時間放置する。次に、Ｐｒｉｍａｖｅｒａ  Ｇｒａｄｅに従ってヘアピースを嗅覚的に等級分けし（０〜１００のスケールの強度で、１０ポイントの差異は消費者が感知できる）、これを２４時間熟成後のくしで梳かす前の嗅覚強度として記録する。ヘアピースを３回くしで梳かし、嗅覚等級をつけ、これを２４時間熟成後のくしで梳かした後の嗅覚強度として記録する。
【０２３３】
８．破壊強度試験方法
ａ．）蒸留脱イオン（ＤＩ）水１Ｌの中に粒子１グラムを入れる。
ｂ．）粒子をＤＩ水の中に１０分間にわたって留まらせておき、その後、６０ｍＬ注射器フィルター、１．２マイクロメートルのニトロセルロースフィルター（Ｍｉｌｌｉｐｏｒｅ、直径２５ｍｍ）を使用して濾過により粒子を回収する。
ｃ）５０個の個々の粒子の破裂力を決定する。粒子の破裂力は、Ｚｈａｎｇ，Ｚ．；Ｓｕｎ，Ｇ；「Ｍｅｃｈａｎｉｃａｌ  Ｐｒｏｐｅｒｔｉｅｓ  ｏｆ  Ｍｅｌａｍｉｎｅ−Ｆｏｒｍａｌｄｅｈｙｄｅ  ｍｉｃｒｏｃａｐｓｕｌｅｓ，」Ｊ．Ｍｉｃｒｏｅｎｃａｐｓｕｌａｔｉｏｎ，ｖｏｌ  １８，ｎｏ．５，ｐａｇｅｓ  ５９３〜６０２，２００１に与えられている手順を使用して決定される。次に、破裂力（ニュートン単位）を、対応する球状粒子（πｒ2、式中、ｒは、圧縮前の粒子の半径である）の断面積で割ることによって、各粒子の破壊強度を計算し、前記断面積は、実験装置及びＺｈａｎｇ，Ｚ．；Ｓｕｎ，Ｇ；「Ｍｅｃｈａｎｉｃａｌ  Ｐｒｏｐｅｒｔｉｅｓ  ｏｆ  Ｍｅｌａｍｉｎｅ−Ｆｏｒｍａｌｄｅｈｙｄｅ  ｍｉｃｒｏｃａｐｓｕｌｅｓ，」Ｊ．Ｍｉｃｒｏｅｎｃａｐｓｕｌａｔｉｏｎ，ｖｏｌ  １８，ｎｏ．５，ｐａｇｅｓ  ５９３〜６０２，２００１の方法を用いて、個々の各粒子の粒径を測定して決定する。
ｄ．）上記ｃ．）からの５０個の独立した測定値を使用し、要求される範囲の破壊強度範囲内の破壊強度を有する粒子の百分率を計算する。
【実施例】
【０２３４】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【０２３５】
芳香Ａと呼ばれる香料組成物を利用して、本発明の実施例を調製する。以下の表は、成分及びそれらの特性を列記する。表２は、香油組成物のＣｌｏｇＰの内訳を提供する。
【０２３６】
【表１】
2013525564.tif 000010
【０２３７】
【表２】
2013525564.tif 000011
【０２３８】
実施例１：９０重量％のコア／１０重量％の壁、芳香Ａ香油
実施例２〜１７に詳述の材料及び方法を用いて、マイクロカプセルを調製するために、以下の一般的な手順を使用する。
【０２３９】
１５０ｇの香油、０．６ｇのＤｕＰｏｎｔ  Ｖａｚｏ−５２、及び０．４ｇのＤｕＰｏｎｔ  Ｖａｚｏ−６７からなる油剤を、１０００ｒｐｍで混合しながら（４先端、直径５．１ｃｍ（２”）、平らなミル刃）、３５℃で温度制御された鋼被覆反応器に加え、窒素ブランケットを１００ｃｃ／分で適用する。油剤を、４５分間かけて７５℃に加熱し、７５℃で４５分間維持し、７５分間かけて６０℃まで冷却する。
【０２４０】
３７．５ｇの香油、０．５ｇの第三級ブチルアミノエチルメタクリレート、０．４ｇの２−アクリル酸カルボキシエチル、及び１９．５ｇのＳａｒｔｏｍｅｒ  ＣＮ９７５（六官能性芳香族ウレタンアクリレートオリゴマー）からなる第２の油剤を、第１の油剤が６０℃に達した時点で加える。合わせた油を、６０℃で更に１０分間維持する。
【０２４１】
混合を停止し、１１２ｇの５％  Ｃｅｌｖｏｌ  ５４０ポリビニルアルコール、２００ｇの水、１．１ｇの２０％  ＮａＯＨ、及び１．１７ｇのＤｕＰｏｎｔ  Ｖａｚｏ−６８ＷＳＰからなる水溶液を、漏斗を用いて油剤の底部に加える。
【０２４２】
混合を再開し、２５００ｒｐｍで６０分間混合して、油相を水溶液に乳化する。ミリングが完了した後、７．６ｃｍ（３”）プロペラを用いて３５０ｒｐｍで混合を続ける。バッチを６０℃で４５分間維持し、温度を３０分間かけて７５℃に上昇させ、７５℃で４時間保持し、３０分間かけて９０℃に加熱し、９０℃で８時間維持する。その後、バッチを室温まで冷却する。
【０２４３】
完成したマイクロカプセルは、７マイクロメートルの中央粒径及び１．３の幅指数を有する。
【０２４４】
実施例２〜８．９０重量％のコア、１０重量％の壁、（種々の量のＩＰＭ：１０％、２０％、３０％、４０％、５０％、６０％、８７％を有する芳香Ａ）
第１及び第２の油剤の調製前に、香油を芳香Ａ及びミリスチン酸イソプロピルと配合することを除いて、実施例１と同一の手順によって実施例２〜８を調製する。以下の表は、マイクロカプセルの特性に加えて、その構成成分−芳香Ａの香料及びミリスチン酸イソプロピル分配変性剤ごとに、香油の全質量を提供する。
【０２４５】
【表３】
2013525564.tif 000012
【０２４６】
実施例９．９０重量％のコア、１０重量％の壁、（芳香Ａ＋２０％のヒマシ油）
第１及び第２の油剤中の香油の２０％が、同量のヒマシ油（Ｊ．Ｔ．Ｂａｋｅｒ、Ｐｈｉｌｌｉｐｓｂｕｒｇ，Ｎｅｗ  Ｊｅｒｓｅｙ，ＵＳＡから入手）に置き換えられることを除いて、実施例１と同一の手順によって実施例９を調製する。
【０２４７】
【表４】
2013525564.tif 000013
【０２４８】
実施例１０．９０重量％のコア、１０重量％の壁、（芳香Ａ＋２０％のクエン酸トリエチル）
第１及び第２の油剤中の香油２０％が、同量のクエン酸トリエチル（Ｓｉｇｍａ  Ａｌｄｒｉｃｈ、Ｍｉｌｗａｕｋｅｅ，Ｗｉｓｃｏｎｓｉｎ，ＵＳＡから入手）に置き換えられることを除いて、実施例１と同一の手順によって実施例１０を調製する。
【０２４９】
【表５】
2013525564.tif 000014
【０２５０】
実施例１１．９０重量％のコア、１０重量％の壁、（芳香Ａ＋２０％のパラフィン油）
第１及び第２の油剤中の香油の２０％が、同一の量のパラフィン油（Ｅｘｘｏｎ  Ｍｏｂｉｌ  Ｃｈｅｍｉｃａｌ  Ｃｏｍｐａｎｙ、Ｈｏｕｓｔｏｎ，Ｔｅｘａｓ，ＵＳＡから入手されるＩｓｏｐａｒ  Ｌ）に置き換えられることを除いて、実施例１と同一の手順によって実施例１１を調製する。
【０２５１】
【表６】
2013525564.tif 000015
【０２５２】
実施例１２．９０重量％のコア、１０重量％の壁、（芳香Ａ＋２０％の鉱油）
第１及び第２の油剤中の香油の２０％が、同量の鉱油（Ｆｉｓｈｅｒ  Ｓｃｉｅｎｔｉｆｉｃ  Ｃｏｍｐａｎｙ、Ｆａｉｒｌａｗｎ，Ｎｅｗ  Ｊｅｒｓｅｙ，ＵＳＡから入手）に置き換えられることを除いて、実施例１と同一の手順によって実施例１２を調製する。
【０２５３】
【表７】
2013525564.tif 000016
【０２５４】
実施例１３．９０重量％のコア、１０重量％の壁、（芳香Ａ＋２０％のＩＰＭ）アニオン性
水相溶液が、２２．５ｇのポリアクリル酸／ブチルアクリレートコポリマーの２５％溶液、３２５ｇの水、１．１ｇの２０％  ＮａＯＨ、及び１．１７ｇのＤｕＰｏｎｔ  Ｖａｚｏ−６８ＷＳＰからなることを除いて、実施例３と同一の手順によって実施例１３を調製する。
【０２５５】
【表８】
2013525564.tif 000017
【０２５６】
実施例１４．９０重量％のコア、１０重量％の壁、（芳香Ａ＋２０％のＩＰＭ）カチオン性
水相溶液が、１１．２ｇのポリ（ジメチルアミン−コ−エピクロロヒドリン−コ−エチレンジアミン）ターポリマーの５０％溶液、３５０ｇの水、２．８ｇの２０％  ＮａＯＨ、及び１．１７ｇのＤｕＰｏｎｔ  Ｖａｚｏ−６８ＷＳＰからなることを除いて、実施例３と同一の手順によって実施例１４を調製する。
【０２５７】
【表９】
2013525564.tif 000018
【０２５８】
実施例１５．９０重量％のコア、１０重量％の壁、（芳香Ａ＋２０％のＩＰＭ）５マイクロメートル
５マイクロメートルの最終カプセル寸法を達成するために調整されたミリング条件を除いて、実施例３と同一の手順によって実施例１５を調製する。
【０２５９】
【表１０】
2013525564.tif 000019
【０２６０】
実施例１６．９０重量％のコア、１０重量％の壁、（芳香Ａ＋２０％のＩＰＭ）３０マイクロメートル
３０マイクロメートルの最終カプセル寸法を達成するために調整されたミリング条件を除いて、実施例３と同一の手順によって実施例１６を調製する。
【０２６１】
【表１１】
2013525564.tif 000020
【０２６２】
実施例１７．９０重量％のコア、１０重量％の壁、（芳香Ａ＋２０％のＩＰＭ）５０マイクロメートル
５０マイクロメートルの最終カプセル寸法を達成するために調整されたミリング条件を除いて、実施例３と同一の手順によって実施例１７を調製する。
【０２６３】
【表１２】
2013525564.tif 000021
【０２６４】
実施例１８．ポリ尿素／ウレタンカプセル
６．０６ｇのＣｅｌｖｏｌ  ５２３ポリビニルアルコール（Ｃｅｌａｎｅｓｅ  Ｃｈｅｍｉｃａｌｓ）及び１９３．９４ｇの脱イオン水からなる水溶液を、温度制御された鋼被覆反応器に室温で加える。その後、７５ｇの芳香Ａ及び２５ｇのＤｅｓｍｏｄｕｒ  Ｎ３４００（高分子ヘキサメチレンジイソシアネート）からなる油剤を、反応器に加える。混合物を、プロペラ（４先端、直径５．１ｃｍ（２”）、平らなミル刃、２２００ｒｐｍ）を用いて乳化して、所望のエマルション液滴寸法にする。次に、結果として得られるエマルションを、Ｚ型プロペラを用いて４５０ｒｐｍで混合する。４７ｇの水及び２．６８ｇのテトラエチレンペンタミンからなる水溶液を、エマルションに加える。その後、それを６０℃に加熱し、６０℃で８時間維持し、室温まで冷却する。形成されるマイクロカプセルの中央粒径は、１０マイクロメートルであり、１．５の幅指数を有する。
【０２６５】
実施例１９．ポリ尿素／ウレタンカプセル
４．４４グラムのイソホロンジイソシアネート（Ｓｉｇｍａ  Ａｌｄｒｉｃｈ）を５．６９グラムの芳香Ａ香油に加えることによって、油相を調製する。１．６７グラムのエチレンジアミン（Ｓｉｇｍａ  Ａｌｄｒｉｃｈ）及び０．０４グラムの１，４−ジアザビシクロ［２．２．２］オクタン（Ｓｉｇｍａ  Ａｌｄｒｉｃｈ）を、４０グラムのポリビニルピロリドンＫ−９０（Ｓｉｇｍａ  Ａｌｄｒｉｃｈ）の５重量％の水溶液中に摂氏１０℃で混合することによって、水相を調製する。次に、３刃タービン撹拌器を有するＪａｎｋｅ＆Ｋｕｎｋｅｌ  ＩＫＡ  Ｌａｂｏｒｅｔｅｃｈｎｉｋ  ＲＷ２０  ＤＺＭモーターを用いて、混合物を１４００ｒｐｍで約９分間撹拌しながら、油相含量を１５．０グラムのポリビニルピロリドンＫ−９０（Ｓｉｇｍａ  Ａｌｄｒｉｃｈ）の５重量％の水溶液に加える。次に、１４００ｒｐｍで撹拌し続けながら、追加の水相を乳化油相に６．５分間にわたって滴加する。２３分間撹拌し続け、その後、撹拌速度を１０００ｒｐｍに低下させる。更に３．７５時間後、撹拌速度を５００ｒｐｍに低下させ、１４時間撹拌し続ける。分散物を２時間かけて摂氏５０℃まで加熱し始める。カプセルを５０℃で２時間熟成させ、その後、形成されるマイクロカプセルを収集する。結果として得られるポリ尿素／ウレタン粒子は、１２マイクロメートルの中央粒径及び１．５の幅指数を有する。
【０２６６】
実施例２０．ポリ尿素／ウレタンカプセル
香油が８０重量％の芳香Ａ及び２０重量％のミリスチン酸イソプロピルを含むことを除いて、実施例１８に概略される手順と同一の手順に従う。形成されるマイクロカプセルは、１１マイクロメートルの中央粒径及び１．５の幅指数を有する
【０２６７】
実施例２１．香料マイクロカプセルの噴霧乾燥
実施例２の香料マイクロカプセルスラリーを、１ｋｇ／時間の速度で並流噴霧乾燥機（Ｎｉｒｏ  Ｐｒｏｄｕｃｔｉｏｎ  Ｍｉｎｏｒ、直径１．２メートル）にポンプで送り、１８，０００ｒｐｍで回転する遠心ホイール（直径１００ｍｍ）を用いて噴霧化する。乾燥機動作条件は、８０ｋｇ／時間の空気流量、摂氏２００℃の入口空気温度、摂氏１００℃の出口温度であり、乾燥機は、−１５０ミリメートルの水真空圧で動作する。乾燥粉末はサイクロンの底部で収集する。収集した粒子はおよそ１１マイクロメートルの粒径を有する。噴霧乾燥プロセスにおいて使用される機器を、以下の供給元：ＩＫＡ  Ｗｅｒｋｅ  ＧｍｂＨ  ＆  Ｃｏ．ＫＧ，Ｊａｎｋｅ  ａｎｄ  Ｋｕｎｋｅｌ−Ｓｔｒ．１０，Ｄ７９２１９  Ｓｔａｕｆｅｎ，Ｇｅｒｍａｎｙ；Ｎｉｒｏ  Ａ／Ｓ  Ｇｌａｄｓａｘｅｖｅｊ  ３０５，Ｐ．Ｏ．Ｂｏｘ  ４５，２８６０  Ｓｏｅｂｏｒｇ，Ｄｅｎｍａｒｋ、及びＷａｔｓｏｎ−Ｍａｒｌｏｗ  Ｂｒｅｄｅｌ  Ｐｕｍｐｓ  Ｌｉｍｉｔｅｄ，Ｆａｌｍｏｕｔｈ，Ｃｏｒｎｗａｌｌ，ＴＲ１１  ４ＲＵ，Ｅｎｇｌａｎｄから入手することができる。
【０２６８】
実施例２２．洗い流さないコンディショナー中のマイクロカプセル
上述の実施例のカプセルのそれぞれを、以下のように洗い流さないコンディショナー製剤に配合する：９８．０グラムの洗い流さないコンディショナー（以下に示される典型的な配合を有する）に、適切な量の実施例１〜２０のマイクロカプセルスラリーを加えて、０．５重量％の使用濃度の芳香Ａ香料を供給する。マイクロカプセルを、コンディショナー製剤の上部に加え、その後、ＨａｕｓｃｈｉｌｄのＳｐｅｅｄＭｉｘｅｒ  ＤＡＣ  ４００ＦＶＺを用いて、内容物を１０００ｒｐｍで１分間混合する。
【０２６９】
この製品の一部を２０ｍＬのバイアル中で秤量し、熟成のために一定の温度環境に設置する（摂氏４０℃で１週間）。
【０２７０】
洗い流さないトリートメントの嗅覚分析の試験方法を用いて、この製品の一部を使用して、生体外試験のためにヘアピースを処理する。以下の結果が得られる。
【０２７１】
【表１３】
2013525564.tif 000022
【０２７２】
嗅覚等級の１０ポイントの増加は、香り強度における顕著な変化である。くしで梳かす前は、乾いた毛髪上の芳香Ａの嗅覚強度を指し、くしで梳かした後は、ヘアピースを３回くしで梳かした後の乾いた毛髪上の芳香Ａの嗅覚強度を指す。最初の毛髪の香り及び２４時間熟成した毛髪の香りについて、実施例２〜９及び１１〜１５のアクリレートカプセルを用いて、くしで梳かした後の香り強度における有意な増加に留意する。その時点でくしで梳かす前と比較して、かつ無希釈香料対照と比較して、くしで梳かすと、香り強度に劇的な変化を見ることができる。分配変性剤の種類及び濃度、並びに中央粒径は、香料の利益の促進に重要な役割を果たす。ポリ尿素／ウレタンカプセルは、所望の嗅覚性能特性を供給しない。
【０２７３】
これらの製品のヘッドスペース比も測定し、以下に表にする。
【０２７４】
【表１４】
2013525564.tif 000023
【０２７５】
洗い流さないコンディショナー製剤の典型的な組成物を、以下の表に示す。
【０２７６】
【表１５】
2013525564.tif 000024
【０２７７】
実施例２３．シャンプー中のマイクロカプセル
上述の実施例のカプセルの一部を、以下のように洗い流すシャンプー配合物に配合する：９０．０グラムのシャンプー配合物（以下に示される典型的な配合を有する）に、適切な量の実施例１５〜２０のマイクロカプセルスラリーを加えて、０．５重量％の使用濃度の芳香Ａ香料を供給する。マイクロカプセル及び水を、シャンプー配合物の上部に加え、その後、ＨａｕｓｃｈｉｌｄのＳｐｅｅｄＭｉｘｅｒ  ＤＡＣ  ４００ＦＶＺ混合器を用いて、内容物を１８５０ｒｐｍで１分間混合する。
【０２７８】
この製品の一部を２０ｍＬのバイアル中で秤量し、熟成のために一定の温度環境に設置する（摂氏４０℃で１週間）。
【０２７９】
シャンプーの嗅覚分析の試験方法を用いて、この製品の一部を使用して、生体外試験のためにヘアピースを処理する。以下の結果が得られる。
【０２８０】
【表１６】
2013525564.tif 000025
【０２８１】
主に、洗い流すプロセス中の毛髪上でのカプセルの保持力不足の理由から、シャンプーにおいて嗅覚の結果がはるかに低いことに留意する。しかしながら、実施例１５と無希釈香料対照とを比較して、粒径は、くしで梳かした際の（初期の毛髪及び２４時間熟成後の毛髪）保持力の改善及び持続した香料の匂い性能の促進に重要な役割を果たすようである。
【０２８２】
上述の試料のヘッドスペース比も測定し、以下に表にする。
【０２８３】
【表１７】
2013525564.tif 000026
【０２８４】
シャンプー配合物の典型的な組成を以下の実施例に示す。
【０２８５】
【表１８】
2013525564.tif 000027
１  Ｍｉｒａｐｏｌ  ＡＴ−１、アクリルアミド（ＡＭ）とＴＲＩＱＵＡＴ、ＭＷ＝１，０００，０００とのコポリマー；ＣＤ＝１．６ｍｅｑ／グラム；１０％活性；供給元：Ｒｈｏｄｉａ
２  Ｊａｇｕａｒ  Ｃ５００、ＭＷ−５００，０００、ＣＤ＝０．７、供給元：Ｒｈｏｄｉａ
３  Ｍｉｒａｐｏｌ  １００Ｓ、３１．５％活性、供給元：Ｒｈｏｄｉａ
４  ラウレス硫酸ナトリウム、２８％活性、供給元：Ｐ＆Ｇ
５  ラウリル硫酸ナトリウム、２９％活性、供給元：Ｐ＆Ｇ
６  グリシドールシリコーンＶＣ２２３１−１９３Ｃ
７  テゴベタインＦ−Ｂ、３０％活性、供給元：Ｇｏｌｄｓｃｈｍｉｄｔ  Ｃｈｅｍｉｃａｌｓ
８  Ｍｏｎａｍｉｄ  ＣＭＡ、８５％活性、供給元：Ｇｏｌｄｓｃｈｍｉｄｔ  Ｃｈｅｍｉｃａｌ
９  エチレングリコールジステアレート、ＥＧＤＳ  Ｐｕｒｅ、供給元：Ｇｏｌｄｓｃｈｍｉｄｔ  Ｃｈｅｍｉｃａｌ
１０  塩化ナトリウムＵＳＰ（食品グレード）、供給元：Ｍｏｒｔｏｎ；塩は調節可能な成分であり、より高い又はより低い濃度を添加して、目標の粘度を達成することに留意する。
【０２８６】
【表１９】
2013525564.tif 000028
１  グリシドールシリコーンＶＣ２２３１−１９３
２  グリシドールシリコーンＶＣ２２３１−１９３Ｆ
３  グリシドールシリコーンＶＣ２２３１−１９３Ａ
４  シクロペンタシロキサン：Ｍｏｍｅｎｔｉｖｅ  Ｐｅｒｆｏｒｍａｎｃｅ  Ｃｈｅｍｉｃａｌｓから入手可能なＳＦ１２０２
５  ベヘニルトリメチルアンモニウムクロライド／イソプロピルアルコール：Ｃｌａｒｉａｎｔから入手可能なＧｅｎａｍｉｎ（商標）ＫＭＰ
６  セチルアルコール：Ｓｈｉｎ  Ｎｉｈｏｎ  Ｒｉｋａから入手可能なＫｏｎｏｌ（商標）シリーズ
７  ステアリルアルコール：Ｓｈｉｎ  Ｎｉｈｏｎ  Ｒｉｋａから入手可能なＫｏｎｏｌ（商標）シリーズ
８  メチルクロロイソチアゾリノン／メチルイソチアゾリノン：Ｒｏｈｍ  ＆  Ｈａａｓから入手可能なＫａｔｈｏｎ  ＴＭ  ＣＧ
９  パンテノール：Ｒｏｃｈｅから入手可能
１０  パンテニルエチルエーテル：Ｒｏｃｈｅから入手可能
【０２８７】
【表２０】
2013525564.tif 000029
（１）Ｊａｇｕａｒ  Ｃ１７、Ｒｈｏｄｉａから入手可能。
（２）Ｎ−Ｈａｎｃｅ  ３２６９（約５００，０００の分子量及び０．８ｍｅｑ／ｇ）、Ａｑｕｌａｏｎ／Ｈｅｒｃｕｌｅｓから入手可能
（３）Ｖｉｓｃａｓｉｌ  ３３０Ｍ、Ｇｅｎｅｒａｌ  Ｅｌｅｃｔｒｉｃ  Ｓｉｌｉｃｏｎｅｓから入手可能
（４）ゲル網状組織、以下の組成を参照のこと。水を約７４℃に加熱し、セチルアルコール、ステアリルアルコール、及びＳＬＥＳ界面活性剤をそれに加える。組み込んだ後、この混合物を熱交換器に通して、約３５℃まで冷却する。この冷却工程の結果として、脂肪アルコール及び界面活性剤が結晶化して、結晶性ゲル網状組織を形成する。
【０２８８】
【表２１】
2013525564.tif 000030
【０２８９】
実施例２４．ローション中のマイクロカプセル
【０２９０】
【表２２】
2013525564.tif 000031
１．シクロペンタシロキサン中１２．５％ジメチコーンクロスポリマー。Ｄｏｗ  Ｃｏｒｎｉｎｇ（商標）から入手可能。
２．例えば、Ｔｏｓｐｅａｒｌ（商標）１４５Ａ又はＴｏｓｐｅａｒｌ  ２０００。ＧＥ  Ｔｏｓｈｉｂａ  Ｓｉｌｉｃｏｎｅ（商標）から入手可能。
３．ジメチコーン中２５％ジメチコーンＰＥＧ−１０／１５クロスポリマー。Ｓｈｉｎ−Ｅｔｓｕ（商標）から入手可能。
４．Ｊｅｅｎ（商標）のＪｅｅｎａｔｅ（商標）３Ｈポリエチレンワックス。
５．ステアリルジメチコーン。Ｄｏｗ  Ｃｏｒｎｉｎｇから入手可能。
６．Ｌａｂｏｒａｔｏｉｒｅｓ  Ｓｅｒｏｂｉｏｌｏｇｉｑｕｅｓから入手可能なヘキサミジンジイセチオネート。
７．加えて、又はあるいは、当業者によって好適であるとみなされる時、組成物は、本明細書に開示の量の本明細書に開示の１つ以上の他のスキンケア活性物質、それらの塩及び誘導体を含み得る。
【０２９１】
上の実施例に関して、好適な容器の中で、相Ａの成分を合わせる。別の好適な容器で、相Ｂの成分を合わせる。それぞれが実質的に一定の所望の温度に達し、かつ均質になるまで、好適な混合器（例えば、アンカーブレード、プロペラブレード、又はＩＫＡ  Ｔ２５）を用いて各相を混合しながら、各相を７３℃〜７８℃に加熱する。相Ａを混合し続けながら、相Ｂを相Ａに徐々に加える。バッチが均一になるまで混合を続ける。７３〜７８℃の生成物を好適な容器に注ぎ、室温で保存する。あるいは、温度を低下させながら混合物を撹拌し続けることで、２１及び３３℃でより低い硬度値が観察される。
【０２９２】
実施例２５．一回単位用量パーソナルケア製品中のマイクロカプセル
以下の界面活性剤／高分子液体加工組成物は、下の表１に示す重量割合で調製される。
【０２９３】
【表２３】
2013525564.tif 000032
1  Ｓｉｇｍａ−Ａｌｄｒｉｃｈ  Ｃａｔａｌｏｇ  Ｎｏ．３６３０８１、分子量８５，０００〜１２４，０００、８７〜８９％加水分解
2  ＭｃＩｎｔｙｒｅ  Ｇｒｏｕｐ  Ｌｔｄ（Ｕｎｉｖｅｒｓｉｔｙ  Ｐａｒｋ，ＩＬ）のＭａｃｋａｍ  ＨＰＬ−２８ＵＬＳ
3  ＵＣＡＲＥ（商標）ポリマーＬＲ−４００、Ａｍｅｒｃｈｏｌ  Ｃｏｒｐｏｒａｔｉｏｎ（Ｐｌａｑｕｅｍｉｎｅ，Ｌｏｕｉｓｉａｎａ）から入手可能。
【０２９４】
目標重量３００グラムの上記組成物を、従来のオーバーヘッド撹拌機（ＩＫＡ（登録商標）Ｗｏｒｋｓ，Ｉｎｃ．，Ｗｉｌｍｉｎｇｔｏｎ，ＤＥから入手可能なＩＫＡ（登録商標）ＲＷ２０ＤＺＭ撹拌機）とホットプレート（Ｃｏｒｎｉｎｇ  Ｉｎｃｏｒｐｏｒａｔｅｄ  Ｌｉｆｅ  Ｓｃｉｅｎｃｅｓ，Ｌｏｗｅｌｌ，ＭＡ）の使用により調製する。適切に寸法決定かつ清浄された容器に、蒸留水及びグリセリンを１００〜１５０ｒｐｍで撹拌しながら加える。次いで、カチオン性ポリマーが存在するなら、それを均質になるまで絶え間なく撹拌しながら徐々に加える。ポリビニルアルコールを好適な容器に計量し、目に見える塊が形成されるのを避けてスパチュラを用いて撹拌し続けながら少しずつ主混合物にゆっくりと加える。混合速度は泡の形成を最小限に抑えるように調整する。混合物を徐々にに加熱して８０℃にした後、界面活性剤を加える。次に混合物を撹拌し続けながら８５℃に熱し、次いで常温まで冷却する。蒸発して失われた水を埋め合わせるために追加の蒸留水を加える（容器の風袋重量に基づく）。最終的なｐＨは５．２〜６．６であり、必要であればクエン酸で調整するか又は水酸化ナトリウムで希釈する。得られた加工混合物の粘度を測定する。
【０２９５】
多孔質溶解性固体基材（本明細書の実施例において「基材」とも称される）を、以下の表２に記載のように、上述の液体加工混合物から調製する。
【０２９６】
【表２４】
2013525564.tif 000033
【０２９７】
３００グラムの加工混合物を、対流式オーブン内で７０℃にて２時間超保存して、加工混合物を予熱する。その後、混合物を、平らな泡立て器アタッチメント及び７０〜７５℃の水道水を含む水浴アタッチメントを装填したＫＩＴＣＨＥＮＡＩＤ（登録商標）混合器モデルＫ５ＳＳ（Ｈｏｂａｒｔ  Ｃｏｒｐｏｒａｔｉｏｎ，Ｔｒｏｙ，ＯＨから入手可能）の４．７Ｌ（５  ｑｕａｒｔ）の予熱（７０℃のオーブンに１５分間超入れることによって）したステンレス鋼ボウルに移す。混合物を、約０．２６ｇ／ｃｍ3の湿潤密度になるまで１０の最大速度設定で強く曝気する（時間を表に記録する）。既知の体積を有するカップを充填して、スパチュラを用いてカップの頂部を均一にこすり取って重さを測ることにより、密度を測定する。次に結果の曝気された混合物をスパチュラで６．５ｍｍの深さを有する１６０ｍｍ×１６０ｍｍの正方形のアルミニウム金型に広げ、過剰な湿潤泡を、角度４５°に固定した大きな金属スパチュラの直線状端部を金型表面に対してゆっくりと均一に引くことにより除去する。次に、アルミニウム金型を、１３０℃の対流式オーブンに約３５〜４５分間設置する。型を室温まで冷やした後、薄いスパチュラとピンセットを利用して、実質的に乾燥した多孔質溶解性固体基材を型から取り出す。
【０２９８】
得られた１６０ｍｍ×１６０ｍｍの正方形基材をそれぞれ、打抜型及びＳａｍｃｏ  ＳＢ２０切断装置を使用して、９個の４３ｍｍ×４３ｍｍ正方形（丸い縁を有する）に切断する（各正方形は、約１６．９ｃｍ２の表面積である）。次に、得られたより小さい基材を、室内雰囲気に開けたままにした大きなジップロックバッグに入れ、２１℃（７０°Ｆ）で相対湿度５０％に維持された一定環境の室内で一晩（１４時間）平衡状態にする。
【０２９９】
ドラフト内で、基材を、約６０度の角度で乗ったステンレス鋼イーゼルに取り付け、このイーゼルは、基材がずり落ちないように保持するノッチと、イーゼルから押し出すことによって基材を支持具から容易に取り出せるような適所の穴とを有する。基材の上面（乾燥プロセス中に乾燥オーブン中で空気に曝露される側で、かつアルミニウム金型と直接接触する側の反対）がイーゼルから外方に向いていることが重要である。ポンプ式噴霧器を有する小さいガラス瓶を、一次香油１ａで充填し、その後、２〜７．６ｃｍ（３インチ）の距離から基材の表面に噴霧する。次に、基材をイーゼルから取り外し、上方が上向きの状態で天秤の量り皿に戻す。加えた香料の重量を記録し、目標重量に達しない場合は、別の噴霧量を加えるか、キムワイプで余分な香料を基材から吸収する。この反復プロセスを目標重量範囲になるまで繰り返す。適用した香料１ａの量を以下の表に記録する。小さな量り皿に乗っている得られた基材を、ジップロックバッグ内に保管し、大気から密閉する。上記のプロセスを第２の基材上で繰り返す。
【０３００】
その後で、量り皿内の第１の基材をジップロックバッグから取り出し、再び４プレース秤量天秤（4 place weigh balance）でゼロ重量に風袋を測る。次に、実施例２１の香料マイクロカプセルを、各基材の表面に適用する。余分な香料包接錯体を含有するトレイ（又は他の好適な容器）中で基材を左右に１０回穏やかに振盪して、基材を香料マイクロカプセル粉末で被覆する（このプロセスを反対側で繰り返す）。次に、得られた粉末コーティング基板をつまみ上げ（手袋をはめた手で）、ゆっくりと揺すり、何度か軽く叩いて、基材にしっかりと付着していない余分な粉末を除去する。適用した二次香料のマイクロカプセルの結果として生じる重量を、以下の表に記録する。次に、量り皿内の多孔性基材をジップロックバッグに戻し、大気から密閉する。この粉末適用プロセスを第２の基材で繰り返す。
【０３０１】
得られた最終的な重量を下の表に示す。
【０３０２】
【表２５】
2013525564.tif 000034
【０３０３】
実施例２６．制汗剤／脱臭剤中のマイクロカプセル
【０３０４】
【表２６】
2013525564.tif 000035
１−Ｄｏｗ  Ｃｏｒｎｉｎｇから入手可能なＤＣ  ２４６流体
２−Ｄｏｗ  Ｃｏｒｎｉｎｇから入手可能
３−Ｓｈｉｎｅｔｓｕから入手可能
４−標準のアルミニウムクロロハイドレート溶液
５−カルシウムで安定化されたＩＡＣＨ溶液
６−カルシウムで安定化されたＩＺＡＧ溶液
７−Ｎｅｗ  Ｐｈａｓｅ  Ｔｅｃｈｎｏｌｏｇｉｅｓから入手可能
９−この組成物の製造時のエマルションブレーク
【０３０５】
当業者が利用可能な機器を組み込むために変更することができる以下の一般プロセスを介して、上記の実施例Ｉ〜Ｖを作製することができる。パートＩ及びパートＩＩの成分を、別個の好適な容器中で混合する。次に、パートＩＩをパートＩに撹拌下で徐々に加えて、シリコーン中水エマルションの作製を確実にする。その後、エマルションを、好適なミル、例えば、Ｇｒｅｅｃｏ  ＣｏｒｐのＧｒｅｅｃｏ  １Ｌ０３でミル加工して、均質なエマルションを作製する。全ての固体が完全に融解されるまで、パートＩＩＩを混合し、８８℃に加熱する。次に、エマルションも８８℃に加熱し、次いでパートＩＩＩの成分に加える。その後、最終混合物を適切な容器に注ぎ、凝固させ、室温まで冷却させる。
【０３０６】
【表２７】
2013525564.tif 000036
ＱＳ（適量）は、この材料を使用して、合計を１００％にすることを示す。
【０３０７】
実施例ＶＩ〜ＩＸを、以下のように作製することができる：香料、リナロール、及びジヒドロミルセノール以外のすべての成分を好適な容器中で合わせ、約８５℃に加熱して、均質な液体を形成する。次に、溶液を約６２℃まで冷却し、次いで香料、リナロール、及びジヒドロミルセノールを加える。その後、混合物を適切な容器に注ぎ、凝固させ、室温まで冷却する。
【０３０８】
実施例Ｘを以下のように作製することができる：噴射剤以外のすべての成分を、適切なエアロゾル容器中で合わせる。その後、容器を適切なエアロゾル吐出弁で密封する。次に、真空を弁に印加することによって容器中の空気を除去し、その後、弁を通して噴射剤を容器に加える。最終的に、適切な作動装置を弁に接続して、生成物の分配を可能にする。
【０３０９】
実施例２７．洗い流すコンディショナー中のマイクロカプセル
【０３１０】
【表２８】
2013525564.tif 000037
【０３１１】
構成成分の定義
*１  アミノシリコーン−１（ＡＭＤ）：０．１２〜０．１５ｍｍｏｌ／ｇのアミン含量及び３，０００〜８，０００ｍＰａ・ｓの粘度を有し、不水溶性である。
*２  アミノシリコーン−２（ＴＡＳ）：０．０４〜０．０６ｍｍｏｌ／ｇのアミン含量及び１０，０００〜１６，０００ｍＰａ・ｓの粘度を有し、不水溶性である。
【０３１２】
調製方法
「実施例Ｉ」〜「実施例ＶＩ」のコンディショニング組成物を、以下のように調製する：
カチオン性界面活性剤、高融点脂肪族化合物を、撹拌しながら水に加え、約８０℃に加熱する。混合物を約５０℃まで冷却して、ゲルマトリックスキャリアを形成する。別々に、香料マイクロカプセルのスラリー及びシリコーンを撹拌しながら室温で混合して、プレミックスを形成する。プレミックスを撹拌しながらゲルマトリックスキャリアに加える。含まれる場合、防腐剤等の他の成分を撹拌しながら加える。次に、組成物を室温まで冷却する。
【０３１３】
「実施例ＩＩ」のコンディショニング組成物を、以下のように調製する：
カチオン性界面活性剤、高融点脂肪族化合物を、撹拌しながら水に加え、約８０℃に加熱する。混合物を約５０℃まで冷却して、ゲルマトリックスキャリアを形成する。その後、シリコーンを撹拌しながら加える。別々に、香料マイクロカプセルのスラリー、及び含まれる場合は防腐剤等の他の成分を撹拌しながら加える。次に、組成物を室温まで冷却する。
【０３１４】
実施例２８．ボディクレンジング組成物中のマイクロカプセル
【０３１５】
【表２９】
2013525564.tif 000038
【０３１６】
実施例２９．繊維製品用柔軟製品中のマイクロカプセル
前述の実施例の精製された香料マイクロカプセルを含有する製品配合物の非限定的な例は、以下の表に要約される。
【０３１７】
【表３０】
2013525564.tif 000039
a  Ｎ，Ｎ−ジ（タローオイルオキシエチル）−Ｎ，Ｎ−ジメチルアンモニウムクロライド。
b  メチル−ビス（タローアミドエチル）−２−ヒドロキシエチルアンモニウムメチルサルフェート。
c  脂肪酸とメチルジエタノールアミンとのモル比１．５：１での反応生成物を塩化メチルで四級化して得られる、Ｎ，Ｎ−ビス（ステアロイル−オキシ−エチル）Ｎ，Ｎ−ジメチルアンモニウムクロライドとＮ−（ステアロイル−オキシ−エチル）Ｎ−ヒドロキシエチルＮ，Ｎジメチルアンモニウムクロライドとの１：１モル混合物。
d  Ｎａｔｉｏｎａｌ  Ｓｔａｒｃｈから商品名ＣＡＴＯ（登録商標）で入手可能なカチオン性高アミローストウモロコシデンプン。
f  米国特許第５，５７４，１７９号、第１５段、１〜５行目に記載の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は本質的にエチレン、１，２−プロピレン部分、又はこれらの混合物である。
g  ＷａｃｋｅｒからのＳＥ３９
h  ジエチレントリアミン五酢酸。
i  Ｒｏｈｍ  ａｎｄ  Ｈａａｓ  Ｃｏ．から入手可能なＫＡＴＨＯＮ（登録商標）ＣＧ。「ＰＰＭ」は、「百万分の一」。
j  グルタルアルデヒド
k  ＤＣ２３１０の商標名でＤｏｗ  Ｃｏｒｎｉｎｇ  Ｃｏｒｐ．から入手可能なシリコーン消泡剤。
l  Ｒｏｈｍ  ａｎｄ  ＨａａｓからＡｃｕｌｙｎ（商標）４４の商標名にて入手可能な、疎水的に改質されたエトキシ化ウレタン。
*  実施例１〜２０に提供されるマイクロカプセルの好適な組み合わせ。（パーセント活性はマイクロカプセルのコア容量に関する。）
【０３１８】
実施例３０．ドライクリーニング配合物中のマイクロカプセル
前述の実施例の精製された香料マイクロカプセルを含有する製品配合物の非限定的な例は、以下の表に要約される。
【０３１９】
【表３１】
2013525564.tif 000040
*  ２５〜３５％の活性スラリー（水溶液）として加えられるマイクロカプセル。コア／壁比の範囲は８０／２０〜最大９０／１０であることができ、平均粒径は５μｍ〜５０μｍの範囲であり、前述の実施例のいずれかにより精製することができる。マイクロカプセルの好適な組み合わせは、実施例１〜２１に提供される。
【０３２０】
実施例３１．液体洗濯配合物（ＨＤＬ）
前述の実施例の精製された香料マイクロカプセルを含有する製品配合物の非限定的な例は、以下の表に要約される。
【０３２１】
【表３２】
2013525564.tif 000041
２５〜３５％の活性スラリー（水溶液）として加えられるマイクロカプセル。コア／壁比の範囲は８０／２０〜最大９０／１０であることができ、平均粒径は５μｍ〜５０μｍの範囲であり、前述の実施例のいずれかにより精製することができる。マイクロカプセルの好適な組み合わせは、実施例６に提供される。
【０３２２】
前述の実施例の精製された香料マイクロカプセルを含有する製品配合物の非限定的な例は、以下の表に要約される。
【０３２３】
【表３３】
2013525564.tif 000042
*  雲母−ＴｉＯ2（ＥｃｋａｒｔからのＰｒｅｓｔｉｇｅ  Ｓｉｌｋ  Ｓｉｌｖｅｒ  Ｓｔａｒ）又はＢｉＯＣｌ（Ｂｉｒｏｎ  Ｓｉｌｖｅｒ  ＣＯ−Ｍｅｒｃｋ）又はｐｒｅ−ｃｒｙｓｔａｌｌｉｚｅｄ  ＥＧＤＳ（ＤｅｇｕｓｓａからのＴｅｇｏｐｅａｒｌ  Ｎ１００、純ＥＧＤＳとして表記）
**２５〜３５％の活性スラリー（水溶液）として加えられるマイクロカプセル。コア／壁比の範囲は８０／２０〜最大９０／１０であることができ、平均粒径は５μｍ〜５０μｍの範囲であり、前述の実施例のいずれかにより精製することができる。マイクロカプセルの好適な組み合わせは、実施例６に提供される。
【０３２４】
【表３４】
2013525564.tif 000043
*  雲母−ＴｉＯ2（ＥｃｋａｒｔからのＰｒｅｓｔｉｇｅ  Ｓｉｌｋ  Ｓｉｌｖｅｒ  Ｓｔａｒ）又はＢｉＯＣｌ（Ｂｉｒｏｎ  Ｓｉｌｖｅｒ  ＣＯ−Ｍｅｒｃｋ）又はｐｒｅ−ｃｒｙｓｔａｌｌｉｚｅｄ  ＥＧＤＳ（ＤｅｇｕｓｓａからのＴｅｇｏｐｅａｒｌ  Ｎ１００、純ＥＧＤＳとして表記）
**２５〜３５％の活性スラリー（水溶液）として加えられるマイクロカプセル。コア／壁比の範囲は８０／２０〜最大９０／１０であることができ、平均粒径は５μｍ〜５０μｍの範囲であり、前述の実施例のいずれかにより精製することができる。マイクロカプセルの好適な組み合わせは、実施例１〜２１に提供される。
【０３２５】
【表３５】
2013525564.tif 000044
【０３２６】
【表３６】
2013525564.tif 000045
*２５〜３５％の活性スラリー（水溶液）として加えられるマイクロカプセル。コア／壁比の範囲は８０／２０〜最大９０／１０であることができ、平均粒径は５μｍ〜５０μｍの範囲であり、前述の実施例のいずれかにより精製することができる。マイクロカプセルの好適な組み合わせは、実施例１〜２１に提供される。
**ポリビニルアルコールの単回投与量／サッシェ中の低水分液体洗剤
【０３２７】
実施例３２：液体及びゲル洗剤
【０３２８】
【表３７】
2013525564.tif 000046
*２５〜３５％の活性スラリー（水溶液）として加えられるマイクロカプセル。コア／壁比の範囲は８０／２０〜最大９０／１０であることができ、平均粒径は５μｍ〜５０μｍの範囲であり、前述の実施例のいずれかにより精製することができる。マイクロカプセルの好適な組み合わせは、実施例１〜２１に提供される。
**ポリビニルアルコールの単回投与量／サッシェ中の低水分液体洗剤
【０３２９】
実施例３３：液体単位用量
以下は、液体組成物がＰＶＡフィルム内に封入される単位容量の実施例である。本実施例で使用される好ましいフィルムは、厚さ７６μｍのＭｏｎｏｓｏｌ  Ｍ８６３０である。
【０３３０】
【表３８】
2013525564.tif 000047
1  −ＮＨあたり２０個のエトキシレート基を有するポリエチレンイミン（ＭＷ＝６００）。
2  ＲＡ＝アルカリ保存性（ＮａＯＨのｇ／投与量）
*２５〜３５％の活性スラリー（水溶液）として加えられるマイクロカプセル。コア／壁比の範囲は８０／２０〜最大９０／１０であることができ、平均粒径は５μｍ〜５０μｍの範囲であり、前述の実施例のいずれかにより精製することができる。マイクロカプセルの好適な組み合わせは、実施例１〜２１に提供される。
**ポリビニルアルコールの単回投与量／サッシェ中の低水分液体洗剤
【０３３１】
実施例３４．ＰＭＣスラリーの遠心分離
実施例２の香料マイクロカプセルの水性懸濁液１４ｍＬを２０ｍＬ遠心管中に入れる。６つの同一のこのような管を準備し、バッチ遠心器（ＩＥＣ  Ｃｅｎｔｒａ  ＣＬ２）に設置する。３８００ｒｐｍにて２０分後、遠心管を除去する。最上マイクロカプセル層を残りの材料から分離する。この材料は、約２０重量％の水を含有し、この材料を低水分含有配合物に組み込むことができる。
【０３３２】
実施例３５．より高密度のカプセル
第１及び第２の油剤の調製前に、香油を芳香Ａ及び臭素化植物油（Ｖｉｒｇｉｎｉａ  Ｄａｒｅ  Ｅｘｔｒａｃｔ  Ｃｏ．）と配合することを除いて、マイクロカプセルを実施例５と同一の手順によって調製する。以下の表は、マイクロカプセルの特性に加えて、その構成成分−芳香Ａの香料及び臭素化植物油（１．３３ｇ／ｍＬの密度）密度変性剤ごとに、香油の全質量を提供する。
【０３３３】
【表３９】
2013525564.tif 000048
【０３３４】
９０．０グラムのシャンプー配合物（以下に示される典型的な配合を有する）に、２．３３グラムのマイクロカプセル（２１．５重量％の芳香Ａ油）及び７．６７グラムの脱イオン水を加えて、０．５重量％の使用濃度の芳香Ａ香料を供給する。マイクロカプセル及び水を、シャンプー配合物の上部に加え、その後、ＨａｕｓｃｈｉｌｄのＳｐｅｅｄＭｉｘｅｒ  ＤＡＣ  ４００ＦＶＺ混合器を用いて、内容物を１８５０ｒｐｍで１分間混合する。
【０３３５】
シャンプーの嗅覚分析の試験方法を用いて、この製品の一部を使用して、生体外試験のためにヘアピースを処理する。以下の結果が得られる。
【０３３６】
【表４０】
2013525564.tif 000049
【０３３７】
臭素化植物油密度変性剤を有するより高密度の粒子が、実質的により良好な初期及び熟成後の嗅覚性能を供給することができることに留意する。
【０３３８】
本明細書に開示した寸法及び値は、記述された正確な数値に厳しく限定されるものと理解すべきでない。それよりむしろ、特に指定されない限り、こうした各寸法は、列挙した値と、その値周辺の機能的に同等の範囲との両方を意味することを意図したものである。例えば、「４０ｍｍ」として開示された寸法は、「約４０ｍｍ」を意味することを意図する。
【０３３９】
本発明の「発明を実施するための形態」で引用したすべての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【０３４０】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【国際調査報告】
2013525564.tif 000050
2013525564.tif 000051
2013525564.tif 000052
2013525564.tif 000053